(57)【要約】  基地局（１１１）は、セル（１１１ａ）におけるセル（１１２ａ）との境界付近の中継局（１２１）の中継によりセル（１１１ａ）内の移動局（１３１），（１３２）との間で無線通信を行う。基地局（１１１）は、セル（１１２ａ）におけるセル（１１１ａ）との境界付近の中継局（１２２）から、中継局（１２２）に割り当てられる無線リソースを示す隣接セルリソース情報を受信する。基地局（１１１）は、受信した隣接セルリソース情報が示す無線リソースとは異なる無線リソースを優先的に中継局（１２１）と移動局（１３１），（１３２）との間の無線経路に割り当てる。
2010134162.tif 000002
【特許請求の範囲】
【請求項１】
自セルに設置された中継局の中継により前記自セル内の移動局との間で無線通信を行う基地局であって、
隣接セルに設置された隣接セル中継局から、前記隣接セル中継局に割り当てられる無線リソースに関する隣接セルリソース情報を受信する受信手段と、
前記受信手段によって受信された隣接セルリソース情報が示す無線リソースとは異なる無線リソースを優先的に前記中継局と前記移動局との間の無線経路に割り当てる割当手段と、
を備えることを特徴とする基地局。
【請求項２】
前記割当手段は、前記中継局と前記移動局との間の無線経路に対して前記中継局から要求された無線リソースのうちの、前記隣接セルリソース情報が示す無線リソースとは異なる無線リソースを優先的に割り当てることを特徴とする請求項１に記載の基地局。
【請求項３】
前記受信手段は、前記隣接セル中継局が前記隣接セルの基地局に無線リソースの割り当てを要求するための要求情報を前記隣接セルリソース情報として受信することを特徴とする請求項１または２に記載の基地局。
【請求項４】
前記受信手段は、前記隣接セルの基地局が前記隣接セル中継局に割り当てた無線リソースを示す割当情報を前記隣接セルリソース情報として受信することを特徴とする請求項１または２に記載の基地局。
【請求項５】
自セルに設置され、前記自セル内の基地局と移動局との間の無線通信を中継する中継局であって、
隣接セルに設置された隣接セル中継局から、前記隣接セル中継局に割り当てられる無線リソースに関する隣接セルリソース情報を受信する受信手段と、
前記受信手段によって受信された隣接セルリソース情報が示す無線リソースとは異なる無線リソースを優先的に用いて前記移動局と無線通信を行う通信手段と、
を備えることを特徴とする中継局。
【請求項６】
自局と前記移動局との間の無線経路に無線リソースの割り当てを要求する要求情報として、前記隣接セルリソース情報が示す無線リソースとは異なる無線リソースを優先的に用いて決定する決定手段と、
前記決定手段によって決定された要求情報を前記基地局へ送信する送信手段と、
前記送信手段によって送信された要求情報に応じて前記基地局によって割り当てられた無線リソースを示す割当情報を受信する第二受信手段と、
前記第二受信手段によって受信された割当情報が示す無線リソースによって前記移動局と無線通信を行う前記通信手段と、
を備えることを特徴とする請求項５に記載の中継局。
【請求項７】
前記自局と前記移動局との間の無線経路における通信品質を取得する取得手段を備え、
前記決定手段は、前記隣接セルリソース情報が示す無線リソースとは異なる無線リソースの中から、前記取得手段によって取得された通信品質に基づいて前記要求情報を決定することを特徴とする請求項６に記載の中継局。
【請求項８】
前記受信手段は、前記隣接セル中継局が前記隣接セルの基地局に無線リソースの割り当てを要求するための要求情報を前記隣接セルリソース情報として受信することを特徴とする請求項５〜７のいずれか一つに記載の中継局。
【請求項９】
前記受信手段は、前記隣接セルの基地局が前記隣接セル中継局に割り当てた無線リソースを示す割当情報を前記隣接セルリソース情報として受信することを特徴とする請求項５〜７のいずれか一つに記載の中継局。
【請求項１０】
所定セルに設置された中継局の中継により前記所定セル内の移動局との間で無線通信を行う基地局と、前記所定セルの隣接セルに設置された隣接セル中継局と、を含む通信システムであって、
自局に割り当てられる無線リソースを示す隣接セルリソース情報を前記基地局へ送信する隣接セル中継局と、
前記隣接セル中継局によって送信された隣接セルリソース情報が示す無線リソースとは異なる無線リソースを優先的に前記中継局と前記移動局との間の無線経路に割り当てる基地局と、
を含むことを特徴とする通信システム。
【請求項１１】
所定セルに設置され、前記所定セル内の基地局と移動局との間の無線通信を中継する中継局と、前記所定セルの隣接セルに設置された隣接セル中継局と、を含む通信システムであって、
自局に割り当てられる無線リソースを示す隣接セルリソース情報を前記中継局へ送信する隣接セル中継局と、
前記隣接セル中継局によって送信された隣接セルリソース情報が示す無線リソースとは異なる無線リソースを優先的に用いて前記移動局と無線通信を行う中継局と、
を含むことを特徴とする通信システム。
【請求項１２】
自セルに設置された中継局の中継により前記自セル内の移動局との間で無線通信を行う基地局の通信方法であって、
隣接セルに設置された隣接セル中継局から、前記隣接セル中継局に割り当てられる無線リソースに関する隣接セルリソース情報を受信する受信工程と、
前記受信された隣接セルリソース情報が示す無線リソースとは異なる無線リソースを優先的に前記中継局と前記移動局との間の無線経路に割り当てる割当工程と、
を含むことを特徴とする通信方法。
【請求項１３】
自セルに設置され、前記自セル内の基地局と移動局との間の無線通信を中継する中継局の通信方法であって、
隣接セルに設置された隣接セル中継局から、前記隣接セル中継局に割り当てられる無線リソースに関する隣接セルリソース情報を受信する受信工程と、
前記受信工程によって受信された隣接セルリソース情報が示す無線リソースとは異なる無線リソースを優先的に用いて前記移動局と無線通信を行う通信工程と、
を含むことを特徴とする通信方法。
【請求項１４】
所定セルに設置された中継局の中継により前記所定セル内の移動局との間で無線通信を行う基地局と、前記所定セルの隣接セルに設置された隣接セル中継局と、を含む通信システムの通信方法であって、
前記隣接セル中継局が、自局に割り当てられる無線リソースを示す隣接セルリソース情報を前記基地局へ送信する送信工程と、
前記基地局が、前記送信工程によって送信された隣接セルリソース情報が示す無線リソースとは異なる無線リソースを優先的に前記中継局と前記移動局との間の無線経路に割り当てる割当工程と、
を含むことを特徴とする通信方法。
【請求項１５】
所定セルに設置され、前記所定セル内の基地局と移動局との間の無線通信を中継する中継局と、前記所定セルの隣接セルに設置された隣接セル中継局と、を含む通信システムの通信方法であって、
前記隣接セル中継局が、自局に割り当てられる無線リソースを示す隣接セルリソース情報を前記中継局へ送信する送信工程と、
前記中継局が、前記送信工程によって送信された隣接セルリソース情報が示す無線リソースとは異なる無線リソースを優先的に用いて前記移動局と無線通信を行う通信工程と、
を含むことを特徴とする通信システム。
【発明の詳細な説明】
【技術分野】
【０００１】
この発明は、無線通信を行う基地局、中継局、通信システムおよび通信方法に関する。
【背景技術】
【０００２】
高いスループットを広いエリアで実現するための技術として、無線中継（リレー）に関する検討が盛んに行われている。たとえば、ＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ：電気電子学会）では、Ｍｕｌｔｉ−ｈｏｐ  Ｒｅｌａｙに関する検討が進められている。【０００３】
また、３ＧＰＰ（３ｒｄ  Ｇｅｎｅｒａｔｉｏｎ  Ｐａｒｔｎｅｒｓｈｉｐ  Ｐｒｏｊｅｃｔ）では、ＬＴＥ−Ａｄｖａｎｃｅｄに向けた標準化作業において、Ｒｅｌａｙｉｎｇ  Ｆｕｎｃｔｉｏｎａｌｉｔｙに関する検討が進められている。また、１つの中継局が複数の基地局の信号を中継する際に、スロットの衝突が生じないようにスケジューリングを行う技術が開示されている（たとえば、下記特許文献１参照。）。
【先行技術文献】
【特許文献】
【０００４】
【特許文献１】特開２００８−６０８６８号公報
【発明の概要】
【発明が解決しようとする課題】
【０００５】
しかしながら、上述した従来技術では、セルの境界付近に異なるセルの各中継局が存在する場合に、各中継局が行う無線通信が互いに干渉し、スループットが低下するという問題がある。たとえば、ダウンリンクにおいて、移動局は、隣接セルの基地局からの干渉および隣接セルの中継局からの干渉を受けることがある。【０００６】
また、アップリンクにおいては、中継局または基地局は、隣接セルの移動局からの干渉および隣接セルの中継局からの干渉を受けることがある。このため、セルの境界付近に設けられた中継局の中継において、高い伝送速度の無線通信を提供することが困難である。また、上記特許文献１には、異なる中継局がそれぞれ異なる基地局の信号を中継する通信システムにおけるセルの境界付近の干渉を制御する方法については開示されていない。【０００７】
開示の基地局、中継局、通信システムおよび通信方法は、上述した問題点を解消するものであり、セルの境界付近のスループットを向上させることを目的とする。
【課題を解決するための手段】
【０００８】
上述した課題を解決し、目的を達成するため、この基地局は、自セルに設置された中継局の中継により前記自セル内の移動局との間で無線通信を行う基地局であって、隣接セルに設置された隣接セル中継局から、前記隣接セル中継局に割り当てられる無線リソースに関する隣接セルリソース情報を受信する受信手段と、前記受信手段によって受信された隣接セルリソース情報が示す無線リソースとは異なる無線リソースを優先的に前記中継局と前記移動局との間の無線経路に割り当てる割当手段と、を備える。【０００９】
上記構成によれば、隣接セル中継局による無線通信の干渉を受ける可能性が低い無線リソースを、セルの境界付近の中継局の無線経路に割り当てることができる。
【発明の効果】
【００１０】
開示の基地局、中継局、通信システムおよび通信方法によれば、セルの境界付近のスループットを向上させることができるという効果を奏する。
【図面の簡単な説明】
【００１１】
【図１】図１は、実施の形態１にかかる通信システムの構成を示す図である。
【図２】図２は、図１に示した通信システムにおける無線リソースの一例を示す図である。
【図３】図３は、図１に示した基地局の構成を示すブロック図である。
【図４】図４は、図１に示した中継局の構成を示すブロック図である。
【図５】図５は、図１に示した移動局の構成を示すブロック図である。
【図６】図６は、図１に示した通信システムのダウンリンクの動作例を示すシーケンス図である。
【図７】図７は、図１に示した通信システムのアップリンクの動作例を示すシーケンス図である。
【図８】図８は、中継局と各移動局との間の無線経路におけるＳＩＲの具体例を示す図である。
【図９】図９は、中継局が送信する要求情報の具体例を示す図である。
【図１０】図１０は、中継局が送信する要求情報の他の例を示す図である。
【図１１】図１１は、基地局による無線リソースの割り当ての具体例を示す図である。
【図１２】図１２は、図６に示したダウンリンクの動作の他の例を示すシーケンス図である。
【図１３】図１３は、図７に示したアップリンクの動作の他の例を示すシーケンス図である。
【図１４】図１４は、実施の形態２にかかる通信システムの構成を示す図である。
【図１５】図１５は、図１４に示した基地局の構成を示すブロック図である。
【図１６】図１６は、図１４に示した中継局の構成を示すブロック図である。
【図１７】図１７は、図１４に示した通信システムのダウンリンクの動作例を示すシーケンス図である。
【図１８】図１８は、図１４に示した通信システムのアップリンクの動作例を示すシーケンス図である。
【図１９】図１９は、中継局による要求無線リソースの決定の具体例を示す図である。
【図２０】図２０は、図１７に示したダウンリンクの動作の他の例を示すシーケンス図である。
【図２１】図２１は、図１８に示したアップリンクの動作の他の例を示すシーケンス図である。
【発明を実施するための形態】
【００１２】
以下に添付図面を参照して、この基地局、中継局、通信システムおよび通信方法の好適な実施の形態を詳細に説明する。
【００１３】
（実施の形態１）
図１は、実施の形態１にかかる通信システムの構成を示す図である。図１に示すように、実施の形態１にかかる通信システム１００は、基地局１１１（ＢＳ１：Ｂａｓｅ  Ｓｔａｔｉｏｎ）と、基地局１１２（ＢＳ２）と、中継局１２１（ＲＮ１：Ｒｅｌａｙ  Ｎｏｄｅ）と、中継局１２２（ＲＮ２）と、移動局１３１〜１３３（ＭＳ１〜ＭＳ３：Ｍｏｂｉｌｅ  Ｓｔａｔｉｏｎ）と、を含んでいる。
【００１４】
基地局１１１は、コアネットワーク１０１と接続されており、セル１１１ａ（所定セル）内の通信装置とコアネットワーク１０１との間の通信を管理する。たとえば、基地局１１１は、セル１１１ａ（自セル）におけるセル１１２ａ（隣接セル）との境界付近（セル境界地域、セル端ともいう）に設置された中継局１２１の中継により、セル１１１ａ内の中継局１２１の周囲に位置する各移動局との間で無線通信を行う。また、図示しないが、セル１１１ａには中継局１２１の他にも中継局が設けられていてもよい。基地局１１１は、セル１１１ａ内の各中継局の中継により、各中継局の周囲に位置する各移動局との間で無線通信を行う。
【００１５】
基地局１１２は、コアネットワーク１０２と接続されており、セル１１１ａと隣接するセル１１２ａ内の通信装置とコアネットワーク１０２との間の通信を管理する。ここで、コアネットワーク１０１とコアネットワーク１０２は同じであってもよい。具体的には、セル１１２ａ（自セル）におけるセル１１１ａ（隣接セル）との境界付近に設置された中継局１２２の中継により、セル１１２ａ内の各移動局との間で無線通信を行う。また、図示しないが、セル１１２ａには中継局１２２の他にも中継局が設けられていてもよい。基地局１１２は、セル１１２ａ内の各中継局の中継により、各中継局の周囲に位置する各移動局との間で無線通信を行う。
【００１６】
中継局１２１は、基地局１１１と、移動局１３１，１３２と、の間の通信を中継する。中継局１２１は、中継局１２１と移動局１３１との間の無線経路Ｌ１と、中継局１２１と移動局１３２との間の無線経路Ｌ２と、の各無線経路に対する無線リソースを要求する要求情報（符号１４１）を基地局１１１へ送信する。
【００１７】
また、中継局１２１は、基地局１１１へ送信した要求情報（符号１４１）を、基地局１１２に対しても送信する（符号１５１）。また、中継局１２１は、基地局１１１へ送信した要求情報に対して基地局１１１から送信された割当情報（符号１６１）が示す無線リソースによって、移動局１３１，１３２との間でそれぞれ無線通信を行う。
【００１８】
中継局１２２は、基地局１１２と、移動局１３３と、の間の通信を中継する。中継局１２２は、中継局１２２と移動局１３３との間の無線経路Ｌ３に対する無線リソースを要求する要求情報（符号１４２）を基地局１１２へ送信する。また、中継局１２２は、基地局１１２へ送信した要求情報を基地局１１１に対しても送信する（符号１５２）。また、中継局１２２は、基地局１１２へ送信した要求情報に対して基地局１１２から送信された割当情報（符号１６２）が示す無線リソースにより移動局１３３との間で無線通信を行う。
【００１９】
移動局１３１および移動局１３２のそれぞれは、中継局１２１の周囲に位置しており、中継局１２１の中継によって基地局１１１との間で無線通信を行う。移動局１３３は、中継局１２２の周囲に位置しており、中継局１２２の中継によって基地局１１２との間で無線通信を行う。このため、中継局１２１と中継局１２２とで使用する無線リソースが重なると、中継局１２１と移動局１３１，１３２との無線通信と、中継局１２２と移動局１３３との無線通信は、お互いの干渉による影響を受ける。
【００２０】
基地局１１１は、中継局１２２（隣接セル中継局）から送信された要求情報（符号１５２）を受信する。要求情報（符号１５２）は、中継局１２２に割り当てられる無線リソースの候補を示している。基地局１１１は、要求情報（符号１５２）が示す無線リソースとは異なる無線リソースを優先的に無線経路Ｌ１および無線経路Ｌ２に割り当て、割り当てた無線リソースを示す割当情報（符号１６１）を中継局１２１へ送信する。
【００２１】
たとえば、基地局１１１は、要求情報（符号１４１）が示す無線リソースのうちの、要求情報（符号１５２）が示す無線リソースとは異なる無線リソースを無線経路Ｌ１および無線経路Ｌ２に割り当てる。これにより、中継局１２１によって要求された無線リソースから、中継局１２２に割り当てられる無線リソースとは異なる無線リソースを選択して中継局１２１に割り当てることができる。
【００２２】
または、基地局１１１は、各無線リソースについての他の条件が同じ場合に、要求情報（符号１５２）が示す無線リソースとは異なる無線リソースを無線経路Ｌ１および無線経路Ｌ２に割り当ててもよい。この場合の他の条件としては、たとえば、ＳＩＲ（Ｓｉｇｎａｌ  ｔｏ  Ｉｎｔｅｒｆｅｒｅｎｃｅ  Ｒａｔｉｏ）などの通信品質が挙げられる。
【００２３】
または、基地局１１１は、要求情報（符号１５２）が示す無線リソースとは異なる無線リソースのうちの他の条件を満たす無線リソースを無線経路Ｌ１および無線経路Ｌ２に割り当てるようにしてもよい。この場合の他の条件としては、たとえば、セル１１１ａ内の他の中継局に対して割り当てていない（または割り当てる予定がない）無線リソースであることや、通信品質が閾値以上の無線リソースであることが挙げられる。
【００２４】
基地局１１２は、中継局１２１（隣接セル中継局）から送信された要求情報（符号１５１）を受信する。要求情報（符号１５１）は、中継局１２１に割り当てられる無線リソースの候補を示している。基地局１１２は、要求情報（符号１５１）が示す無線リソースとは異なる無線リソースを優先的に無線経路Ｌ３に割り当て、割り当てた無線リソースを示す割当情報（符号１６２）を中継局１２２へ送信する。
【００２５】
（無線リソースの例）
図２は、図１に示した通信システムにおける無線リソースの一例を示す図である。図２に示す横軸は周波数を示している。無線リソース２１０は、通信システム１００（図１参照）において使用される周波数帯域を示している。ここでは、無線リソース２１０を無線リソース＃１〜＃１０に分割する場合について説明する。無線リソース＃１〜＃１０は、通信システム１００の各無線区間に対して割り当てられる。図２では、無線リソースを周波数領域の例で説明したが、無線リソースは時間領域の単位であってもよいし、周波数領域と時間領域の組合せであってもよい。
【００２６】
基地局１１１および基地局１１２は、それぞれの自セル内の各無線経路の間で干渉しないように無線リソース＃１〜＃１０を割り当てる。これにより、各無線経路に必要最小限の無線リソースを割り当てることができるため、周波数の利用効率を高くすることができる。ただし、基地局１１１および基地局１１２は、セル１１１ａとセル１１２ａとの境界付近に位置する中継局１２１および中継局１２２に対しては、セル１１１ａとセル１１２ａとの間で互いに干渉しないように調整を行いながら無線リソースを割り当てる。
【００２７】
（実施の形態１にかかる基地局の構成）
図３は、図１に示した基地局の構成を示すブロック図である。図３に示すように、基地局１１１（図１参照）は、受信アンテナ３０１と、受信器３０２と、分離部３０３と、自セル制御ＣＨ復号部３０４と、ＤＬスケジューラ３０５と、制御ＣＨ生成部３０６と、ＩＰ受信部３０７と、ＤＬバッファ３０８と、データＣＨ生成部３０９と、パイロット生成部３１０と、多重部３１１と、送信器３１２と、送信アンテナ３１３と、他セル制御ＣＨ復号部３１９と、を備えている。
【００２８】
また、基地局１１１は、ＳＩＲ測定部３１４と、ＵＬスケジューラ３１５と、データＣＨ復号部３１６と、ＵＬバッファ３１７と、ＩＰ送信部３１８と、を備えている。受信アンテナ３０１および受信器３０２は、セル１１２ａ（隣接セル）におけるセル１１１ａ（自セル）との境界付近の中継局１２２（隣接セル中継局）から、中継局１２２に割り当てられる無線リソースを示す隣接セルリソース情報を受信する受信手段である。
【００２９】
また、ＤＬスケジューラ３０５およびＵＬスケジューラ３１５は、隣接セルリソース情報が示す無線リソースとは異なる無線リソースを、中継局１２１と移動局１３１，１３２との間の無線経路（図１の無線経路Ｌ１，Ｌ２）に優先的に割り当てる割当手段である。ＤＬスケジューラ３０５およびＵＬスケジューラ３１５は、たとえば、ＣＰＵ（Ｃｅｎｔｒａｌ  Ｐｒｏｃｅｓｓｉｎｇ  Ｕｎｉｔ）などの演算手段によって実現される。
【００３０】
（実施の形態１にかかる基地局のダウンリンクに関する処理）
まず、基地局１１１における、コアネットワーク１０１からの各データを移動局１３１および移動局１３２へ転送するダウンリンク（ＤＬ）に関する処理について説明する。ただし、基地局１１２における、コアネットワーク１０２からのデータを移動局１３３へ転送するダウンリンクに関する処理についても同様である。
【００３１】
受信器３０２は、ＣＱＩ（ＢＳ１−ＲＮ１）（Ｃｈａｎｎｅｌ  Ｑｕａｌｉｔｙ  Ｉｎｄｉｃａｔｏｒ：品質情報）および要求情報（ＲＮ１−ＭＳ）を、受信アンテナ３０１を介して受信する。ＣＱＩ（ＢＳ１−ＲＮ１）は、基地局１１１と中継局１２１との間のＳＩＲを示している。要求情報（ＲＮ１−ＭＳ）は、中継局１２１と移動局１３１，１３２との間の無線経路について基地局１１１に要求する無線リソースを示している。
【００３２】
受信器３０２は、受信したＣＱＩ（ＢＳ１−ＲＮ１）および要求情報（ＲＮ１−ＭＳ）を分離部３０３へ出力する。また、受信器３０２は、セル１１２ａの中継局１２２から送信された隣接セルリソース情報を、受信アンテナ３０１を介して受信する。隣接セルリソース情報は、セル１１２ａにおいて中継局１２２に割り当てられる無線リソースを示している。
【００３３】
受信器３０２は、受信した隣接セルリソース情報を分離部３０３へ出力する。分離部３０３は、受信器３０２から出力されたＣＱＩ（ＢＳ１−ＲＮ１）および要求情報（ＲＮ１−ＭＳ）を自セル制御ＣＨ復号部３０４へ出力する。また、分離部３０３は、受信器３０２から出力された隣接セルリソース情報を他セル制御ＣＨ復号部３１９へ出力する。
【００３４】
自セル制御ＣＨ復号部３０４は、分離部３０３から出力されたＣＱＩ（ＢＳ１−ＲＮ１）および要求情報（ＲＮ１−ＭＳ）を復号し、復号したＣＱＩ（ＢＳ１−ＲＮ１）および要求情報（ＲＮ１−ＭＳ）をＤＬスケジューラ３０５へ出力する。他セル制御ＣＨ復号部３１９は、分離部３０３から出力された隣接セルリソース情報を復号し、復号した隣接セルリソース情報をＤＬスケジューラ３０５へ出力する。
【００３５】
ＤＬスケジューラ３０５は、自セル制御ＣＨ復号部３０４から出力されたＣＱＩ（ＢＳ１−ＲＮ１）に基づいて、基地局１１１と中継局１２１との間の無線経路に無線リソースを割り当てる。また、ＤＬスケジューラ３０５は、自セル制御ＣＨ復号部３０４から出力された要求情報（ＲＮ１−ＭＳ）と、他セル制御ＣＨ復号部３１９から出力された隣接セルリソース情報と、に基づいて中継局１２１と移動局１３１，１３２との間の無線経路に無線リソースを割り当てる。
【００３６】
具体的には、ＤＬスケジューラ３０５は、要求情報（ＲＮ１−ＭＳ）が示す無線リソースのうちの、隣接セルリソース情報が示す無線リソースとは異なる無線リソースを優先的に、中継局１２１と移動局１３１，１３２との間の無線経路に割り当てる。また、ＤＬスケジューラ３０５は、ＣＱＩの他に、中継局１２１と移動局１３１，１３２のＩＤ情報や、移動局１３１，１３２の各トラヒック情報や各ＱｏＳ（Ｑｕａｌｉｔｙ  ｏｆ  Ｓｅｒｖｉｃｅ）情報などに基づいて無線リソースの割り当てを行ってもよい。
【００３７】
ＤＬスケジューラ３０５は、基地局１１１と中継局１２１との間の無線経路に割り当てた無線リソースを示す割当情報（ＢＳ１−ＲＮ１）を制御ＣＨ生成部３０６およびデータＣＨ生成部３０９へ出力する。また、ＤＬスケジューラ３０５は、中継局１２１と移動局１３１，１３２との間の無線経路に割り当てた無線リソースを示す割当情報（ＲＮ１−ＭＳ）を制御ＣＨ生成部３０６へ出力する。
【００３８】
制御ＣＨ生成部３０６は、ＤＬスケジューラ３０５から出力された各割当情報を制御ＣＨ（チャネル）に配置し、制御ＣＨに配置した各割当情報を多重部３１１へ出力する。制御ＣＨ生成部３０６から出力された割当情報（ＢＳ１−ＲＮ１）および割当情報（ＲＮ１−ＭＳ）は、送信器３１２によって中継局１２１へ送信される。
【００３９】
ＩＰ受信部３０７は、移動局１３１を宛先とするＤＬデータ（ＭＳ１）と、移動局１３２を宛先とするＤＬデータ（ＭＳ２）と、をコアネットワーク１０１から受信する。ＩＰ受信部３０７は、受信した各ＤＬデータをＤＬバッファ３０８へ出力する。ＤＬバッファ３０８は、ＩＰ受信部３０７から出力された各ＤＬデータを記憶する。
【００４０】
データＣＨ生成部３０９は、ＤＬスケジューラ３０５から出力された割当情報（ＢＳ１−ＲＮ１）が示す無線リソースに、ＤＬバッファ３０８に記憶された各ＤＬデータを配置する。データＣＨ生成部３０９は、無線リソースに配置した各ＤＬデータを多重部３１１へ出力する。これにより、ＤＬデータ（ＭＳ１）およびＤＬデータ（ＭＳ２）は、割当情報（ＢＳ１−ＲＮ１）が示す無線リソースを用いて中継局１２１へ送信される。
【００４１】
パイロット生成部３１０は、パイロット信号（ＢＳ１）を生成して多重部３１１へ出力する。多重部３１１は、制御ＣＨ生成部３０６から出力された各割当情報と、データＣＨ生成部３０９から出力されたＤＬデータ（ＭＳ１）およびＤＬデータ（ＭＳ２）と、パイロット信号生成部から出力されたパイロット信号（ＢＳ１）と、を多重化する。多重部３１１は、多重化した多重信号を送信器３１２へ出力する。
【００４２】
送信器３１２は、多重部３１１から出力された多重信号を、送信アンテナ３１３を介して送信する。送信器３１２によって送信された多重信号に含まれる割当情報（ＢＳ１−ＲＮ１）、割当情報（ＲＮ１−ＭＳ）、ＤＬデータ（ＭＳ１）、ＤＬデータ（ＭＳ２）およびパイロット信号（ＢＳ１）は、中継局１２１によって受信される。
【００４３】
（実施の形態１にかかる基地局のアップリンクに関する処理）
つぎに、基地局１１１における、移動局１３１，１３２からのデータをコアネットワーク１０１へ転送するアップリンク（ＵＬ）に関する処理について説明する。ただし、基地局１１２における、移動局１３３からのデータをコアネットワーク１０２へ転送するアップリンクに関する処理についても同様である。
【００４４】
受信器３０２は、中継局１２１から送信されたパイロット信号（ＲＮ１）および要求情報（ＲＮ１−ＭＳ）を、受信アンテナ３０１を介して受信する。また、受信器３０２は、中継局１２１から送信されたＵＬデータ（ＭＳ１）およびＵＬデータ（ＭＳ２）を、受信アンテナ３０１を介して受信する。ＵＬデータ（ＭＳ１）は、コアネットワーク１０１を宛先として移動局１３１から送信されたデータである。ＵＬデータ（ＭＳ２）は、コアネットワーク１０１を宛先として移動局１３２から送信されたデータである。
【００４５】
受信器３０２は、受信したパイロット信号（ＲＮ１）、要求情報（ＲＮ１−ＭＳ）、ＵＬデータ（ＭＳ１）およびＵＬデータ（ＭＳ２）を分離部３０３へ出力する。また、受信器３０２は、中継局１２２から送信された隣接セルリソース情報を、受信アンテナ３０１を介して受信する。受信器３０２は、受信した隣接セルリソース情報を分離部３０３へ出力する。
【００４６】
分離部３０３は、受信器３０２から出力されたパイロット信号（ＲＮ１）をＳＩＲ測定部３１４へ出力する。また、分離部３０３は、受信器３０２から出力された要求情報（ＲＮ１−ＭＳ）を自セル制御ＣＨ復号部３０４へ出力する。また、分離部３０３は、受信器３０２から出力された隣接セルリソース情報を他セル制御ＣＨ復号部３１９へ出力する。また、分離部３０３は、受信器３０２から出力されたＵＬデータ（ＭＳ１）およびＵＬデータ（ＭＳ２）をデータＣＨ復号部３１６へ出力する。
【００４７】
ＳＩＲ測定部３１４は、分離部３０３から出力されたパイロット信号（ＲＮ１）に基づいて、基地局１１１と中継局１２１との間のＳＩＲ（ＢＳ１−ＲＮ１）を測定する。ＳＩＲ測定部３１４は、測定したＳＩＲ（ＢＳ１−ＲＮ１）を示すＣＱＩ（ＢＳ１−ＲＮ１）をＵＬスケジューラ３１５へ出力する。
【００４８】
自セル制御ＣＨ復号部３０４は、分離部３０３から出力された要求情報（ＲＮ１−ＭＳ）を復号し、復号した要求情報（ＲＮ１−ＭＳ）をＵＬスケジューラ３１５へ出力する。他セル制御ＣＨ復号部３１９は、分離部３０３から出力された隣接セルリソース情報を復号し、復号した隣接セルリソース情報をＵＬスケジューラ３１５へ出力する。
【００４９】
ＵＬスケジューラ３１５は、ＳＩＲ測定部３１４から出力されたＣＱＩ（ＢＳ１−ＲＮ１）に基づいて、基地局１１１と中継局１２１との間の無線経路に無線リソースを割り当てる。また、ＵＬスケジューラ３１５は、自セル制御ＣＨ復号部３０４から出力された要求情報（ＲＮ１−ＭＳ）と、他セル制御ＣＨ復号部３１９から出力された隣接セルリソース情報と、に基づいて中継局１２１と移動局１３１，１３２との間の無線経路に無線リソースを割り当てる。
【００５０】
具体的には、ＵＬスケジューラ３１５は、中継局１２１と移動局１３１，１３２との間の無線経路に、要求情報（ＲＮ１−ＭＳ）が示す無線リソースのうちの、隣接セルリソース情報が示す無線リソースとは異なる無線リソースを優先的に割り当てる。また、ＵＬスケジューラ３１５は、ＣＱＩの他に、中継局１２１と移動局１３１，１３２のＩＤ情報や、移動局１３１，１３２の各トラヒック情報や各ＱｏＳ情報などに基づいて無線リソースの割り当てを行ってもよい。
【００５１】
ＵＬスケジューラ３１５は、基地局１１１と中継局１２１との間の無線経路に割り当てた無線リソースを示す割当情報（ＢＳ１−ＲＮ１）を制御ＣＨ生成部３０６およびデータＣＨ生成部３０９へ出力する。また、ＵＬスケジューラ３１５は、中継局１２１と移動局１３１，１３２との間の無線経路に割り当てた無線リソースを示す割当情報（ＲＮ１−ＭＳ）を制御ＣＨ生成部３０６へ出力する。
【００５２】
制御ＣＨ生成部３０６は、ＵＬスケジューラ３１５から出力された各割当情報を制御ＣＨに配置する。制御ＣＨ生成部３０６は、制御ＣＨに配置した各割当情報を多重部３１１へ出力する。制御ＣＨ生成部３０６から出力された割当情報（ＢＳ１−ＲＮ１）および割当情報（ＲＮ１−ＭＳ）は、送信器３１２によって中継局１２１へ送信される。
【００５３】
データＣＨ復号部３１６は、分離部３０３から出力されたＵＬデータ（ＭＳ１）およびＵＬデータ（ＭＳ２）を復号し、復号した各ＵＬデータをＵＬバッファ３１７へ出力する。ＵＬバッファ３１７は、データＣＨ復号部３１６から出力された各ＵＬデータを記憶する。ＩＰ送信部３１８は、ＵＬバッファ３１７に記憶された各ＵＬデータを読み出し、読み出した各ＵＬデータをコアネットワーク１０１へ送信する。
【００５４】
（実施の形態１にかかる中継局の構成）
図４は、図１に示した中継局の構成を示すブロック図である。図４に示すように、中継局１２１（図１参照）は、受信アンテナ４０１と、受信器４０２と、分離部４０３と、自セル制御ＣＨ復号部４０４と、ＤＬスケジューラ４０５と、制御ＣＨ生成部４０６と、受信アンテナ４０７と、受信器４０８と、分離部４０９と、ＳＩＲ測定部４１０と、ＣＱＩ生成部４１１と、自セル制御ＣＨ生成部４１２と、多重部４１３と、送信器４１４と、送信アンテナ４１５と、制御ＣＨ復号部４１６と、を備えている。
【００５５】
また、中継局１２１は、データＣＨ復号部４１７と、データＣＨ生成部４１８と、パイロット生成部４１９と、多重部４２０と、送信器４２１と、送信アンテナ４２２と、ＳＩＲ測定部４２３と、ＵＬスケジューラ４２４と、データＣＨ復号部４２５と、データＣＨ生成部４２６と、パイロット生成部４２７と、他セル制御ＣＨ生成部４２８と、を備えている。ここでは中継局１２１について説明するが、中継局１２２についても同様である。
【００５６】
（実施の形態１にかかる中継局のダウンリンクに関する処理）
まず、中継局１２１における、基地局１１１からの各ＤＬデータを移動局１３１および移動局１３２へ転送するダウンリンクに関する処理について説明する。ただし、中継局１２２における、基地局１１２からのＤＬデータを移動局１３３へ転送するダウンリンクに関する処理についても同様である。
【００５７】
受信器４０２は、移動局１３１から送信された中継局１２１と移動局１３１との間のＣＱＩ（ＲＮ１−ＭＳ１）を、受信アンテナ４０１を介して受信する。また、受信器４０２は、移動局１３２から送信された中継局１２１と移動局１３２との間のＣＱＩ（ＲＮ１−ＭＳ２）を、受信アンテナ４０１を介して受信する。
【００５８】
受信器４０２は、受信した各ＣＱＩを分離部４０３へ出力する。分離部４０３は、受信器４０２から出力された各ＣＱＩを自セル制御ＣＨ復号部４０４へ出力する。自セル制御ＣＨ復号部４０４は、分離部４０３から出力された各ＣＱＩを復号し、復号した各ＣＱＩをＤＬスケジューラ４０５へ出力する。
【００５９】
ＤＬスケジューラ４０５は、自セル制御ＣＨ復号部４０４から出力されたＣＱＩ（ＲＮ１−ＭＳ１）およびＣＱＩ（ＲＮ１−ＭＳ２）に基づいて、中継局１２１と移動局１３１，１３２との間の無線経路について要求する要求無線リソースを決定する。たとえば、ＤＬスケジューラ４０５は、無線リソース＃１〜＃１０（図２参照）のうちの、各ＣＱＩが示す品質が比較的高い複数の無線リソースを要求無線リソースとして決定する。
【００６０】
ＤＬスケジューラ４０５は、決定した要求無線リソースを示す要求情報（ＲＮ１−ＭＳ）を、自セル制御ＣＨ生成部４１２および他セル制御ＣＨ生成部４２８へ出力する。また、ＤＬスケジューラ４０５は、要求情報（ＲＮ１−ＭＳ）を自セル制御ＣＨ生成部４１２へ出力したことにより基地局１１１から送信された割当情報（ＲＮ１−ＭＳ）を制御ＣＨ復号部４１６から取得する。ＤＬスケジューラ４０５は、取得した割当情報（ＲＮ１−ＭＳ）が示す無線リソースを、中継局１２１と移動局１３１との間の無線経路と、中継局１２１と移動局１３２との間の無線経路と、に割り当てる。
【００６１】
ＤＬスケジューラ４０５は、中継局１２１と移動局１３１との間の無線経路に割り当てた無線リソースを示す割当情報（ＲＮ１−ＭＳ１）を制御ＣＨ生成部４０６およびデータＣＨ生成部４１８へ出力する。また、ＤＬスケジューラ４０５は、中継局１２１と移動局１３２との間の無線経路に割り当てた無線リソースを示す割当情報（ＲＮ１−ＭＳ２）を制御ＣＨ生成部４０６およびデータＣＨ生成部４１８へ出力する。
【００６２】
制御ＣＨ生成部４０６は、ＤＬスケジューラ４０５から出力された各割当情報を制御ＣＨに配置し、制御ＣＨに配置した各割当情報を多重部４２０へ出力する。制御ＣＨ生成部４０６から出力された割当情報（ＲＮ１−ＭＳ１）は、送信器４２１によって移動局１３１へ送信される。制御ＣＨ生成部４０６から出力された割当情報（ＲＮ１−ＭＳ２）は、送信器４２１によって移動局１３２へ送信される。
【００６３】
受信器４０８は、基地局１１１から送信されたパイロット信号（ＢＳ１）、割当情報（ＲＮ１−ＭＳ）、ＤＬデータ（ＭＳ１）およびＤＬデータ（ＭＳ２）を、受信アンテナ４０７を介して受信する。受信器４０８は、受信したパイロット信号（ＢＳ１）、割当情報（ＲＮ１−ＭＳ）および各ＤＬデータを分離部４０９へ出力する。
【００６４】
分離部４０９は、受信器４０８から出力されたパイロット信号（ＢＳ１）をＳＩＲ測定部４１０へ出力する。また、分離部４０９は、受信器４０８から出力された割当情報（ＲＮ１−ＭＳ）を制御ＣＨ復号部４１６へ出力する。また、分離部４０９は、受信器４０８から出力された各ＤＬデータをデータＣＨ復号部４１７へ出力する。
【００６５】
ＳＩＲ測定部４１０は、分離部４０９から出力されたパイロット信号（ＢＳ１）に基づいて、基地局１１１と中継局１２１との間のＳＩＲ（ＢＳ１−ＲＮ１）を測定する。ＳＩＲ測定部４１０は、測定したＳＩＲ（ＢＳ１−ＲＮ１）をＣＱＩ生成部４１１へ通知する。ＣＱＩ生成部４１１は、ＳＩＲ測定部４１０から通知されたＳＩＲ（ＢＳ１−ＲＮ１）を示すＣＱＩ（ＢＳ１−ＲＮ１）を生成する。ＣＱＩ生成部４１１は、生成したＣＱＩ（ＢＳ１−ＲＮ１）を自セル制御ＣＨ生成部４１２へ出力する。
【００６６】
自セル制御ＣＨ生成部４１２は、ＤＬスケジューラ４０５から出力された要求情報（ＲＮ１−ＭＳ）と、ＣＱＩ生成部４１１から出力されたＣＱＩ（ＢＳ１−ＲＮ１）と、を制御ＣＨに配置する。自セル制御ＣＨ生成部４１２は、制御ＣＨに配置した要求情報（ＲＮ１−ＭＳ）およびＣＱＩ（ＢＳ１−ＲＮ１）を多重部４１３へ出力する。自セル制御ＣＨ生成部４１２から出力された要求情報（ＲＮ１−ＭＳ）およびＣＱＩ（ＢＳ１−ＲＮ１）は、送信器４１４によって基地局１１１へ送信される。
【００６７】
他セル制御ＣＨ生成部４２８は、ＤＬスケジューラ４０５から出力された要求情報（ＲＮ１−ＭＳ）を制御ＣＨに配置し、制御ＣＨに配置した要求情報（ＲＮ１−ＭＳ）を多重部４１３へ出力する。他セル制御ＣＨ生成部４２８から出力された要求情報（ＲＮ１−ＭＳ）は、送信器４１４によって基地局１１２へ送信される。
【００６８】
多重部４１３は、自セル制御ＣＨ生成部４１２から出力された要求情報（ＲＮ１−ＭＳ）およびＣＱＩ（ＢＳ１−ＲＮ１）を多重化する。多重部４１３は、多重化した多重信号を送信器４１４へ出力する。送信器４１４は、多重部４１３から出力された多重信号を、送信アンテナ４１５を介して基地局１１１へ送信する。
【００６９】
制御ＣＨ復号部４１６は、分離部４０９から出力された割当情報（ＲＮ１−ＭＳ）を復号し、復号した割当情報（ＲＮ１−ＭＳ）をＤＬスケジューラ４０５およびデータＣＨ復号部４１７へ出力する。データＣＨ復号部４１７は、分離部４０９から出力されたＤＬデータ（ＭＳ１）およびＤＬデータ（ＭＳ２）を、制御ＣＨ復号部４１６から出力された割当情報（ＲＮ１−ＭＳ）に基づいて復号する。
【００７０】
データＣＨ復号部４１７における復号には、データの送信先となる移動局１３１，１３２のＩＤ情報や、データＣＨのビット数などの情報を用いてもよい。これらの情報は、たとえばダウンリンクの制御ＣＨによって基地局１１１から通知される。データＣＨ復号部４１７は、復号した各ＤＬデータをデータＣＨ生成部４１８へ出力する。
【００７１】
データＣＨ生成部４１８は、ＤＬスケジューラ４０５から出力された割当情報（ＲＮ１−ＭＳ１）が示す無線リソースに、データＣＨ復号部４１７から出力されたＤＬデータ（ＭＳ１）を配置する。データＣＨ生成部４１８は、無線リソースに配置したＤＬデータ（ＭＳ１）を多重部４２０へ出力する。これにより、ＤＬデータ（ＭＳ１）は、割当情報（ＲＮ１−ＭＳ１）が示す無線リソースによって移動局１３１へ送信される。
【００７２】
また、データＣＨ生成部４１８は、ＤＬスケジューラ４０５から出力された割当情報（ＲＮ１−ＭＳ２）が示す無線リソースに、データＣＨ復号部４１７から出力されたＤＬデータ（ＭＳ２）を配置する。データＣＨ生成部４１８は、無線リソースに配置したＤＬデータ（ＭＳ２）を多重部４２０へ出力する。これにより、ＤＬデータ（ＭＳ２）は、割当情報（ＲＮ１−ＭＳ２）が示す無線リソースによって移動局１３２へ送信される。
【００７３】
パイロット生成部４１９は、パイロット信号（ＲＮ１）を生成して多重部４２０へ出力する。多重部４２０は、制御ＣＨ生成部４０６から出力された割当情報（ＲＮ１−ＭＳ１）および割当情報（ＲＮ１−ＭＳ２）と、データＣＨ生成部４１８から出力されたＤＬデータ（ＭＳ１）およびＤＬデータ（ＭＳ２）と、パイロット生成部４１９から出力されたパイロット信号（ＲＮ１）と、を多重化して送信器４２１へ出力する。
【００７４】
送信器４２１は、多重部４１３から出力された多重信号を、送信アンテナ４２２を介して移動局１３１へ送信する。送信器４２１によって送信された多重信号に含まれるパイロット信号（ＲＮ１）は、移動局１３１および移動局１３２によって受信される。また、送信器４２１によって送信された割当情報（ＲＮ１−ＭＳ１）およびＤＬデータ（ＭＳ１）は移動局１３１によって受信される。また、送信器４２１によって送信された割当情報（ＲＮ１−ＭＳ２）およびＤＬデータ（ＭＳ２）は移動局１３２によって受信される。
【００７５】
（実施の形態１にかかる中継局のアップリンクに関する処理）
つぎに、中継局１２１における、移動局１３１，１３２からの各ＵＬデータをコアネットワーク１０１へ転送するアップリンクに関する処理について説明する。ただし、中継局１２２における、移動局１３３からのＵＬデータをコアネットワーク１０２へ転送するアップリンクに関する処理についても同様である。
【００７６】
受信器４０２は、移動局１３１から送信されたパイロット信号（ＭＳ１）と、移動局１３２から送信されたパイロット信号（ＭＳ２）とを、受信アンテナ４０１を介して受信する。また、受信器４０２は、移動局１３１から送信されコアネットワーク１０１を宛先とするＵＬデータ（ＭＳ１）と、移動局１３２から送信されコアネットワーク１０１を宛先とするＵＬデータ（ＭＳ２）とを、受信アンテナ４０１を介して受信する。
【００７７】
受信器４０２は、受信した各パイロット信号および各ＵＬデータを分離部４０３へ出力する。分離部４０３は、受信器４０２から出力された各パイロット信号をＳＩＲ測定部４２３へ出力する。また、分離部４０３は、受信器４０２から出力された各ＵＬデータをデータＣＨ復号部４２５へ出力する。
【００７８】
ＳＩＲ測定部４２３は、分離部４０３から出力されたパイロット信号（ＭＳ１）に基づいて中継局１２１と移動局１３１との間のＳＩＲ（ＲＮ１−ＭＳ１）を測定する。ＳＩＲ測定部４２３は、測定したＳＩＲ（ＲＮ１−ＭＳ１）を示すＣＱＩ（ＲＮ１−ＭＳ１）をＵＬスケジューラ４２４へ出力する。また、ＳＩＲ測定部４２３は、分離部４０３から出力されたパイロット信号（ＭＳ２）に基づいて中継局１２１と移動局１３２との間のＳＩＲ（ＲＮ１−ＭＳ２）を測定する。ＳＩＲ測定部４２３は、測定したＳＩＲ（ＲＮ１−ＭＳ２）を示すＣＱＩ（ＲＮ１−ＭＳ２）をＵＬスケジューラ４２４へ出力する。
【００７９】
受信器４０８は、基地局１１１から送信された割当情報（ＢＳ１−ＲＮ１）および割当情報（ＲＮ１−ＭＳ）を、受信アンテナ４０７を介して受信する。受信器４０８は、受信した各割当情報を分離部４０９へ出力する。分離部４０９は、受信器４０８から出力された各割当情報を制御ＣＨ復号部４１６へ出力する。制御ＣＨ復号部４１６は、分離部４０９から出力された各割当情報を復号する。制御ＣＨ復号部４１６は、復号した各割当情報をＵＬスケジューラ４２４へ出力する。
【００８０】
ＵＬスケジューラ４２４は、ＳＩＲ測定部４２３から出力されたＣＱＩ（ＲＮ１−ＭＳ１）およびＣＱＩ（ＲＮ１−ＭＳ２）に基づいて、中継局１２１と移動局１３１，１３２との間の無線経路について基地局１１１に要求する要求無線リソースを決定する。たとえば、ＵＬスケジューラ４２４は、無線リソース＃１〜＃１０（図２参照）のうちの、各ＣＱＩが示す品質が比較的高い複数の無線リソースを要求無線リソースとして決定する。
【００８１】
ＵＬスケジューラ４２４は、決定した要求無線リソースを示す要求情報（ＲＮ１−ＭＳ）を、自セル制御ＣＨ生成部４１２および他セル制御ＣＨ生成部４２８へ出力する。また、ＵＬスケジューラ４２４は、要求情報（ＲＮ１−ＭＳ）を自セル制御ＣＨ生成部４１２へ出力したことにより基地局１１１から送信された割当情報（ＲＮ１−ＭＳ）を制御ＣＨ復号部４１６から取得する。ＵＬスケジューラ４２４は、取得した割当情報（ＲＮ１−ＭＳ）が示す無線リソースを、中継局１２１と移動局１３１との間の無線経路と、中継局１２１と移動局１３２との間の無線経路と、に割り当てる。
【００８２】
ＵＬスケジューラ４２４は、中継局１２１と移動局１３１との間の無線経路に割り当てた無線リソースを示す割当情報（ＲＮ１−ＭＳ１）を制御ＣＨ生成部４０６およびデータＣＨ復号部４２５へ出力する。また、ＵＬスケジューラ４２４は、中継局１２１と移動局１３２との間の無線経路に割り当てた無線リソースを示す割当情報（ＲＮ１−ＭＳ２）を制御ＣＨ生成部４０６およびデータＣＨ復号部４２５へ出力する。また、ＵＬスケジューラ４２４は、制御ＣＨ復号部４１６から出力された割当情報（ＢＳ１−ＲＮ１）をデータＣＨ生成部４２６へ出力する。
【００８３】
自セル制御ＣＨ生成部４１２は、ＵＬスケジューラ４２４から出力された要求情報（ＲＮ１−ＭＳ）を制御ＣＨに配置し、制御ＣＨに配置した要求情報（ＲＮ１−ＭＳ）を多重部４１３へ出力する。自セル制御ＣＨ生成部４１２から出力された要求情報（ＲＮ１−ＭＳ）は、送信器４１４および送信アンテナ４１５によって基地局１１１へ送信される。
【００８４】
他セル制御ＣＨ生成部４２８は、ＵＬスケジューラ４２４から出力された要求情報（ＲＮ１−ＭＳ）を制御ＣＨに配置し、制御ＣＨに配置した要求情報（ＲＮ１−ＭＳ）を多重部４１３へ出力する。他セル制御ＣＨ生成部４２８から出力された要求情報（ＲＮ１−ＭＳ）は、送信器４１４によって基地局１１２へ送信される。
【００８５】
制御ＣＨ生成部４０６は、ＵＬスケジューラ４２４から出力された各割当情報を制御ＣＨに配置し、配置した各割当情報を多重部４２０へ出力する。制御ＣＨ生成部４０６から出力された割当情報（ＲＮ１−ＭＳ１）は、送信器４２１によって移動局１３１へ送信される。また、制御ＣＨ生成部４０６から出力された割当情報（ＲＮ１−ＭＳ２）は、送信器４２１によって移動局１３２へ送信される。
【００８６】
データＣＨ復号部４２５は、ＵＬスケジューラ４２４から出力された割当情報（ＲＮ１−ＭＳ１）に基づいて、分離部４０３から出力されたＵＬデータ（ＭＳ１）およびＵＬデータ（ＭＳ２）を復号する。データＣＨ復号部４２５は、復号した各ＵＬデータをデータＣＨ生成部４２６へ出力する。
【００８７】
データＣＨ生成部４２６は、データＣＨ復号部４２５から出力された各ＵＬデータを、ＵＬスケジューラ４２４から出力された割当情報（ＢＳ１−ＲＮ１）が示す無線リソースに割り当てる。データＣＨ生成部４２６は、データＣＨに配置した各ＵＬデータを多重部４１３へ出力する。データＣＨ生成部４２６から出力された各ＵＬデータは、送信器４１４によって基地局１１１へ送信される。
【００８８】
（実施の形態１にかかる移動局の構成）
図５は、図１に示した移動局の構成を示すブロック図である。図５に示すように、移動局１３１（図１参照）は、受信アンテナ５０１と、受信器５０２と、分離部５０３と、ＳＩＲ測定部５０４と、ＣＱＩ生成部５０５と、制御ＣＨ生成部５０６と、多重部５０７と、送信器５０８と、送信アンテナ５０９と、制御ＣＨ復号部５１０と、データＣＨ復号部５１１と、ＤＬバッファ５１２と、データ処理部５１３と、を備えている。
【００８９】
また、移動局１３１は、パイロット生成部５１４と、ＵＬバッファ５１５と、データＣＨ生成部５１６と、を備えている。ここでは移動局１３１の構成について説明するが、移動局１３２，１３３の各構成についても同様である。
【００９０】
（実施の形態１にかかる移動局のダウンリンクに関する処理）
まず、移動局１３１における、コアネットワーク１０１からのデータを受信するダウンリンクに関する処理について説明する。ただし、移動局１３２におけるコアネットワーク１０１からのデータを受信するダウンリンクに関する処理と、移動局１３３におけるコアネットワーク１０２からのデータを受信するダウンリンクに関する処理と、についても同様である。
【００９１】
受信器５０２は、中継局１２１から送信された、パイロット信号（ＲＮ１）、割当情報（ＲＮ１−ＭＳ１）およびＤＬデータ（ＭＳ１）を、受信アンテナ５０１を介して受信する。受信器５０２は、受信したパイロット信号（ＲＮ１）、割当情報（ＲＮ１−ＭＳ１）およびＤＬデータ（ＭＳ１）を分離部５０３へ出力する。
【００９２】
分離部５０３は、受信器５０２から出力されたパイロット信号（ＲＮ１）をＳＩＲ測定部５０４へ出力する。また、分離部５０３は、受信器５０２から出力された割当情報（ＲＮ１−ＭＳ１）を制御ＣＨ復号部５１０へ出力する。また、分離部５０３は、受信器５０２から出力されたＤＬデータ（ＭＳ１）をデータＣＨ復号部５１１へ出力する。
【００９３】
ＳＩＲ測定部５０４は、分離部５０３から出力されたパイロット信号（ＲＮ１）に基づいて、中継局１２１と移動局１３１との間の無線経路におけるＳＩＲ（ＲＮ１−ＭＳ１）を測定する。ＳＩＲ測定部５０４は、測定したＳＩＲ（ＲＮ１−ＭＳ１）をＣＱＩ生成部５０５へ通知する。ＣＱＩ生成部５０５は、ＳＩＲ測定部５０４から通知されたＳＩＲ（ＲＮ１−ＭＳ１）を示すＣＱＩ（ＲＮ１−ＭＳ１）を制御ＣＨ生成部５０６へ出力する。
【００９４】
制御ＣＨ生成部５０６は、ＣＱＩ生成部５０５から出力されたＣＱＩ（ＲＮ１−ＭＳ１）を制御ＣＨに配置し、制御ＣＨに配置したＣＱＩ（ＲＮ１−ＭＳ１）を多重部５０７へ出力する。制御ＣＨ生成部５０６から出力されたＣＱＩ（ＲＮ１−ＭＳ１）は、送信器５０８によって中継局１２１へ送信される。
【００９５】
多重部５０７は、制御ＣＨ生成部５０６から出力されたＣＱＩ（ＲＮ１−ＭＳ１）と、データＣＨ生成部５１６から出力されたＵＬデータ（ＭＳ１）と、パイロット生成部５１４から出力されたパイロット信号（ＭＳ１）と、を多重化する。多重部５０７は、多重化した多重信号を送信器５０８へ出力する。送信器５０８は、多重部５０７から出力された多重信号を、送信アンテナ５０９を介して中継局１２１へ送信する。
【００９６】
制御ＣＨ復号部５１０は、分離部５０３から出力された割当情報（ＲＮ１−ＭＳ１）を復号し、復号した割当情報（ＲＮ１−ＭＳ１）をデータＣＨ復号部５１１へ出力する。データＣＨ復号部５１１は、制御ＣＨ復号部５１０から出力された割当情報（ＲＮ１−ＭＳ１）に基づいて、分離部５０３から出力されたＤＬデータ（ＭＳ１）を復号する。データＣＨ復号部５１１は、復号したＤＬデータ（ＭＳ１）をＤＬバッファ５１２へ出力する。
【００９７】
ＤＬバッファ５１２は、データＣＨ復号部５１１から出力されたＤＬデータ（ＭＳ１）を記憶する。データ処理部５１３は、ＤＬバッファ５１２に記憶されたＤＬデータ（ＭＳ１）を読み出し、読み出したＤＬデータ（ＭＳ１）の各種処理を行う。
【００９８】
（実施の形態１にかかる移動局のアップリンクに関する処理）
つぎに、移動局１３１における、コアネットワーク１０１へデータを送信するアップリンクに関する処理について説明する。ただし、移動局１３２におけるコアネットワーク１０１へデータを送信するアップリンクに関する処理と、移動局１３３におけるコアネットワーク１０２へデータを送信するアップリンクに関する処理と、についても同様である。パイロット生成部５１４は、パイロット信号（ＭＳ１）を生成して多重部５０７へ出力する。
【００９９】
データ処理部５１３は、コアネットワーク１０１を宛先とするＵＬデータ（ＭＳ１）を生成し、生成したＵＬデータ（ＭＳ１）をＵＬバッファ５１５へ出力する。ＵＬバッファ５１５は、データ処理部５１３から出力されたＵＬデータ（ＭＳ１）を記憶する。制御ＣＨ復号部５１０は、割当情報（ＲＮ１−ＭＳ１）をデータＣＨ生成部５１６へ出力する。
【０１００】
データＣＨ生成部５１６は、ＵＬバッファ５１５に記憶されたＵＬデータ（ＭＳ１）を、制御ＣＨ復号部５１０から出力された割当情報（ＲＮ１−ＭＳ１）が示す無線リソースに配置する。データＣＨ生成部５１６は、無線リソースに配置したＵＬデータ（ＭＳ１）を多重部５０７へ出力する。データＣＨ生成部５１６から出力されたＵＬデータ（ＭＳ１）は、送信器５０８によって中継局１２１へ送信される。
【０１０１】
（実施の形態１にかかる通信システムの動作例）
図６は、図１に示した通信システムのダウンリンクの動作例を示すシーケンス図である。ここでは、通信システム１００における基地局１１１から移動局１３１，１３２へのダウンリンクの動作について説明するが、基地局１１２から移動局１３３へのダウンリンクの動作についても同様である。
【０１０２】
まず、移動局１３１が、中継局１２１と移動局１３１との間の無線経路におけるＳＩＲ（ＲＮ１−ＭＳ１）を測定する（ステップＳ６０１）。つぎに、移動局１３１が、ステップＳ６０１によって測定されたＳＩＲ（ＲＮ１−ＭＳ１）を示すＣＱＩ（ＲＮ１−ＭＳ１）を制御ＣＨにより中継局１２１へ送信する（ステップＳ６０２）。
【０１０３】
つぎに、移動局１３２が、中継局１２１と移動局１３２との間の無線経路におけるＳＩＲ（ＲＮ１−ＭＳ２）を測定する（ステップＳ６０３）。つぎに、移動局１３２が、ステップＳ６０３によって測定されたＳＩＲ（ＲＮ１−ＭＳ２）を示すＣＱＩ（ＲＮ１−ＭＳ２）を制御ＣＨにより中継局１２１へ送信する（ステップＳ６０４）。
【０１０４】
つぎに、中継局１２１が、ステップＳ６０２およびステップＳ６０４によって送信された各ＣＱＩに基づいて要求無線リソースを決定する（ステップＳ６０５）。つぎに、中継局１２１が、ステップＳ６０５によって決定された要求無線リソースを示す要求情報（ＲＮ１−ＭＳ）を制御ＣＨにより基地局１１１へ送信する（ステップＳ６０６）。
【０１０５】
また、中継局１２１が、ステップＳ６０５によって決定された要求無線リソースを示す要求情報（ＲＮ１−ＭＳ）を制御ＣＨにより基地局１１２へ送信する（ステップＳ６０７）。ステップＳ６０７により送信される要求情報（ＲＮ１−ＭＳ）は、基地局１１２からみると、隣接セルの中継局である中継局１２１から送信された隣接セルリソース情報である。
【０１０６】
つぎに、中継局１２１が、基地局１１１と中継局１２１との間の無線経路におけるＳＩＲ（ＢＳ１−ＲＮ１）を測定する（ステップＳ６０８）。つぎに、中継局１２１が、ステップＳ６０８によって測定されたＳＩＲ（ＢＳ１−ＲＮ１）を示すＣＱＩ（ＢＳ１−ＲＮ１）を制御ＣＨにより基地局１１１へ送信する（ステップＳ６０９）。
【０１０７】
つぎに、基地局１１１が、中継局１２２から送信された隣接セルリソース情報を制御ＣＨにより受信する（ステップＳ６１０）。ステップＳ６１０によって受信される隣接セルリソース情報は、中継局１２２が基地局１１２に割り当てを要求する要求無線リソースを示す要求情報を、基地局１１１に対しても送信したものである。
【０１０８】
つぎに、基地局１１１が無線リソースの割り当てを行う（ステップＳ６１１）。ステップＳ６１１においては、ステップＳ６０９によって送信されたＣＱＩ（ＢＳ１−ＲＮ１）に基づいて、基地局１１１と中継局１２１との間の無線経路に無線リソースが割り当てられる。また、ステップＳ６１１においては、ステップＳ６０６によって送信された要求情報（ＲＮ１−ＭＳ）が示す無線リソースのうちの、ステップＳ６１０によって送信された隣接セルリソース情報が示す無線リソースとは異なる無線リソースが優先的に中継局１２１と移動局１３１，１３２との間の無線経路に割り当てられる。
【０１０９】
つぎに、基地局１１１が、移動局１３１を宛先とするＤＬデータ（ＭＳ１）を中継局１２１へ送信する（ステップＳ６１２）。また、基地局１１１が、移動局１３２を宛先とするＤＬデータ（ＭＳ２）を中継局１２１へ送信する（ステップＳ６１３）。ステップＳ６１２，Ｓ６１３においては、ステップＳ６１１によって基地局１１１と中継局１２１との間の無線経路に割り当てられた無線リソースを用いて各ＤＬデータが送信される。
【０１１０】
また、基地局１１１が、割当情報（ＲＮ１−ＭＳ）を制御ＣＨにより中継局１２１へ送信する（ステップＳ６１４）。ステップＳ６１４において送信される割当情報（ＲＮ１−ＭＳ）は、ステップＳ６１１によって中継局１２１と移動局１３１，１３２との間の無線経路に割り当てられた無線リソースを示す割当情報である。
【０１１１】
つぎに、中継局１２１が、ステップＳ６１４によって送信された割当情報（ＲＮ１−ＭＳ）が示す各無線リソースを、中継局１２１と移動局１３１との間の無線経路と、中継局１２１と移動局１３２との間の無線経路と、に割り当てる（ステップＳ６１５）。ステップＳ６１５においては、たとえば、ステップＳ６０２およびステップＳ６０４によって送信された各ＣＱＩに基づいて無線リソースの割り当てを行う。
【０１１２】
つぎに、中継局１２１が、ステップＳ６１２によって送信されたＤＬデータ（ＭＳ１）を移動局１３１へ送信する（ステップＳ６１６）。ステップＳ６１６においては、ステップＳ６１５によって中継局１２１と移動局１３１との間の無線経路に割り当てられた無線リソースを用いてＤＬデータ（ＭＳ１）が送信される。
【０１１３】
また、中継局１２１が、ステップＳ６１３によって送信されたＤＬデータ（ＭＳ２）を移動局１３２へ送信し（ステップＳ６１７）、一連の動作を終了する。ステップＳ６１７においては、ステップＳ６１５によって中継局１２１と移動局１３２との間の無線経路に割り当てられた無線リソースを用いてＤＬデータ（ＭＳ２）が送信される。
【０１１４】
図７は、図１に示した通信システムのアップリンクの動作例を示すシーケンス図である。ここでは、通信システム１００における移動局１３１，１３２から基地局１１１へのアップリンクの動作について説明するが、移動局１３３から基地局１１２へのアップリンクの動作についても同様である。
【０１１５】
まず、移動局１３１が、パイロット信号（ＭＳ１）を中継局１２１へ送信する（ステップＳ７０１）。つぎに、中継局１２１が、ステップＳ７０１によって送信されたパイロット信号（ＭＳ１）に基づいて中継局１２１と移動局１３１との間の無線経路におけるＳＩＲ（ＲＮ１−ＭＳ１）を測定する（ステップＳ７０２）。
【０１１６】
つぎに、移動局１３２が、パイロット信号（ＭＳ２）を中継局１２１へ送信する（ステップＳ７０３）。つぎに、中継局１２１が、ステップＳ７０３によって送信されたパイロット信号（ＭＳ２）に基づいて中継局１２１と移動局１３２との間の無線経路におけるＳＩＲ（ＲＮ１−ＭＳ２）を測定する（ステップＳ７０４）。
【０１１７】
つぎに、中継局１２１が、ステップＳ７０２およびステップＳ７０４によって測定された各ＳＩＲに基づいて要求無線リソースを決定する（ステップＳ７０５）。つぎに、中継局１２１が、ステップＳ７０５によって決定された要求無線リソースを示す要求情報（ＲＮ１−ＭＳ）を制御ＣＨにより基地局１１１へ送信する（ステップＳ７０６）。
【０１１８】
また、中継局１２１が、ステップＳ７０５によって決定された要求無線リソースを示す要求情報（ＲＮ１−ＭＳ）を制御ＣＨにより基地局１１２へ送信する（ステップＳ７０７）。ステップＳ７０７により送信される要求情報（ＲＮ１−ＭＳ）は、基地局１１２からみると、隣接セルの中継局である中継局１２１から送信された隣接セルリソース情報である。
【０１１９】
つぎに、中継局１２１が、パイロット信号（ＲＮ１）を基地局１１１へ送信する（ステップＳ７０８）。つぎに、基地局１１１が、ステップＳ７０８によって送信されたパイロット信号（ＲＮ１）に基づいて、基地局１１１と中継局１２１との間の無線経路におけるＳＩＲ（ＢＳ１−ＲＮ１）を測定する（ステップＳ７０９）。
【０１２０】
つぎに、基地局１１１が、中継局１２２から送信された隣接セルリソース情報を制御ＣＨにより受信する（ステップＳ７１０）。ステップＳ７１０によって受信される隣接セルリソース情報は、中継局１２２が基地局１１２に割り当てを要求する要求無線リソースを示す要求情報を、基地局１１１に対しても送信したものである。
【０１２１】
つぎに、基地局１１１が無線リソースの割り当てを行う（ステップＳ７１１）。ステップＳ７１１においては、ステップＳ７０９によって測定されたＳＩＲ（ＢＳ１−ＲＮ１）に基づいて、基地局１１１と中継局１２１との間の無線経路に無線リソースが割り当てられる。また、ステップＳ７１１においては、ステップＳ７０６によって送信された要求情報（ＲＮ１−ＭＳ）が示す無線リソースのうちの、ステップＳ７１０によって送信された隣接セルリソース情報が示す無線リソースとは異なる無線リソースが優先的に中継局１２１と移動局１３１，１３２との間の無線経路に割り当てられる。
【０１２２】
つぎに、基地局１１１が、割当情報（ＢＳ１−ＲＮ１）および割当情報（ＲＮ１−ＭＳ）を制御ＣＨにより中継局１２１へ送信する（ステップＳ７１２）。割当情報（ＢＳ１−ＲＮ１）は、ステップＳ７１１によって基地局１１１と中継局１２１との間の無線経路に割り当てられた無線リソースを示す割当情報である。割当情報（ＲＮ１−ＭＳ）は、ステップＳ７１１によって中継局１２１と移動局１３１，１３２との間の無線経路に割り当てられた無線リソースを示す割当情報である。
【０１２３】
つぎに、中継局１２１が、ステップＳ７１２によって送信された割当情報（ＲＮ１−ＭＳ）が示す各無線リソースを、中継局１２１と移動局１３１との間の無線経路と、中継局１２１と移動局１３２との間の無線経路と、に割り当てる（ステップＳ７１３）。ステップＳ７１３においては、たとえば、ステップＳ７０２およびステップＳ７０４によって測定された各ＳＩＲに基づいて無線リソースの割り当てを行う。
【０１２４】
つぎに、中継局１２１が、ステップＳ７１３によって中継局１２１と移動局１３１との間の無線経路に割り当てた無線リソースを示す割当情報（ＲＮ１−ＭＳ１）を移動局１３１へ送信する（ステップＳ７１４）。また、中継局１２１が、ステップＳ７１３によって中継局１２１と移動局１３２との間の無線経路に割り当てた無線リソースを示す割当情報（ＲＮ１−ＭＳ２）を移動局１３２へ送信する（ステップＳ７１５）。
【０１２５】
つぎに、移動局１３１が、ステップＳ７１４によって送信された割当情報（ＲＮ１−ＭＳ１）が示す無線リソースでＵＬデータ（ＭＳ１）を中継局１２１へ送信する（ステップＳ７１６）。つぎに、中継局１２１が、ステップＳ７１６によって送信されたＵＬデータ（ＭＳ１）を、ステップＳ７１２によって送信された割当情報（ＢＳ１−ＲＮ１）が示す無線リソースで基地局１１１へ送信する（ステップＳ７１７）。
【０１２６】
つぎに、移動局１３２が、ステップＳ７１５によって送信された割当情報（ＲＮ１−ＭＳ２）が示す無線リソースでＵＬデータ（ＭＳ２）を中継局１２１へ送信する（ステップＳ７１８）。つぎに、中継局１２１が、ステップＳ７１８によって送信されたＵＬデータ（ＭＳ２）を、ステップＳ７１２によって送信された割当情報（ＢＳ１−ＲＮ１）が示す無線リソースで基地局１１１へ送信し（ステップＳ７１９）、一連の動作を終了する。
【０１２７】
図６および図７に示したように、基地局１１１は、中継局１２２（隣接セル中継局）がセル１１２ａの基地局１１２に割り当てを要求する要求無線リソースを示す要求情報を隣接セルリソース情報として受信する。そして、基地局１１１は、隣接セルリソース情報が示す無線リソースとは異なる無線リソースを優先的に中継局１２１と移動局１３１，１３２との間の無線経路に割り当てる。これにより、中継局１２２による無線通信の干渉を受ける可能性が低い無線リソースを、セルの境界付近の中継局１２１に割り当てることができる。
【０１２８】
（ＳＩＲの具体例）
図８は、中継局と各移動局との間の無線経路におけるＳＩＲの具体例を示す図である。図８に示すＳＩＲ８１０は、中継局１２１と移動局１３１との間の無線経路におけるＳＩＲ（ＲＮ１−ＭＳ１）である。ＳＩＲ８２０は、中継局１２１と移動局１３２との間の無線経路におけるＳＩＲ（ＲＮ１−ＭＳ２）である。
【０１２９】
ダウンリンク（たとえば図６参照）においては、中継局１２１は、移動局１３１からＣＱＩ（ＲＮ１−ＭＳ１）を受信することによってＳＩＲ８１０を取得し、移動局１３２からＣＱＩ（ＲＮ１−ＭＳ２）を受信することによってＳＩＲ８２０を取得する。アップリンク（たとえば図７参照）においては、中継局１２１は、移動局１３１から送信されるパイロット信号（ＭＳ１）に基づいてＳＩＲ８１０を測定し、移動局１３２から送信されるパイロット信号（ＭＳ２）に基づいてＳＩＲ８２０を測定する。
【０１３０】
ＳＩＲ８１０およびＳＩＲ８２０に示す各値は、無線リソース＃１〜＃１０における各ＳＩＲを示している。このように、中継局１２１は、複数の無線リソースについてそれぞれＳＩＲを取得する。ここでは、各ＳＩＲの値を「１」〜「７」のように単純化して示しており、値が大きいほど通信品質が良いことを示している。
【０１３１】
（要求情報の具体例）
図９は、中継局が送信する要求情報の具体例を示す図である。図９において、図８に示した部分と同様の部分については同一の符号を付して説明を省略する。要求情報９１０は、中継局１２１が決定した要求無線リソースを示す要求情報（ＲＮ１−ＭＳ）である。要求情報９１０において、「１」は基地局１１１に対する要求無線リソースであることを示し、「０」は基地局１１１に対する要求無線リソースでないことを示している。
【０１３２】
中継局１２１は、たとえば、無線リソース＃１〜＃１０のうちの、ＳＩＲ８１０およびＳＩＲ８２０が高いものを優先的に要求無線リソースとして決定する。たとえば、中継局１２１は、ＳＩＲ８１０およびＳＩＲ８２０の合計が１０以上の無線リソースを要求無線リソースとして決定する。この場合は、要求情報９１０に示すように、要求無線リソースは無線リソース＃２〜＃６となる。要求情報９１０は基地局１１１へ送信される。
【０１３３】
図１０は、中継局が送信する要求情報の他の例を示す図である。図１０において、図９に示した部分と同様の部分については同一の符号を付して説明を省略する。中継局１２１が基地局１１１へ送信する要求情報（ＲＮ１−ＭＳ）は、図１０に示す要求情報１０１０のようにしてもよい。
【０１３４】
要求情報１０１０の各値は、基地局１１１に対して要求する無線リソースの優先度を示しており、値が大きいほど優先的に要求することを示している。中継局１２１は、たとえば、無線リソース＃１〜＃１０のそれぞれに対して、ＳＩＲ８１０とＳＩＲ８２０を比較して、大きい方のＳＩＲを要求情報１０１０として決定する。要求情報１０１０は基地局１１１へ送信される。
【０１３５】
（無線リソースの割り当ての具体例）
図１１は、基地局による無線リソースの割り当ての具体例を示す図である。図１１において、図９に示した部分と同様の部分については同一の符号を付して説明を省略する。ここでは、中継局１２１が基地局１１１へ送信する要求情報（ＲＮ１−ＭＳ）が、図９に示した要求情報９１０である場合について説明する。
【０１３６】
隣接セルリソース情報１１１０は、中継局１２２から基地局１１１へ送信される隣接セルリソース情報である。隣接セルリソース情報１１１０において、「１」は中継局１２２が基地局１１１に要求する無線リソースであることを示し、「０」は中継局１２２が基地局１１１に要求する無線リソースでないことを示している。
【０１３７】
ここでは、隣接セルリソース情報１１１０は、無線リソース＃１，＃２，＃６〜＃８が、中継局１２２が基地局１１１に要求する無線リソースであることを示している。基地局１１１は、中継局１２１と各移動局との間の無線経路に、要求情報９１０が示す無線リソース＃２〜＃６のうちの、隣接セルリソース情報１１１０が示す無線リソース＃１，＃２，＃６〜＃８とは異なる無線リソースを優先的に割り当てる。ここでは、基地局１１１は、中継局１２１と各移動局との間の無線経路に、無線リソース＃３〜＃５を割り当てる。
【０１３８】
割当情報１１２０は、基地局１１１が中継局１２１へ送信する割当情報（ＲＮ１−ＭＳ）である。割当情報１１２０において、「１」は中継局１２１と各移動局との間の無線経路に割り当てられた無線リソースであることを、「０」は中継局１２１と各移動局との間の無線経路に割り当てられた無線リソースでないことを示している。
【０１３９】
割当情報１１２０は中継局１２１へ送信される。中継局１２１は、割当情報１１２０が示す無線リソース＃３〜＃５を、中継局１２１と移動局１３１との間の無線経路と、中継局１２１と移動局１３２との間の無線経路と、に割り当てる。たとえば、中継局１２１は、無線リソース＃３，＃４を中継局１２１と移動局１３１との間の無線経路に割り当て、無線リソース＃５を中継局１２１と移動局１３２との間の無線経路に割り当てる。
【０１４０】
中継局１２１が基地局１１１へ送信する要求情報（ＲＮ１−ＭＳ）が図９に示した要求情報９１０である場合について説明したが、中継局１２１が基地局１１１へ送信する要求情報（ＲＮ１−ＭＳ）を図１０に示した要求情報１０１０としてもよい。この場合は、基地局１１１は、中継局１２１と各移動局との間の無線経路に、隣接セルリソース情報１１１０が示す無線リソース＃１，＃２，＃６〜＃８とは異なる無線リソースのうちの、要求情報１０１０が示す優先度が高い無線リソースを割り当ててもよい。
【０１４１】
たとえば、基地局１１１は、中継局１２１と各移動局との間の無線経路に、隣接セルリソース情報１１１０が示す無線リソース＃１，＃２，＃６〜＃８とは異なる無線リソースのうちの、要求情報１０１０が示す優先度が６以上の無線リソースを割り当てる。この場合は、中継局１２１と各移動局との間の無線経路に割り当てられた無線リソースを示す割当情報（ＲＮ１−ＭＳ）は割当情報１１２０のようになる。
【０１４２】
（実施の形態１にかかる通信システムの他の動作例）
図１２は、図６に示したダウンリンクの動作の他の例を示すシーケンス図である。図１２に示すステップＳ１２０１〜Ｓ１２１３は、図６に示したステップＳ６０１〜Ｓ６０６，ステップＳ６０８〜Ｓ６１４と同様であるため説明を省略する。ただし、ステップＳ１２０９によって受信される隣接セルリソース情報は、基地局１１２が中継局１２２へ送信した割当情報を、中継局１２２が基地局１１１へ送信したものである。
【０１４３】
ステップＳ１２１３の後に、中継局１２１が、ステップＳ１２１３によって送信された割当情報（ＲＮ１−ＭＳ）を、制御ＣＨにより基地局１１２へ送信する（ステップＳ１２１４）。ステップＳ１２１４により送信される割当情報（ＲＮ１−ＭＳ）は、基地局１１２からみると、隣接セルの中継局である中継局１２１から送信された隣接セルリソース情報である。図１２に示すステップＳ１２１５〜Ｓ１２１７は、図６に示したステップＳ６１５〜Ｓ６１７と同様であるため説明を省略する。
【０１４４】
ステップＳ１２１４において、図４に示したＤＬスケジューラ４０５は、制御ＣＨ復号部４１６から出力された割当情報（ＲＮ１−ＭＳ）を他セル制御ＣＨ生成部４２８へ出力する。他セル制御ＣＨ生成部４２８は、ＤＬスケジューラ４０５から出力された割当情報（ＲＮ１−ＭＳ）を制御ＣＨに配置し、制御ＣＨに配置した割当情報（ＲＮ１−ＭＳ）を多重部４１３へ出力する。他セル制御ＣＨ生成部４２８から出力された割当情報（ＲＮ１−ＭＳ）は、送信器４１４によって基地局１１２へ送信される。
【０１４５】
図１３は、図７に示したアップリンクの動作の他の例を示すシーケンス図である。図１３に示すステップＳ１３０１〜Ｓ１３１１は、図７に示したステップＳ７０１〜Ｓ７０６，ステップＳ７０８〜Ｓ７１２と同様であるため説明を省略する。ただし、ステップＳ１３０９によって受信される隣接セルリソース情報は、基地局１１２が中継局１２２へ送信した割当情報を、中継局１２２が基地局１１１へ送信したものである。
【０１４６】
ステップＳ１３１１の後に、中継局１２１が、ステップＳ１３１１によって送信された割当情報（ＲＮ１−ＭＳ）を、制御ＣＨにより基地局１１２へ送信する（ステップＳ１３１２）。ステップＳ１３１２により送信される要求情報（ＲＮ１−ＭＳ）は、基地局１１２からみると、隣接セルの中継局である中継局１２１から送信された隣接セルリソース情報である。図１３に示すステップＳ１３１３〜Ｓ１３１９は、図７に示したステップＳ７１３〜Ｓ７１９と同様であるため説明を省略する。
【０１４７】
ステップＳ１３１２において、図４に示したＵＬスケジューラ４２４は、制御ＣＨ復号部４１６から出力された割当情報（ＲＮ１−ＭＳ）を他セル制御ＣＨ生成部４２８へ出力する。他セル制御ＣＨ生成部４２８は、ＵＬスケジューラ４２４から出力された割当情報（ＲＮ１−ＭＳ）を制御ＣＨに配置し、制御ＣＨに配置した割当情報（ＲＮ１−ＭＳ）を多重部４１３へ出力する。他セル制御ＣＨ生成部４２８から出力された割当情報（ＲＮ１−ＭＳ）は、送信器４１４によって基地局１１２へ送信される。
【０１４８】
図１２および図１３に示したように、基地局１１１は、セル１１２ａ（隣接セル）の基地局１１２が中継局１２２に割り当てた無線リソースを示す割当情報を隣接セルリソース情報として受信する。そして、基地局１１１は、隣接セルリソース情報が示す無線リソースとは異なる無線リソースを優先的に中継局１２１と移動局１３１，１３２との間の無線経路に割り当てる。これにより、中継局１２２による無線通信の干渉を受ける可能性が低い無線リソースを、セル１２２ａとの境界付近の中継局１２１に割り当てることができる。
【０１４９】
このように、実施の形態１にかかる基地局１１１によれば、中継局１２２（隣接セル中継局）による無線通信の干渉を受ける可能性が低い無線リソースを、セル１１１ａとセル１１２ａの境界付近の中継局１２１の無線経路に割り当てることができる。これにより、セル１１１ａとセル１１２ａの境界付近のスループットを向上させることができる。このため、たとえば、セル１１１ａの全体のスループットを均一化することができる。
【０１５０】
また、セル１１２ａにおけるセル１１１ａとの境界付近の中継局１２２から基地局１１１へ要求情報（または割当情報）を隣接セルリソース情報として送信することで上記の効果を得ることができる。通常、セル１１２ａ内の中継局全体に対するセル１１１ａとの境界付近の中継局（たとえば中継局１２２）の数は少ないため、隣接セルリソース情報を送信するために新たに設定する制御ＣＨは少なく済む。このため、通信システムを大きく変更しなくても上記の効果を得ることができる。
【０１５１】
実施の形態１においては、セル１１１ａとセル１１２ａの間で隣接セルリソース情報を相互に交換し、基地局１１１および基地局１１２のそれぞれにおいて隣接セルリソース情報を考慮した無線リソースの割り当てを行う構成とした。このため、セル１１２ａ側においても、セル１１１ａ側について説明した上記の効果と同様の効果を得ることができる。
【０１５２】
ただし、セル１１１ａからセル１１２ａへ隣接セルリソース情報を送信する構成およびセル１１２ａからセル１１１ａへ隣接セルリソース情報を送信する構成のいずれかを省いた構成にすることも可能である。たとえば、中継局１２１から基地局１１２へ隣接セルリソース情報を送信する構成を省いた構成にしてもよい。この構成においては、基地局１１２においては、隣接セルリソース情報を考慮した無線リソースの割り当てを行わない。この構成においても、セル１１１ａ側については上記の効果を得ることができる。
【０１５３】
（実施の形態２）
図１４は、実施の形態２にかかる通信システムの構成を示す図である。図１４において、図１に示した部分と同様の部分については同一の符号を付して説明を省略する。実施の形態２においては、中継局１２１は、基地局１１１へ送信した要求情報（符号１４１）を、中継局１２２に対しても送信する（符号１４１１）。この場合は、中継局１２１は、基地局１１２に対しては要求情報を送信しなくてもよい。
【０１５４】
中継局１２１は、セル１１２ａ（隣接セル）におけるセル１１１ａ（自セル）との境界付近の中継局１２２（隣接セル中継局）から、中継局１２２に割り当てられる無線リソースを示す隣接セルリソース情報を受信する（符号１４１２）。中継局１２１は、受信した隣接セルリソース情報が示す無線リソースとは異なる無線リソースを優先的に用いて、移動局１３１，１３２のそれぞれと無線通信を行う。
【０１５５】
具体的には、中継局１２１は、受信した隣接セルリソース情報が示す無線リソースとは異なる無線リソースを優先的に要求無線リソースとして決定し、決定した要求無線リソースを示す要求情報（符号１４１）を基地局１１１へ送信する。そして、中継局１２１は、基地局１１１へ送信した要求情報に対して基地局１１１から送信された割当情報（符号１６１）が示す無線リソースによって、移動局１３１，１３２のそれぞれと無線通信を行う。
【０１５６】
基地局１１１は、中継局１２１から送信された要求情報（符号１４１）を受信する。基地局１１１は、要求情報（符号１４１）が示す無線リソースの中から無線経路Ｌ１および無線経路Ｌ２に割り当てる無線リソースを決定する。そして、基地局１１１は、決定した無線リソースを示す割当情報（符号１６１）を中継局１２１へ送信する。
【０１５７】
つぎに、基地局１１２および中継局１２２について説明する。中継局１２２は、基地局１１２へ送信した要求情報（符号１４２）を、中継局１２１に対しても送信する（符号１４１２）。この場合は、中継局１２２は、基地局１１１に対しては要求情報を送信しなくてもよい。
【０１５８】
また、中継局１２２は、セル１１１ａ（隣接セル）におけるセル１１２ａ（自セル）との境界付近の中継局１２１（隣接セル中継局）から、中継局１２１に割り当てられる無線リソースを示す隣接セルリソース情報を受信する（符号１４１１）。中継局１２２は、受信した隣接セルリソース情報が示す無線リソースとは異なる無線リソースを優先的に用いて、移動局１３３と無線通信を行う。
【０１５９】
具体的には、中継局１２２は、受信した隣接セルリソース情報が示す無線リソースとは異なる無線リソースを優先的に要求無線リソースとして決定し、決定した要求無線リソースを示す要求情報（符号１４２）を基地局１１２へ送信する。そして、中継局１２２は、基地局１１２へ送信した要求情報に対して基地局１１２から送信された割当情報（符号１６２）が示す無線リソースによって、移動局１３３との間で無線通信を行う。
【０１６０】
たとえば、中継局１２２は、各無線リソースについての他の条件が同じ場合に、受信した隣接セルリソース情報が示す無線リソースとは異なる無線リソースを要求無線リソースとして決定する。この場合の他の条件としては、たとえば、ＳＩＲなどの通信品質が挙げられる。または、中継局１２２は、受信した隣接セルリソース情報が示す無線リソースとは異なる無線リソースのうちの他の条件を満たす無線リソースを要求無線リソースとして決定してもよい。たとえば、ＳＩＲなどの通信品質が閾値以上であることや、通信品質の順位が所定順位より高いことなどが挙げられる。
【０１６１】
このように、中継局１２２は、中継局１２２と移動局１３３との間の無線経路における通信品質を取得し、隣接セルリソース情報が示す無線リソースとは異なる無線リソースの中から、取得した通信品質に基づいて要求無線リソースを決定してもよい。
【０１６２】
基地局１１２は、中継局１２２から送信された要求情報（符号１４２）を受信する。基地局１１２は、要求情報（符号１４２）が示す無線リソースの中から無線経路Ｌ３に割り当てる無線リソースを決定する。そして、基地局１１２は、決定した無線リソースを示す割当情報（符号１６２）を中継局１２２へ送信する。図１４に示した通信システムにおける無線リソースについては図２に示した無線リソースと同様であるため説明を省略する。
【０１６３】
（実施の形態２にかかる基地局の構成）
図１５は、図１４に示した基地局の構成を示すブロック図である。図１５において、図３に示した構成と同様の構成については同一の符号を付して説明を省略する。図１５に示すように、実施の形態２にかかる基地局１１１（図１４参照）は、図３に示した構成において他セル制御ＣＨ復号部３１９を省いた構成にしてもよい。
【０１６４】
（実施の形態２にかかる基地局のダウンリンクに関する処理）
まず、基地局１１１における、コアネットワーク１０１からの各ＤＬデータを移動局１３１および移動局１３２へ転送するダウンリンクに関する処理について説明する。ただし、基地局１１２における、コアネットワーク１０２からのＤＬデータを移動局１３３へ転送するダウンリンクに関する処理についても同様である。受信器３０２は、セル１１２ａの中継局１２２から送信された隣接セルリソース情報（図３参照）を受信しなくてもよい。この場合は、ＤＬスケジューラ３０５へ隣接セルリソース情報が入力されない。
【０１６５】
ＤＬスケジューラ３０５は、自セル制御ＣＨ復号部３０４から出力された要求情報（ＲＮ１−ＭＳ）に基づいて中継局１２１と移動局１３１，１３２との間の無線経路に無線リソースを割り当てる。
【０１６６】
（実施の形態２にかかる基地局のアップリンクに関する処理）
つぎに、基地局１１１における、移動局１３１，１３２からの各ＵＬデータをコアネットワーク１０１へ転送するアップリンクに関する処理について説明する。ただし、基地局１１２における、移動局１３３からのＵＬデータをコアネットワーク１０２へ転送するアップリンクに関する処理についても同様である。受信器３０２は、セル１１２ａの中継局１２２から送信された隣接セルリソース情報（図３参照）を受信しなくてもよい。この場合は、ＵＬスケジューラ３１５へ隣接セルリソース情報が入力されない。
【０１６７】
ＵＬスケジューラ３１５は、自セル制御ＣＨ復号部３０４から出力された要求情報（ＲＮ１−ＭＳ）に基づいて中継局１２１と移動局１３１，１３２との間の無線経路に無線リソースを割り当てる。
【０１６８】
（実施の形態２にかかる中継局の構成）
図１６は、図１４に示した中継局の構成を示すブロック図である。図１６において、図４に示した構成と同様の構成については同一の符号を付して説明を省略する。図１６に示すように、実施の形態２にかかる中継局１２１（図１４参照）は、図４に示した構成に加えて他セル制御ＣＨ復号部１６１１を備えている。ここでは中継局１２１の構成について説明するが、中継局１２２の構成についても同様である。
【０１６９】
受信アンテナ４０１および受信器４０２は、セル１１２ａ（隣接セル）におけるセル１１１ａ（自セル）との境界付近の中継局１２２（隣接セル中継局）から、中継局１２２に割り当てられる無線リソースを示す隣接セルリソース情報を受信する受信手段である。受信アンテナ４０１、受信器４０２、送信器４２１および送信アンテナ４２２は、受信手段によって受信された隣接セルリソース情報が示す無線リソースとは異なる無線リソースを優先的に用いて移動局１３１，１３２と無線通信を行う通信手段である。
【０１７０】
ＤＬスケジューラ４０５およびＵＬスケジューラ４２４は、中継局１２１と移動局１３１，１３２との間の無線経路に割り当てを要求する要求無線リソースとして、隣接セルリソース情報が示す無線リソースとは異なる無線リソースを優先的に決定する決定手段である。ＤＬスケジューラ４０５およびＵＬスケジューラ４２４は、たとえばＣＰＵなどの演算手段によって実現される。
【０１７１】
送信器４１４および送信アンテナ４１５は、決定手段によって決定された要求無線リソースを示す要求情報を基地局１１１へ送信する送信手段である。受信アンテナ４０７および受信器４０８は、送信手段によって送信された要求情報に応じて基地局１１１によって割り当てられた無線リソースを示す割当情報を受信する第二受信手段である。
【０１７２】
（実施の形態２にかかる中継局のダウンリンクに関する処理）
まず、中継局１２１における、コアネットワーク１０１からの各ＤＬデータを移動局１３１および移動局１３２へ転送するダウンリンクに関する処理について説明する。ただし、中継局１２２における、コアネットワーク１０２からのＤＬデータを移動局１３３へ転送するダウンリンクに関する処理についても同様である。
【０１７３】
受信器４０２は、中継局１２２から送信された隣接セルリソース情報を、受信アンテナ４０１を介して受信する。受信器４０２は、受信した隣接セルリソース情報を分離部４０３へ出力する。分離部４０３は、受信器４０２から出力された隣接セルリソース情報を他セル制御ＣＨ復号部１６１１へ出力する。他セル制御ＣＨ復号部１６１１は、分離部４０３から出力された隣接セルリソース情報を復号する。他セル制御ＣＨ復号部１６１１は、復号した隣接セルリソース情報をＤＬスケジューラ４０５へ出力する。
【０１７４】
ＤＬスケジューラ４０５は、他セル制御ＣＨ復号部１６１１から出力された隣接セルリソース情報に基づいて、中継局１２１と移動局１３１，１３２との間の無線経路について基地局１１１に要求する要求無線リソースを決定する。具体的には、ＤＬスケジューラ４０５は、隣接セルリソース情報が示す無線リソースとは異なる無線リソースを要求無線リソースとして優先的に決定する。たとえば、ＤＬスケジューラ４０５は、無線リソース＃１〜＃１０（図２参照）のうちの、隣接セルリソース情報が示す無線リソースとは異なり、かつ、各ＣＱＩが示す品質が比較的高い複数の無線リソースを要求無線リソースとして決定する。
【０１７５】
（実施の形態２にかかる中継局のアップリンクに関する処理）
つぎに、中継局１２１における、移動局１３１，１３２からのデータをコアネットワーク１０１へ転送するアップリンクに関する処理について説明する。ただし、中継局１２２における、移動局１３３からのデータをコアネットワーク１０２へ転送するアップリンクに関する処理についても同様である。他セル制御ＣＨ復号部１６１１は、復号した隣接セルリソース情報をＵＬスケジューラ４２４へ出力する。
【０１７６】
ＵＬスケジューラ４２４は、他セル制御ＣＨ復号部１６１１から出力された隣接セルリソース情報に基づいて、中継局１２１と移動局１３１，１３２との間の無線経路について基地局１１１に要求する要求無線リソースを決定する。具体的には、ＵＬスケジューラ４２４は、隣接セルリソース情報が示す無線リソースとは異なる無線リソースを要求無線リソースとして優先的に決定する。たとえば、ＵＬスケジューラ４２４は、無線リソース＃１〜＃１０（図２参照）のうちの、隣接セルリソース情報が示す無線リソースとは異なり、かつ、各ＣＱＩが示す品質が比較的高い複数の無線リソースを要求無線リソースとして決定する。
【０１７７】
（実施の形態２にかかる通信システムの動作例）
図１７は、図１４に示した通信システムのダウンリンクの動作例を示すシーケンス図である。ここでは、通信システム１００における基地局１１１から移動局１３１，１３２へのダウンリンクの動作について説明するが、基地局１１２から移動局１３３へのダウンリンクについても同様である。図１７に示すステップＳ１７０１〜Ｓ１７０４は、図６に示したステップＳ６０１〜Ｓ６０４と同様であるため説明を省略する。
【０１７８】
ステップＳ１７０４の後に、中継局１２１が、ステップＳ１７０２およびステップＳ１７０４によって送信された各ＣＱＩに基づいて要求無線リソースを仮決定する（ステップＳ１７０５）。つぎに、中継局１２１が、ステップＳ１７０５によって仮決定された要求無線リソースを示す要求情報（ＲＮ１−ＭＳ）を制御ＣＨにより中継局１２２へ送信する（ステップＳ１７０６）。ステップＳ１７０６により送信される要求情報（ＲＮ１−ＭＳ）は、中継局１２２からみると、隣接セルの中継局である中継局１２１から送信された隣接セルリソース情報である。
【０１７９】
つぎに、中継局１２１が、中継局１２２から送信された隣接セルリソース情報を制御ＣＨにより受信する（ステップＳ１７０７）。ステップＳ１７０７によって受信される隣接セルリソース情報は、中継局１２２が基地局１１２に割り当てを要求する要求無線リソースを示す要求情報を、中継局１２２に対しても送信したものである。
【０１８０】
または、ステップＳ１７０７によって受信される隣接セルリソース情報は、中継局１２２が仮決定した要求無線リソースを示す要求情報を、中継局１２２に対して送信したものでもよい。つぎに、中継局１２１が、ステップＳ１７０５によって仮決定された要求無線リソースと、ステップＳ１７０７によって受信された隣接セルリソース情報と、に基づいて要求無線リソースを決定する（ステップＳ１７０８）。
【０１８１】
つぎに、中継局１２１が、ステップＳ１７０８によって決定された要求無線リソースを示す要求情報（ＲＮ１−ＭＳ）を制御ＣＨにより基地局１１１へ送信する（ステップＳ１７０９）。つぎに、中継局１２１が、基地局１１１と中継局１２１との間の無線経路におけるＳＩＲ（ＢＳ１−ＲＮ１）を測定する（ステップＳ１７１０）。つぎに、中継局１２１が、ステップＳ１７１０によって測定されたＳＩＲ（ＢＳ１−ＲＮ１）を示すＣＱＩ（ＢＳ１−ＲＮ１）を制御ＣＨにより基地局１１１へ送信する（ステップＳ１７１１）。
【０１８２】
つぎに、基地局１１１が無線リソースの割り当てを行う（ステップＳ１７１２）。ステップＳ１７１２においては、ステップＳ１７１１によって送信されたＣＱＩ（ＢＳ１−ＲＮ１）に基づいて、基地局１１１と中継局１２１との間の無線経路に無線リソースが割り当てられる。また、ステップＳ１７０９によって送信された要求情報（ＲＮ１−ＭＳ）が示す無線リソースに含まれる無線リソースが、中継局１２１と移動局１３１，１３２との間の無線経路に割り当てられる。図１７に示すステップＳ１７１３〜Ｓ１７１８は、図６に示したステップＳ６１２〜Ｓ６１７と同様であるため説明を省略する。
【０１８３】
図１８は、図１４に示した通信システムのアップリンクの動作例を示すシーケンス図である。ここでは、通信システム１００における移動局１３１，１３２から基地局１１１へのアップリンクの動作について説明するが、移動局１３３から基地局１１２へのアップリンクについても同様である。図１８に示すステップＳ１８０１〜Ｓ１８０４は、図７に示したステップＳ７０１〜Ｓ７０４と同様であるため説明を省略する。
【０１８４】
ステップＳ１８０４の後に、中継局１２１が、ステップＳ１８０２およびステップＳ１８０４によって測定された各ＳＩＲに基づいて要求無線リソースを仮決定する（ステップＳ１８０５）。つぎに、中継局１２１が、ステップＳ１８０５によって仮決定された要求無線リソースを示す要求情報（ＲＮ１−ＭＳ）を制御ＣＨにより中継局１２２へ送信する（ステップＳ１８０６）。ステップＳ１８０６により送信される要求情報（ＲＮ１−ＭＳ）は、中継局１２２からみると、隣接セルの中継局である中継局１２１から送信された隣接セルリソース情報である。
【０１８５】
つぎに、中継局１２１が、中継局１２２から送信された隣接セルリソース情報を制御ＣＨにより受信する（ステップＳ１８０７）。ステップＳ１８０７によって受信される隣接セルリソース情報は、中継局１２２が基地局１１２に割り当てを要求する要求無線リソースを示す要求情報を、中継局１２１に対しても送信したものである。
【０１８６】
または、ステップＳ１８０７によって受信される隣接セルリソース情報は、中継局１２２が仮決定した要求無線リソースを示す要求情報を、基地局１１１に対して送信したものでもよい。つぎに、中継局１２１が、ステップＳ１８０５によって仮決定された要求無線リソースと、ステップＳ１８０７によって受信された隣接セルリソース情報と、に基づいて要求無線リソースを決定する（ステップＳ１８０８）。
【０１８７】
つぎに、中継局１２１が、ステップＳ１８０８によって決定された要求無線リソースを示す要求情報（ＲＮ１−ＭＳ）を基地局１１１へ送信する（ステップＳ１８０９）。つぎに、中継局１２１が、パイロット信号（ＲＮ１）を制御ＣＨにより基地局１１１へ送信する（ステップＳ１８１０）。つぎに、基地局１１１が、ステップＳ１８０８によって送信されたパイロット信号（ＲＮ１）に基づいて、基地局１１１と中継局１２１との間の無線経路におけるＳＩＲ（ＢＳ１−ＲＮ１）を測定する（ステップＳ１８１１）。
【０１８８】
つぎに、基地局１１１が無線リソースの割り当てを行う（ステップＳ１８１２）。ステップＳ１８１２においては、ステップＳ１８１１によって測定されたＳＩＲ（ＢＳ１−ＲＮ１）に基づいて、基地局１１１と中継局１２１との間の無線経路に無線リソースが割り当てられる。また、ステップＳ１８０９によって送信された要求情報（ＲＮ１−ＭＳ）が示す無線リソースに含まれる無線リソースが中継局１２１と移動局１３１，１３２との間の無線経路に割り当てられる。図１８に示すステップＳ１８１３〜Ｓ１８２０は、図７に示したステップＳ７１２〜Ｓ７１９と同様であるため説明を省略する。
【０１８９】
（要求無線リソースの決定の具体例）
図１９は、中継局による要求無線リソースの決定の具体例を示す図である。図１９において、図１１に示した部分と同様の部分については同一の符号を付して説明を省略する。ここでは、中継局１２１と移動局１３１，１３２との間の無線経路におけるＳＩＲは、図８に示したＳＩＲ８１０およびＳＩＲ８２０の通りであるとする。図１９に示す仮決定情報１９１０は、中継局１２１が仮決定した要求無線リソースを示している。
【０１９０】
仮決定情報１９１０において、「１」は基地局１１１に対する要求無線リソースであることを示し、「０」は基地局１１１に対する要求無線リソースでないことを示している。中継局１２１は、たとえば、無線リソース＃１〜＃１０のうちの、ＳＩＲ８１０およびＳＩＲ８２０が比較的高いものを要求無線リソースとして決定する。ここでは、中継局１２１は、無線リソース＃２〜＃６を要求無線リソースとして仮決定したとする。
【０１９１】
中継局１２１は、仮決定情報１９１０が示す無線リソース＃２〜＃６のうちの、隣接セルリソース情報１１１０が示す無線リソース＃１，＃２，＃６〜＃８とは異なる無線リソースを優先的に要求無線リソースとして決定する。ここでは、中継局１２１は、要求情報９１０に示すように、無線リソース＃３〜＃５を要求無線リソースとして決定する。
【０１９２】
要求情報９１０は基地局１１１へ送信される。基地局１１１は、受信した要求情報９１０が示す無線リソース＃３〜＃５に含まれる無線リソースを中継局１２１と移動局１３１，１３２との間の無線経路に割り当てる。たとえば、基地局１１１は、無線リソース＃３〜＃５のいずれもセル１１１ａにおける中継局１２１以外の他の中継局に割り当てていない場合は、無線リソース＃３〜＃５を中継局１２１と移動局１３１，１３２との間の無線経路に割り当てる。
【０１９３】
（実施の形態２にかかる通信システムの他の動作例）
図２０は、図１７に示したダウンリンクの動作の他の例を示すシーケンス図である。図２０に示すステップＳ２００１〜Ｓ２０１４は、図１７に示したステップＳ１７０１〜Ｓ１７０５，Ｓ１７０７〜Ｓ１７１５と同様であるため説明を省略する。ただし、ステップＳ２００６によって受信される隣接セルリソース情報は、基地局１１２が中継局１２２へ送信した割当情報を中継局１２２が中継局１２１へ送信したものである。
【０１９４】
ステップＳ２０１４の後に、中継局１２１が、ステップＳ２０１４によって送信された割当情報（ＲＮ１−ＭＳ）を、制御ＣＨにより中継局１２２へ送信する（ステップＳ２０１５）。ステップＳ２０１５により送信される割当情報（ＲＮ１−ＭＳ）は、中継局１２２からみると、隣接セルの中継局である中継局１２１から送信された隣接セルリソース情報である。図２０に示すステップＳ２０１６〜Ｓ２０１８は、図１７に示したステップＳ１７１６〜Ｓ１７１８と同様であるため説明を省略する。
【０１９５】
ステップＳ２０１５において、図１６に示したＤＬスケジューラ４０５は、制御ＣＨ復号部４１６から出力された割当情報（ＲＮ１−ＭＳ）を他セル制御ＣＨ生成部４２８へ出力する。他セル制御ＣＨ生成部４２８は、ＤＬスケジューラ４０５から出力された割当情報（ＲＮ１−ＭＳ）を制御ＣＨに配置し、制御ＣＨに配置した割当情報（ＲＮ１−ＭＳ）を多重部４１３へ出力する。他セル制御ＣＨ生成部４２８から出力された割当情報（ＲＮ１−ＭＳ）は、送信器４１４によって中継局１２２へ送信される。
【０１９６】
図２１は、図１８に示したアップリンクの動作の他の例を示すシーケンス図である。図２１に示すステップＳ２１０１〜Ｓ２１１２は、図１８に示したステップＳ１８０１〜Ｓ１８０５，Ｓ１８０７〜Ｓ１８１３と同様であるため説明を省略する。ただし、ステップＳ２１０６によって受信される隣接セルリソース情報は、基地局１１２が中継局１２２へ送信した割当情報を中継局１２２が中継局１２１へ送信したものである。
【０１９７】
ステップＳ２１１２の後に、中継局１２１が、ステップＳ２１１２によって送信された割当情報（ＲＮ１−ＭＳ）を、制御ＣＨにより中継局１２２へ送信する（ステップＳ２１１３）。ステップＳ２１１３により送信される要求情報（ＲＮ１−ＭＳ）は、中継局１２２からみると、隣接セルの中継局である中継局１２１から送信された隣接セルリソース情報である。図２１に示すステップＳ２１１４〜Ｓ２１２０は、図１８に示したステップＳ１８１４〜Ｓ１８２０と同様であるため説明を省略する。
【０１９８】
ステップＳ２１１３において、図１６に示したＵＬスケジューラ４２４は、制御ＣＨ復号部４１６から出力された割当情報（ＲＮ１−ＭＳ）を他セル制御ＣＨ生成部４２８へ出力する。他セル制御ＣＨ生成部４２８は、ＵＬスケジューラ４２４から出力された割当情報（ＲＮ１−ＭＳ）を制御ＣＨに配置し、制御ＣＨに配置した割当情報（ＲＮ１−ＭＳ）を多重部４１３へ出力する。他セル制御ＣＨ生成部４２８から出力された割当情報（ＲＮ１−ＭＳ）は、送信器４１４によって中継局１２２へ送信される。
【０１９９】
図２０および図２１に示したように、中継局１２１は、セル１１２ａ（隣接セル）の基地局１１２が中継局１２２に割り当てた無線リソースを示す割当情報を隣接セルリソース情報として受信する。そして、中継局１２１は、隣接セルリソース情報が示す無線リソースとは異なる無線リソースを優先的に要求無線リソースとして決定する。これにより、基地局１１１に対して、中継局１２２による無線通信の干渉を受ける可能性が低い無線リソースを、セル１１２ａとの境界付近の中継局１２１に割り当てさせることができる。
【０２００】
このように、実施の形態２にかかる中継局１２１によれば、基地局１１１に対して、中継局１２２（隣接セル中継局）による無線通信の干渉を受ける可能性が低い無線リソースを自局に割り当てさせることができる。これにより、セル１１１ａとセル１１２ａの境界付近のスループットを向上させることができる。このため、たとえば、セル１１１ａの全体のスループットを均一化することができる。
【０２０１】
また、セル１１２ａにおけるセル１１１ａとの境界付近の中継局１２２から中継局１２１へ要求情報（または割当情報）を隣接セルリソース情報として送信することで上記の効果を得ることができる。通常、セル１１２ａ内の中継局全体に対するセル１１１ａとの境界付近の中継局（たとえば中継局１２２）の数は少ないため、隣接セルリソース情報を送信するために新たに設定する制御ＣＨは少なく済む。このため、通信システムを大きく変更しなくても上記の効果を得ることができる。
【０２０２】
実施の形態２においては、中継局１２１と中継局１２２の間で隣接セルリソース情報を相互に交換し、中継局１２１および中継局１２２のそれぞれにおいて隣接セルリソース情報を考慮した要求無線リソースの決定を行う構成とした。このため、セル１１２ａ側においても、セル１１１ａ側について説明した上記の効果と同様の効果を得ることができる。
【０２０３】
ただし、中継局１２１から中継局１２２へ隣接セルリソース情報を送信する構成および中継局１２２から中継局１２１へ隣接セルリソース情報を送信する構成のいずれかを省いた構成にすることも可能である。たとえば、中継局１２１から中継局１２２へ隣接セルリソース情報を送信する構成を省いた構成にしてもよい。この構成においては、中継局１２２においては、隣接セルリソース情報を考慮した要求無線リソースの決定を行わない。この構成においても、セル１１１ａ側については上記の効果を得ることができる。
【０２０４】
以上説明したように、開示の基地局、中継局、通信システムおよび通信方法によれば、セルの境界付近のスループットを向上させることができる。
【符号の説明】
【０２０５】
Ｌ１〜Ｌ３  無線経路
１００  通信システム
１１１ａ，１１２ａ  セル
２１０  無線リソース
３０１，４０１，４０７，５０１  受信アンテナ
３１３，４１５，４２２，５０９  送信アンテナ
【図１】
2010134162.tif 000003
【図２】
2010134162.tif 000004
【図３】
2010134162.tif 000005
【図４】
2010134162.tif 000006
【図５】
2010134162.tif 000007
【図６】
2010134162.tif 000008
【図７】
2010134162.tif 000009
【図８】
2010134162.tif 000010
【図９】
2010134162.tif 000011
【図１０】
2010134162.tif 000012
【図１１】
2010134162.tif 000013
【図１２】
2010134162.tif 000014
【図１３】
2010134162.tif 000015
【図１４】
2010134162.tif 000016
【図１５】
2010134162.tif 000017
【図１６】
2010134162.tif 000018
【図１７】
2010134162.tif 000019
【図１８】
2010134162.tif 000020
【図１９】
2010134162.tif 000021
【図２０】
2010134162.tif 000022
【図２１】
2010134162.tif 000023
【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
自セルに設置された中継局の中継により前記自セル内の移動局との間で無線通信を行う基地局であって、
隣接セルに設置された隣接セル中継局から、前記隣接セル中継局に割り当てられる無線リソースに関する隣接セルリソース情報を受信する受信手段と、
前記受信手段によって受信された隣接セルリソース情報が示す無線リソースとは異なる無線リソースを優先的に前記中継局と前記移動局との間の無線経路に割り当てる割当手段と、
を備えることを特徴とする基地局。
【請求項２】
前記割当手段は、前記中継局と前記移動局との間の無線経路に対して前記中継局から要求された無線リソースのうちの、前記隣接セルリソース情報が示す無線リソースとは異なる無線リソースを優先的に割り当てることを特徴とする請求項１に記載の基地局。
【請求項３】
前記受信手段は、前記隣接セル中継局が前記隣接セルの基地局に無線リソースの割り当てを要求するための要求情報を前記隣接セルリソース情報として受信することを特徴とする請求項１または２に記載の基地局。
【請求項４】
前記受信手段は、前記隣接セルの基地局が前記隣接セル中継局に割り当てた無線リソースを示す割当情報を前記隣接セルリソース情報として受信することを特徴とする請求項１または２に記載の基地局。
【請求項５】
自セルに設置され、前記自セル内の基地局と移動局との間の無線通信を中継する中継局であって、
隣接セルに設置された隣接セル中継局から、前記隣接セル中継局に割り当てられる無線リソースに関する隣接セルリソース情報を受信する受信手段と、
前記受信手段によって受信された隣接セルリソース情報が示す無線リソースとは異なる無線リソースを優先的に用いて前記移動局と無線通信を行う通信手段と、
を備えることを特徴とする中継局。
【請求項６】
自局と前記移動局との間の無線経路に無線リソースの割り当てを要求する要求情報として、前記隣接セルリソース情報が示す無線リソースとは異なる無線リソースを優先的に用いて決定する決定手段と、
前記決定手段によって決定された要求情報を前記基地局へ送信する送信手段と、
前記送信手段によって送信された要求情報に応じて前記基地局によって割り当てられた無線リソースを示す割当情報を受信する第二受信手段と、
を備え、
前記通信手段は、前記第二受信手段によって受信された割当情報が示す無線リソースによって前記移動局と無線通信を行うことを特徴とする請求項５に記載の中継局。
【請求項７】
前記自局と前記移動局との間の無線経路における通信品質を取得する取得手段を備え、
前記決定手段は、前記隣接セルリソース情報が示す無線リソースとは異なる無線リソースの中から、前記取得手段によって取得された通信品質に基づいて前記要求情報を決定することを特徴とする請求項６に記載の中継局。
【請求項８】
前記受信手段は、前記隣接セル中継局が前記隣接セルの基地局に無線リソースの割り当てを要求するための要求情報を前記隣接セルリソース情報として受信することを特徴とする請求項５〜７のいずれか一つに記載の中継局。
【請求項９】
所定セルに設置された中継局の中継により前記所定セル内の移動局との間で無線通信を行う基地局と、前記所定セルの隣接セルに設置された隣接セル中継局と、を含む通信システムであって、
自局に割り当てられる無線リソースを示す隣接セルリソース情報を前記基地局へ送信する隣接セル中継局と、
前記隣接セル中継局によって送信された隣接セルリソース情報が示す無線リソースとは異なる無線リソースを優先的に前記中継局と前記移動局との間の無線経路に割り当てる基地局と、
を含むことを特徴とする通信システム。
【請求項１０】
自セルに設置された中継局の中継により前記自セル内の移動局との間で無線通信を行う基地局の通信方法であって、
隣接セルに設置された隣接セル中継局から、前記隣接セル中継局に割り当てられる無線リソースに関する隣接セルリソース情報を受信する受信工程と、
前記受信された隣接セルリソース情報が示す無線リソースとは異なる無線リソースを優先的に前記中継局と前記移動局との間の無線経路に割り当てる割当工程と、
を含むことを特徴とする通信方法。
【手続補正２】
【補正対象書類名】明細書
【補正対象項目名】全文
【補正方法】変更
【補正の内容】
【発明の詳細な説明】
【技術分野】
【０００１】
この発明は、無線通信を行う基地局、中継局、通信システムおよび通信方法に関する。
【背景技術】
【０００２】
高いスループットを広いエリアで実現するための技術として、無線中継（リレー）に関する検討が盛んに行われている。たとえば、ＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ：電気電子学会）では、Ｍｕｌｔｉ−ｈｏｐ  Ｒｅｌａｙに関する検討が進められている。
【０００３】
また、３ＧＰＰ（３ｒｄ  Ｇｅｎｅｒａｔｉｏｎ  Ｐａｒｔｎｅｒｓｈｉｐ  Ｐｒｏｊｅｃｔ）では、ＬＴＥ−Ａｄｖａｎｃｅｄに向けた標準化作業において、Ｒｅｌａｙｉｎｇ  Ｆｕｎｃｔｉｏｎａｌｉｔｙに関する検討が進められている。また、１つの中継局が複数の基地局の信号を中継する際に、スロットの衝突が生じないようにスケジューリングを行う技術が開示されている（たとえば、下記特許文献１参照。）。
【先行技術文献】
【特許文献】
【０００４】
【特許文献１】特開２００８−６０８６８号公報
【発明の概要】
【発明が解決しようとする課題】
【０００５】
しかしながら、上述した従来技術では、セルの境界付近に異なるセルの各中継局が存在する場合に、各中継局が行う無線通信が互いに干渉し、スループットが低下するという問題がある。たとえば、ダウンリンクにおいて、移動局は、隣接セルの基地局からの干渉および隣接セルの中継局からの干渉を受けることがある。
【０００６】
また、アップリンクにおいては、中継局または基地局は、隣接セルの移動局からの干渉および隣接セルの中継局からの干渉を受けることがある。このため、セルの境界付近に設けられた中継局の中継において、高い伝送速度の無線通信を提供することが困難である。また、上記特許文献１には、異なる中継局がそれぞれ異なる基地局の信号を中継する通信システムにおけるセルの境界付近の干渉を制御する方法については開示されていない。
【０００７】
開示の基地局、中継局、通信システムおよび通信方法は、上述した問題点を解消するものであり、セルの境界付近のスループットを向上させることを目的とする。
【課題を解決するための手段】
【０００８】
上述した課題を解決し、目的を達成するため、この基地局は、自セルに設置された中継局の中継により前記自セル内の移動局との間で無線通信を行う基地局であって、隣接セルに設置された隣接セル中継局から、前記隣接セル中継局に割り当てられる無線リソースに関する隣接セルリソース情報を受信する受信手段と、前記受信手段によって受信された隣接セルリソース情報が示す無線リソースとは異なる無線リソースを優先的に前記中継局と前記移動局との間の無線経路に割り当てる割当手段と、を備える。
【０００９】
上記構成によれば、隣接セル中継局による無線通信の干渉を受ける可能性が低い無線リソースを、セルの境界付近の中継局の無線経路に割り当てることができる。
【発明の効果】
【００１０】
開示の基地局、中継局、通信システムおよび通信方法によれば、セルの境界付近のスループットを向上させることができるという効果を奏する。
【図面の簡単な説明】
【００１１】
【図１】図１は、実施の形態１にかかる通信システムの構成を示す図である。
【図２】図２は、図１に示した通信システムにおける無線リソースの一例を示す図である。
【図３】図３は、図１に示した基地局の構成を示すブロック図である。
【図４】図４は、図１に示した中継局の構成を示すブロック図である。
【図５】図５は、図１に示した移動局の構成を示すブロック図である。
【図６】図６は、図１に示した通信システムのダウンリンクの動作例を示すシーケンス図である。
【図７】図７は、図１に示した通信システムのアップリンクの動作例を示すシーケンス図である。
【図８】図８は、中継局と各移動局との間の無線経路におけるＳＩＲの具体例を示す図である。
【図９】図９は、中継局が送信する要求情報の具体例を示す図である。
【図１０】図１０は、中継局が送信する要求情報の他の例を示す図である。
【図１１】図１１は、基地局による無線リソースの割り当ての具体例を示す図である。
【図１２】図１２は、図６に示したダウンリンクの動作の他の例を示すシーケンス図である。
【図１３】図１３は、図７に示したアップリンクの動作の他の例を示すシーケンス図である。
【図１４】図１４は、実施の形態２にかかる通信システムの構成を示す図である。
【図１５】図１５は、図１４に示した基地局の構成を示すブロック図である。
【図１６】図１６は、図１４に示した中継局の構成を示すブロック図である。
【図１７】図１７は、図１４に示した通信システムのダウンリンクの動作例を示すシーケンス図である。
【図１８】図１８は、図１４に示した通信システムのアップリンクの動作例を示すシーケンス図である。
【図１９】図１９は、中継局による要求無線リソースの決定の具体例を示す図である。
【図２０】図２０は、図１７に示したダウンリンクの動作の他の例を示すシーケンス図である。
【図２１】図２１は、図１８に示したアップリンクの動作の他の例を示すシーケンス図である。
【発明を実施するための形態】
【００１２】
以下に添付図面を参照して、この基地局、中継局、通信システムおよび通信方法の好適な実施の形態を詳細に説明する。
【００１３】
（実施の形態１）
図１は、実施の形態１にかかる通信システムの構成を示す図である。図１に示すように、実施の形態１にかかる通信システム１００は、基地局１１１（ＢＳ１：Ｂａｓｅ  Ｓｔａｔｉｏｎ）と、基地局１１２（ＢＳ２）と、中継局１２１（ＲＮ１：Ｒｅｌａｙ  Ｎｏｄｅ）と、中継局１２２（ＲＮ２）と、移動局１３１〜１３３（ＭＳ１〜ＭＳ３：Ｍｏｂｉｌｅ  Ｓｔａｔｉｏｎ）と、を含んでいる。
【００１４】
基地局１１１は、コアネットワーク１０１と接続されており、セル１１１ａ（所定セル）内の通信装置とコアネットワーク１０１との間の通信を管理する。たとえば、基地局１１１は、セル１１１ａ（自セル）におけるセル１１２ａ（隣接セル）との境界付近（セル境界地域、セル端ともいう）に設置された中継局１２１の中継により、セル１１１ａ内の中継局１２１の周囲に位置する各移動局との間で無線通信を行う。また、図示しないが、セル１１１ａには中継局１２１の他にも中継局が設けられていてもよい。基地局１１１は、セル１１１ａ内の各中継局の中継により、各中継局の周囲に位置する各移動局との間で無線通信を行う。
【００１５】
基地局１１２は、コアネットワーク１０２と接続されており、セル１１１ａと隣接するセル１１２ａ内の通信装置とコアネットワーク１０２との間の通信を管理する。ここで、コアネットワーク１０１とコアネットワーク１０２は同じであってもよい。具体的には、セル１１２ａ（自セル）におけるセル１１１ａ（隣接セル）との境界付近に設置された中継局１２２の中継により、セル１１２ａ内の各移動局との間で無線通信を行う。また、図示しないが、セル１１２ａには中継局１２２の他にも中継局が設けられていてもよい。基地局１１２は、セル１１２ａ内の各中継局の中継により、各中継局の周囲に位置する各移動局との間で無線通信を行う。
【００１６】
中継局１２１は、基地局１１１と、移動局１３１，１３２と、の間の通信を中継する。中継局１２１は、中継局１２１と移動局１３１との間の無線経路Ｌ１と、中継局１２１と移動局１３２との間の無線経路Ｌ２と、の各無線経路に対する無線リソースを要求する要求情報（符号１４１）を基地局１１１へ送信する。
【００１７】
また、中継局１２１は、基地局１１１へ送信した要求情報（符号１４１）を、基地局１１２に対しても送信する（符号１５１）。また、中継局１２１は、基地局１１１へ送信した要求情報に対して基地局１１１から送信された割当情報（符号１６１）が示す無線リソースによって、移動局１３１，１３２との間でそれぞれ無線通信を行う。
【００１８】
中継局１２２は、基地局１１２と、移動局１３３と、の間の通信を中継する。中継局１２２は、中継局１２２と移動局１３３との間の無線経路Ｌ３に対する無線リソースを要求する要求情報（符号１４２）を基地局１１２へ送信する。また、中継局１２２は、基地局１１２へ送信した要求情報を基地局１１１に対しても送信する（符号１５２）。また、中継局１２２は、基地局１１２へ送信した要求情報に対して基地局１１２から送信された割当情報（符号１６２）が示す無線リソースにより移動局１３３との間で無線通信を行う。
【００１９】
移動局１３１および移動局１３２のそれぞれは、中継局１２１の周囲に位置しており、中継局１２１の中継によって基地局１１１との間で無線通信を行う。移動局１３３は、中継局１２２の周囲に位置しており、中継局１２２の中継によって基地局１１２との間で無線通信を行う。このため、中継局１２１と中継局１２２とで使用する無線リソースが重なると、中継局１２１と移動局１３１，１３２との無線通信と、中継局１２２と移動局１３３との無線通信は、お互いの干渉による影響を受ける。
【００２０】
基地局１１１は、中継局１２２（隣接セル中継局）から送信された要求情報（符号１５２）を受信する。要求情報（符号１５２）は、中継局１２２に割り当てられる無線リソースの候補を示している。基地局１１１は、要求情報（符号１５２）が示す無線リソースとは異なる無線リソースを優先的に無線経路Ｌ１および無線経路Ｌ２に割り当て、割り当てた無線リソースを示す割当情報（符号１６１）を中継局１２１へ送信する。
【００２１】
たとえば、基地局１１１は、要求情報（符号１４１）が示す無線リソースのうちの、要求情報（符号１５２）が示す無線リソースとは異なる無線リソースを無線経路Ｌ１および無線経路Ｌ２に割り当てる。これにより、中継局１２１によって要求された無線リソースから、中継局１２２に割り当てられる無線リソースとは異なる無線リソースを選択して中継局１２１に割り当てることができる。
【００２２】
または、基地局１１１は、各無線リソースについての他の条件が同じ場合に、要求情報（符号１５２）が示す無線リソースとは異なる無線リソースを無線経路Ｌ１および無線経路Ｌ２に割り当ててもよい。この場合の他の条件としては、たとえば、ＳＩＲ（Ｓｉｇｎａｌ  ｔｏ  Ｉｎｔｅｒｆｅｒｅｎｃｅ  Ｒａｔｉｏ）などの通信品質が挙げられる。
【００２３】
または、基地局１１１は、要求情報（符号１５２）が示す無線リソースとは異なる無線リソースのうちの他の条件を満たす無線リソースを無線経路Ｌ１および無線経路Ｌ２に割り当てるようにしてもよい。この場合の他の条件としては、たとえば、セル１１１ａ内の他の中継局に対して割り当てていない（または割り当てる予定がない）無線リソースであることや、通信品質が閾値以上の無線リソースであることが挙げられる。
【００２４】
基地局１１２は、中継局１２１（隣接セル中継局）から送信された要求情報（符号１５１）を受信する。要求情報（符号１５１）は、中継局１２１に割り当てられる無線リソースの候補を示している。基地局１１２は、要求情報（符号１５１）が示す無線リソースとは異なる無線リソースを優先的に無線経路Ｌ３に割り当て、割り当てた無線リソースを示す割当情報（符号１６２）を中継局１２２へ送信する。
【００２５】
（無線リソースの例）
図２は、図１に示した通信システムにおける無線リソースの一例を示す図である。図２に示す横軸は周波数を示している。無線リソース２１０は、通信システム１００（図１参照）において使用される周波数帯域を示している。ここでは、無線リソース２１０を無線リソース＃１〜＃１０に分割する場合について説明する。無線リソース＃１〜＃１０は、通信システム１００の各無線区間に対して割り当てられる。図２では、無線リソースを周波数領域の例で説明したが、無線リソースは時間領域の単位であってもよいし、周波数領域と時間領域の組合せであってもよい。
【００２６】
基地局１１１および基地局１１２は、それぞれの自セル内の各無線経路の間で干渉しないように無線リソース＃１〜＃１０を割り当てる。これにより、各無線経路に必要最小限の無線リソースを割り当てることができるため、周波数の利用効率を高くすることができる。ただし、基地局１１１および基地局１１２は、セル１１１ａとセル１１２ａとの境界付近に位置する中継局１２１および中継局１２２に対しては、セル１１１ａとセル１１２ａとの間で互いに干渉しないように調整を行いながら無線リソースを割り当てる。
【００２７】
（実施の形態１にかかる基地局の構成）
図３は、図１に示した基地局の構成を示すブロック図である。図３に示すように、基地局１１１（図１参照）は、受信アンテナ３０１と、受信器３０２と、分離部３０３と、自セル制御ＣＨ復号部３０４と、ＤＬスケジューラ３０５と、制御ＣＨ生成部３０６と、ＩＰ受信部３０７と、ＤＬバッファ３０８と、データＣＨ生成部３０９と、パイロット生成部３１０と、多重部３１１と、送信器３１２と、送信アンテナ３１３と、他セル制御ＣＨ復号部３１９と、を備えている。
【００２８】
また、基地局１１１は、ＳＩＲ測定部３１４と、ＵＬスケジューラ３１５と、データＣＨ復号部３１６と、ＵＬバッファ３１７と、ＩＰ送信部３１８と、を備えている。受信アンテナ３０１および受信器３０２は、セル１１２ａ（隣接セル）におけるセル１１１ａ（自セル）との境界付近の中継局１２２（隣接セル中継局）から、中継局１２２に割り当てられる無線リソースを示す隣接セルリソース情報を受信する受信手段である。
【００２９】
また、ＤＬスケジューラ３０５およびＵＬスケジューラ３１５は、隣接セルリソース情報が示す無線リソースとは異なる無線リソースを、中継局１２１と移動局１３１，１３２との間の無線経路（図１の無線経路Ｌ１，Ｌ２）に優先的に割り当てる割当手段である。ＤＬスケジューラ３０５およびＵＬスケジューラ３１５は、たとえば、ＣＰＵ（Ｃｅｎｔｒａｌ  Ｐｒｏｃｅｓｓｉｎｇ  Ｕｎｉｔ）などの演算手段によって実現される。
【００３０】
（実施の形態１にかかる基地局のダウンリンクに関する処理）
まず、基地局１１１における、コアネットワーク１０１からの各データを移動局１３１および移動局１３２へ転送するダウンリンク（ＤＬ）に関する処理について説明する。ただし、基地局１１２における、コアネットワーク１０２からのデータを移動局１３３へ転送するダウンリンクに関する処理についても同様である。
【００３１】
受信器３０２は、ＣＱＩ（ＢＳ１−ＲＮ１）（Ｃｈａｎｎｅｌ  Ｑｕａｌｉｔｙ  Ｉｎｄｉｃａｔｏｒ：品質情報）および要求情報（ＲＮ１−ＭＳ）を、受信アンテナ３０１を介して受信する。ＣＱＩ（ＢＳ１−ＲＮ１）は、基地局１１１と中継局１２１との間のＳＩＲを示している。要求情報（ＲＮ１−ＭＳ）は、中継局１２１と移動局１３１，１３２との間の無線経路について基地局１１１に要求する無線リソースを示している。
【００３２】
受信器３０２は、受信したＣＱＩ（ＢＳ１−ＲＮ１）および要求情報（ＲＮ１−ＭＳ）を分離部３０３へ出力する。また、受信器３０２は、セル１１２ａの中継局１２２から送信された隣接セルリソース情報を、受信アンテナ３０１を介して受信する。隣接セルリソース情報は、セル１１２ａにおいて中継局１２２に割り当てられる無線リソースを示している。
【００３３】
受信器３０２は、受信した隣接セルリソース情報を分離部３０３へ出力する。分離部３０３は、受信器３０２から出力されたＣＱＩ（ＢＳ１−ＲＮ１）および要求情報（ＲＮ１−ＭＳ）を自セル制御ＣＨ復号部３０４へ出力する。また、分離部３０３は、受信器３０２から出力された隣接セルリソース情報を他セル制御ＣＨ復号部３１９へ出力する。
【００３４】
自セル制御ＣＨ復号部３０４は、分離部３０３から出力されたＣＱＩ（ＢＳ１−ＲＮ１）および要求情報（ＲＮ１−ＭＳ）を復号し、復号したＣＱＩ（ＢＳ１−ＲＮ１）および要求情報（ＲＮ１−ＭＳ）をＤＬスケジューラ３０５へ出力する。他セル制御ＣＨ復号部３１９は、分離部３０３から出力された隣接セルリソース情報を復号し、復号した隣接セルリソース情報をＤＬスケジューラ３０５へ出力する。
【００３５】
ＤＬスケジューラ３０５は、自セル制御ＣＨ復号部３０４から出力されたＣＱＩ（ＢＳ１−ＲＮ１）に基づいて、基地局１１１と中継局１２１との間の無線経路に無線リソースを割り当てる。また、ＤＬスケジューラ３０５は、自セル制御ＣＨ復号部３０４から出力された要求情報（ＲＮ１−ＭＳ）と、他セル制御ＣＨ復号部３１９から出力された隣接セルリソース情報と、に基づいて中継局１２１と移動局１３１，１３２との間の無線経路に無線リソースを割り当てる。
【００３６】
具体的には、ＤＬスケジューラ３０５は、要求情報（ＲＮ１−ＭＳ）が示す無線リソースのうちの、隣接セルリソース情報が示す無線リソースとは異なる無線リソースを優先的に、中継局１２１と移動局１３１，１３２との間の無線経路に割り当てる。また、ＤＬスケジューラ３０５は、ＣＱＩの他に、中継局１２１と移動局１３１，１３２のＩＤ情報や、移動局１３１，１３２の各トラヒック情報や各ＱｏＳ（Ｑｕａｌｉｔｙ  ｏｆ  Ｓｅｒｖｉｃｅ）情報などに基づいて無線リソースの割り当てを行ってもよい。
【００３７】
ＤＬスケジューラ３０５は、基地局１１１と中継局１２１との間の無線経路に割り当てた無線リソースを示す割当情報（ＢＳ１−ＲＮ１）を制御ＣＨ生成部３０６およびデータＣＨ生成部３０９へ出力する。また、ＤＬスケジューラ３０５は、中継局１２１と移動局１３１，１３２との間の無線経路に割り当てた無線リソースを示す割当情報（ＲＮ１−ＭＳ）を制御ＣＨ生成部３０６へ出力する。
【００３８】
制御ＣＨ生成部３０６は、ＤＬスケジューラ３０５から出力された各割当情報を制御ＣＨ（チャネル）に配置し、制御ＣＨに配置した各割当情報を多重部３１１へ出力する。制御ＣＨ生成部３０６から出力された割当情報（ＢＳ１−ＲＮ１）および割当情報（ＲＮ１−ＭＳ）は、送信器３１２によって中継局１２１へ送信される。
【００３９】
ＩＰ受信部３０７は、移動局１３１を宛先とするＤＬデータ（ＭＳ１）と、移動局１３２を宛先とするＤＬデータ（ＭＳ２）と、をコアネットワーク１０１から受信する。ＩＰ受信部３０７は、受信した各ＤＬデータをＤＬバッファ３０８へ出力する。ＤＬバッファ３０８は、ＩＰ受信部３０７から出力された各ＤＬデータを記憶する。
【００４０】
データＣＨ生成部３０９は、ＤＬスケジューラ３０５から出力された割当情報（ＢＳ１−ＲＮ１）が示す無線リソースに、ＤＬバッファ３０８に記憶された各ＤＬデータを配置する。データＣＨ生成部３０９は、無線リソースに配置した各ＤＬデータを多重部３１１へ出力する。これにより、ＤＬデータ（ＭＳ１）およびＤＬデータ（ＭＳ２）は、割当情報（ＢＳ１−ＲＮ１）が示す無線リソースを用いて中継局１２１へ送信される。
【００４１】
パイロット生成部３１０は、パイロット信号（ＢＳ１）を生成して多重部３１１へ出力する。多重部３１１は、制御ＣＨ生成部３０６から出力された各割当情報と、データＣＨ生成部３０９から出力されたＤＬデータ（ＭＳ１）およびＤＬデータ（ＭＳ２）と、パイロット信号生成部から出力されたパイロット信号（ＢＳ１）と、を多重化する。多重部３１１は、多重化した多重信号を送信器３１２へ出力する。
【００４２】
送信器３１２は、多重部３１１から出力された多重信号を、送信アンテナ３１３を介して送信する。送信器３１２によって送信された多重信号に含まれる割当情報（ＢＳ１−ＲＮ１）、割当情報（ＲＮ１−ＭＳ）、ＤＬデータ（ＭＳ１）、ＤＬデータ（ＭＳ２）およびパイロット信号（ＢＳ１）は、中継局１２１によって受信される。
【００４３】
（実施の形態１にかかる基地局のアップリンクに関する処理）
つぎに、基地局１１１における、移動局１３１，１３２からのデータをコアネットワーク１０１へ転送するアップリンク（ＵＬ）に関する処理について説明する。ただし、基地局１１２における、移動局１３３からのデータをコアネットワーク１０２へ転送するアップリンクに関する処理についても同様である。
【００４４】
受信器３０２は、中継局１２１から送信されたパイロット信号（ＲＮ１）および要求情報（ＲＮ１−ＭＳ）を、受信アンテナ３０１を介して受信する。また、受信器３０２は、中継局１２１から送信されたＵＬデータ（ＭＳ１）およびＵＬデータ（ＭＳ２）を、受信アンテナ３０１を介して受信する。ＵＬデータ（ＭＳ１）は、コアネットワーク１０１を宛先として移動局１３１から送信されたデータである。ＵＬデータ（ＭＳ２）は、コアネットワーク１０１を宛先として移動局１３２から送信されたデータである。
【００４５】
受信器３０２は、受信したパイロット信号（ＲＮ１）、要求情報（ＲＮ１−ＭＳ）、ＵＬデータ（ＭＳ１）およびＵＬデータ（ＭＳ２）を分離部３０３へ出力する。また、受信器３０２は、中継局１２２から送信された隣接セルリソース情報を、受信アンテナ３０１を介して受信する。受信器３０２は、受信した隣接セルリソース情報を分離部３０３へ出力する。
【００４６】
分離部３０３は、受信器３０２から出力されたパイロット信号（ＲＮ１）をＳＩＲ測定部３１４へ出力する。また、分離部３０３は、受信器３０２から出力された要求情報（ＲＮ１−ＭＳ）を自セル制御ＣＨ復号部３０４へ出力する。また、分離部３０３は、受信器３０２から出力された隣接セルリソース情報を他セル制御ＣＨ復号部３１９へ出力する。また、分離部３０３は、受信器３０２から出力されたＵＬデータ（ＭＳ１）およびＵＬデータ（ＭＳ２）をデータＣＨ復号部３１６へ出力する。
【００４７】
ＳＩＲ測定部３１４は、分離部３０３から出力されたパイロット信号（ＲＮ１）に基づいて、基地局１１１と中継局１２１との間のＳＩＲ（ＢＳ１−ＲＮ１）を測定する。ＳＩＲ測定部３１４は、測定したＳＩＲ（ＢＳ１−ＲＮ１）を示すＣＱＩ（ＢＳ１−ＲＮ１）をＵＬスケジューラ３１５へ出力する。
【００４８】
自セル制御ＣＨ復号部３０４は、分離部３０３から出力された要求情報（ＲＮ１−ＭＳ）を復号し、復号した要求情報（ＲＮ１−ＭＳ）をＵＬスケジューラ３１５へ出力する。他セル制御ＣＨ復号部３１９は、分離部３０３から出力された隣接セルリソース情報を復号し、復号した隣接セルリソース情報をＵＬスケジューラ３１５へ出力する。
【００４９】
ＵＬスケジューラ３１５は、ＳＩＲ測定部３１４から出力されたＣＱＩ（ＢＳ１−ＲＮ１）に基づいて、基地局１１１と中継局１２１との間の無線経路に無線リソースを割り当てる。また、ＵＬスケジューラ３１５は、自セル制御ＣＨ復号部３０４から出力された要求情報（ＲＮ１−ＭＳ）と、他セル制御ＣＨ復号部３１９から出力された隣接セルリソース情報と、に基づいて中継局１２１と移動局１３１，１３２との間の無線経路に無線リソースを割り当てる。
【００５０】
具体的には、ＵＬスケジューラ３１５は、中継局１２１と移動局１３１，１３２との間の無線経路に、要求情報（ＲＮ１−ＭＳ）が示す無線リソースのうちの、隣接セルリソース情報が示す無線リソースとは異なる無線リソースを優先的に割り当てる。また、ＵＬスケジューラ３１５は、ＣＱＩの他に、中継局１２１と移動局１３１，１３２のＩＤ情報や、移動局１３１，１３２の各トラヒック情報や各ＱｏＳ情報などに基づいて無線リソースの割り当てを行ってもよい。
【００５１】
ＵＬスケジューラ３１５は、基地局１１１と中継局１２１との間の無線経路に割り当てた無線リソースを示す割当情報（ＢＳ１−ＲＮ１）を制御ＣＨ生成部３０６およびデータＣＨ生成部３０９へ出力する。また、ＵＬスケジューラ３１５は、中継局１２１と移動局１３１，１３２との間の無線経路に割り当てた無線リソースを示す割当情報（ＲＮ１−ＭＳ）を制御ＣＨ生成部３０６へ出力する。
【００５２】
制御ＣＨ生成部３０６は、ＵＬスケジューラ３１５から出力された各割当情報を制御ＣＨに配置する。制御ＣＨ生成部３０６は、制御ＣＨに配置した各割当情報を多重部３１１へ出力する。制御ＣＨ生成部３０６から出力された割当情報（ＢＳ１−ＲＮ１）および割当情報（ＲＮ１−ＭＳ）は、送信器３１２によって中継局１２１へ送信される。
【００５３】
データＣＨ復号部３１６は、分離部３０３から出力されたＵＬデータ（ＭＳ１）およびＵＬデータ（ＭＳ２）を復号し、復号した各ＵＬデータをＵＬバッファ３１７へ出力する。ＵＬバッファ３１７は、データＣＨ復号部３１６から出力された各ＵＬデータを記憶する。ＩＰ送信部３１８は、ＵＬバッファ３１７に記憶された各ＵＬデータを読み出し、読み出した各ＵＬデータをコアネットワーク１０１へ送信する。
【００５４】
（実施の形態１にかかる中継局の構成）
図４は、図１に示した中継局の構成を示すブロック図である。図４に示すように、中継局１２１（図１参照）は、受信アンテナ４０１と、受信器４０２と、分離部４０３と、自セル制御ＣＨ復号部４０４と、ＤＬスケジューラ４０５と、制御ＣＨ生成部４０６と、受信アンテナ４０７と、受信器４０８と、分離部４０９と、ＳＩＲ測定部４１０と、ＣＱＩ生成部４１１と、自セル制御ＣＨ生成部４１２と、多重部４１３と、送信器４１４と、送信アンテナ４１５と、制御ＣＨ復号部４１６と、を備えている。
【００５５】
また、中継局１２１は、データＣＨ復号部４１７と、データＣＨ生成部４１８と、パイロット生成部４１９と、多重部４２０と、送信器４２１と、送信アンテナ４２２と、ＳＩＲ測定部４２３と、ＵＬスケジューラ４２４と、データＣＨ復号部４２５と、データＣＨ生成部４２６と、パイロット生成部４２７と、他セル制御ＣＨ生成部４２８と、を備えている。ここでは中継局１２１について説明するが、中継局１２２についても同様である。
【００５６】
（実施の形態１にかかる中継局のダウンリンクに関する処理）
まず、中継局１２１における、基地局１１１からの各ＤＬデータを移動局１３１および移動局１３２へ転送するダウンリンクに関する処理について説明する。ただし、中継局１２２における、基地局１１２からのＤＬデータを移動局１３３へ転送するダウンリンクに関する処理についても同様である。
【００５７】
受信器４０２は、移動局１３１から送信された中継局１２１と移動局１３１との間のＣＱＩ（ＲＮ１−ＭＳ１）を、受信アンテナ４０１を介して受信する。また、受信器４０２は、移動局１３２から送信された中継局１２１と移動局１３２との間のＣＱＩ（ＲＮ１−ＭＳ２）を、受信アンテナ４０１を介して受信する。
【００５８】
受信器４０２は、受信した各ＣＱＩを分離部４０３へ出力する。分離部４０３は、受信器４０２から出力された各ＣＱＩを自セル制御ＣＨ復号部４０４へ出力する。自セル制御ＣＨ復号部４０４は、分離部４０３から出力された各ＣＱＩを復号し、復号した各ＣＱＩをＤＬスケジューラ４０５へ出力する。
【００５９】
ＤＬスケジューラ４０５は、自セル制御ＣＨ復号部４０４から出力されたＣＱＩ（ＲＮ１−ＭＳ１）およびＣＱＩ（ＲＮ１−ＭＳ２）に基づいて、中継局１２１と移動局１３１，１３２との間の無線経路について要求する要求無線リソースを決定する。たとえば、ＤＬスケジューラ４０５は、無線リソース＃１〜＃１０（図２参照）のうちの、各ＣＱＩが示す品質が比較的高い複数の無線リソースを要求無線リソースとして決定する。
【００６０】
ＤＬスケジューラ４０５は、決定した要求無線リソースを示す要求情報（ＲＮ１−ＭＳ）を、自セル制御ＣＨ生成部４１２および他セル制御ＣＨ生成部４２８へ出力する。また、ＤＬスケジューラ４０５は、要求情報（ＲＮ１−ＭＳ）を自セル制御ＣＨ生成部４１２へ出力したことにより基地局１１１から送信された割当情報（ＲＮ１−ＭＳ）を制御ＣＨ復号部４１６から取得する。ＤＬスケジューラ４０５は、取得した割当情報（ＲＮ１−ＭＳ）が示す無線リソースを、中継局１２１と移動局１３１との間の無線経路と、中継局１２１と移動局１３２との間の無線経路と、に割り当てる。
【００６１】
ＤＬスケジューラ４０５は、中継局１２１と移動局１３１との間の無線経路に割り当てた無線リソースを示す割当情報（ＲＮ１−ＭＳ１）を制御ＣＨ生成部４０６およびデータＣＨ生成部４１８へ出力する。また、ＤＬスケジューラ４０５は、中継局１２１と移動局１３２との間の無線経路に割り当てた無線リソースを示す割当情報（ＲＮ１−ＭＳ２）を制御ＣＨ生成部４０６およびデータＣＨ生成部４１８へ出力する。
【００６２】
制御ＣＨ生成部４０６は、ＤＬスケジューラ４０５から出力された各割当情報を制御ＣＨに配置し、制御ＣＨに配置した各割当情報を多重部４２０へ出力する。制御ＣＨ生成部４０６から出力された割当情報（ＲＮ１−ＭＳ１）は、送信器４２１によって移動局１３１へ送信される。制御ＣＨ生成部４０６から出力された割当情報（ＲＮ１−ＭＳ２）は、送信器４２１によって移動局１３２へ送信される。
【００６３】
受信器４０８は、基地局１１１から送信されたパイロット信号（ＢＳ１）、割当情報（ＲＮ１−ＭＳ）、ＤＬデータ（ＭＳ１）およびＤＬデータ（ＭＳ２）を、受信アンテナ４０７を介して受信する。受信器４０８は、受信したパイロット信号（ＢＳ１）、割当情報（ＲＮ１−ＭＳ）および各ＤＬデータを分離部４０９へ出力する。
【００６４】
分離部４０９は、受信器４０８から出力されたパイロット信号（ＢＳ１）をＳＩＲ測定部４１０へ出力する。また、分離部４０９は、受信器４０８から出力された割当情報（ＲＮ１−ＭＳ）を制御ＣＨ復号部４１６へ出力する。また、分離部４０９は、受信器４０８から出力された各ＤＬデータをデータＣＨ復号部４１７へ出力する。
【００６５】
ＳＩＲ測定部４１０は、分離部４０９から出力されたパイロット信号（ＢＳ１）に基づいて、基地局１１１と中継局１２１との間のＳＩＲ（ＢＳ１−ＲＮ１）を測定する。ＳＩＲ測定部４１０は、測定したＳＩＲ（ＢＳ１−ＲＮ１）をＣＱＩ生成部４１１へ通知する。ＣＱＩ生成部４１１は、ＳＩＲ測定部４１０から通知されたＳＩＲ（ＢＳ１−ＲＮ１）を示すＣＱＩ（ＢＳ１−ＲＮ１）を生成する。ＣＱＩ生成部４１１は、生成したＣＱＩ（ＢＳ１−ＲＮ１）を自セル制御ＣＨ生成部４１２へ出力する。
【００６６】
自セル制御ＣＨ生成部４１２は、ＤＬスケジューラ４０５から出力された要求情報（ＲＮ１−ＭＳ）と、ＣＱＩ生成部４１１から出力されたＣＱＩ（ＢＳ１−ＲＮ１）と、を制御ＣＨに配置する。自セル制御ＣＨ生成部４１２は、制御ＣＨに配置した要求情報（ＲＮ１−ＭＳ）およびＣＱＩ（ＢＳ１−ＲＮ１）を多重部４１３へ出力する。自セル制御ＣＨ生成部４１２から出力された要求情報（ＲＮ１−ＭＳ）およびＣＱＩ（ＢＳ１−ＲＮ１）は、送信器４１４によって基地局１１１へ送信される。
【００６７】
他セル制御ＣＨ生成部４２８は、ＤＬスケジューラ４０５から出力された要求情報（ＲＮ１−ＭＳ）を制御ＣＨに配置し、制御ＣＨに配置した要求情報（ＲＮ１−ＭＳ）を多重部４１３へ出力する。他セル制御ＣＨ生成部４２８から出力された要求情報（ＲＮ１−ＭＳ）は、送信器４１４によって基地局１１２へ送信される。
【００６８】
多重部４１３は、自セル制御ＣＨ生成部４１２から出力された要求情報（ＲＮ１−ＭＳ）およびＣＱＩ（ＢＳ１−ＲＮ１）を多重化する。多重部４１３は、多重化した多重信号を送信器４１４へ出力する。送信器４１４は、多重部４１３から出力された多重信号を、送信アンテナ４１５を介して基地局１１１へ送信する。
【００６９】
制御ＣＨ復号部４１６は、分離部４０９から出力された割当情報（ＲＮ１−ＭＳ）を復号し、復号した割当情報（ＲＮ１−ＭＳ）をＤＬスケジューラ４０５およびデータＣＨ復号部４１７へ出力する。データＣＨ復号部４１７は、分離部４０９から出力されたＤＬデータ（ＭＳ１）およびＤＬデータ（ＭＳ２）を、制御ＣＨ復号部４１６から出力された割当情報（ＲＮ１−ＭＳ）に基づいて復号する。
【００７０】
データＣＨ復号部４１７における復号には、データの送信先となる移動局１３１，１３２のＩＤ情報や、データＣＨのビット数などの情報を用いてもよい。これらの情報は、たとえばダウンリンクの制御ＣＨによって基地局１１１から通知される。データＣＨ復号部４１７は、復号した各ＤＬデータをデータＣＨ生成部４１８へ出力する。
【００７１】
データＣＨ生成部４１８は、ＤＬスケジューラ４０５から出力された割当情報（ＲＮ１−ＭＳ１）が示す無線リソースに、データＣＨ復号部４１７から出力されたＤＬデータ（ＭＳ１）を配置する。データＣＨ生成部４１８は、無線リソースに配置したＤＬデータ（ＭＳ１）を多重部４２０へ出力する。これにより、ＤＬデータ（ＭＳ１）は、割当情報（ＲＮ１−ＭＳ１）が示す無線リソースによって移動局１３１へ送信される。
【００７２】
また、データＣＨ生成部４１８は、ＤＬスケジューラ４０５から出力された割当情報（ＲＮ１−ＭＳ２）が示す無線リソースに、データＣＨ復号部４１７から出力されたＤＬデータ（ＭＳ２）を配置する。データＣＨ生成部４１８は、無線リソースに配置したＤＬデータ（ＭＳ２）を多重部４２０へ出力する。これにより、ＤＬデータ（ＭＳ２）は、割当情報（ＲＮ１−ＭＳ２）が示す無線リソースによって移動局１３２へ送信される。
【００７３】
パイロット生成部４１９は、パイロット信号（ＲＮ１）を生成して多重部４２０へ出力する。多重部４２０は、制御ＣＨ生成部４０６から出力された割当情報（ＲＮ１−ＭＳ１）および割当情報（ＲＮ１−ＭＳ２）と、データＣＨ生成部４１８から出力されたＤＬデータ（ＭＳ１）およびＤＬデータ（ＭＳ２）と、パイロット生成部４１９から出力されたパイロット信号（ＲＮ１）と、を多重化して送信器４２１へ出力する。
【００７４】
送信器４２１は、多重部４１３から出力された多重信号を、送信アンテナ４２２を介して移動局１３１へ送信する。送信器４２１によって送信された多重信号に含まれるパイロット信号（ＲＮ１）は、移動局１３１および移動局１３２によって受信される。また、送信器４２１によって送信された割当情報（ＲＮ１−ＭＳ１）およびＤＬデータ（ＭＳ１）は移動局１３１によって受信される。また、送信器４２１によって送信された割当情報（ＲＮ１−ＭＳ２）およびＤＬデータ（ＭＳ２）は移動局１３２によって受信される。
【００７５】
（実施の形態１にかかる中継局のアップリンクに関する処理）
つぎに、中継局１２１における、移動局１３１，１３２からの各ＵＬデータをコアネットワーク１０１へ転送するアップリンクに関する処理について説明する。ただし、中継局１２２における、移動局１３３からのＵＬデータをコアネットワーク１０２へ転送するアップリンクに関する処理についても同様である。
【００７６】
受信器４０２は、移動局１３１から送信されたパイロット信号（ＭＳ１）と、移動局１３２から送信されたパイロット信号（ＭＳ２）とを、受信アンテナ４０１を介して受信する。また、受信器４０２は、移動局１３１から送信されコアネットワーク１０１を宛先とするＵＬデータ（ＭＳ１）と、移動局１３２から送信されコアネットワーク１０１を宛先とするＵＬデータ（ＭＳ２）とを、受信アンテナ４０１を介して受信する。
【００７７】
受信器４０２は、受信した各パイロット信号および各ＵＬデータを分離部４０３へ出力する。分離部４０３は、受信器４０２から出力された各パイロット信号をＳＩＲ測定部４２３へ出力する。また、分離部４０３は、受信器４０２から出力された各ＵＬデータをデータＣＨ復号部４２５へ出力する。
【００７８】
ＳＩＲ測定部４２３は、分離部４０３から出力されたパイロット信号（ＭＳ１）に基づいて中継局１２１と移動局１３１との間のＳＩＲ（ＲＮ１−ＭＳ１）を測定する。ＳＩＲ測定部４２３は、測定したＳＩＲ（ＲＮ１−ＭＳ１）を示すＣＱＩ（ＲＮ１−ＭＳ１）をＵＬスケジューラ４２４へ出力する。また、ＳＩＲ測定部４２３は、分離部４０３から出力されたパイロット信号（ＭＳ２）に基づいて中継局１２１と移動局１３２との間のＳＩＲ（ＲＮ１−ＭＳ２）を測定する。ＳＩＲ測定部４２３は、測定したＳＩＲ（ＲＮ１−ＭＳ２）を示すＣＱＩ（ＲＮ１−ＭＳ２）をＵＬスケジューラ４２４へ出力する。
【００７９】
受信器４０８は、基地局１１１から送信された割当情報（ＢＳ１−ＲＮ１）および割当情報（ＲＮ１−ＭＳ）を、受信アンテナ４０７を介して受信する。受信器４０８は、受信した各割当情報を分離部４０９へ出力する。分離部４０９は、受信器４０８から出力された各割当情報を制御ＣＨ復号部４１６へ出力する。制御ＣＨ復号部４１６は、分離部４０９から出力された各割当情報を復号する。制御ＣＨ復号部４１６は、復号した各割当情報をＵＬスケジューラ４２４へ出力する。
【００８０】
ＵＬスケジューラ４２４は、ＳＩＲ測定部４２３から出力されたＣＱＩ（ＲＮ１−ＭＳ１）およびＣＱＩ（ＲＮ１−ＭＳ２）に基づいて、中継局１２１と移動局１３１，１３２との間の無線経路について基地局１１１に要求する要求無線リソースを決定する。たとえば、ＵＬスケジューラ４２４は、無線リソース＃１〜＃１０（図２参照）のうちの、各ＣＱＩが示す品質が比較的高い複数の無線リソースを要求無線リソースとして決定する。
【００８１】
ＵＬスケジューラ４２４は、決定した要求無線リソースを示す要求情報（ＲＮ１−ＭＳ）を、自セル制御ＣＨ生成部４１２および他セル制御ＣＨ生成部４２８へ出力する。また、ＵＬスケジューラ４２４は、要求情報（ＲＮ１−ＭＳ）を自セル制御ＣＨ生成部４１２へ出力したことにより基地局１１１から送信された割当情報（ＲＮ１−ＭＳ）を制御ＣＨ復号部４１６から取得する。ＵＬスケジューラ４２４は、取得した割当情報（ＲＮ１−ＭＳ）が示す無線リソースを、中継局１２１と移動局１３１との間の無線経路と、中継局１２１と移動局１３２との間の無線経路と、に割り当てる。
【００８２】
ＵＬスケジューラ４２４は、中継局１２１と移動局１３１との間の無線経路に割り当てた無線リソースを示す割当情報（ＲＮ１−ＭＳ１）を制御ＣＨ生成部４０６およびデータＣＨ復号部４２５へ出力する。また、ＵＬスケジューラ４２４は、中継局１２１と移動局１３２との間の無線経路に割り当てた無線リソースを示す割当情報（ＲＮ１−ＭＳ２）を制御ＣＨ生成部４０６およびデータＣＨ復号部４２５へ出力する。また、ＵＬスケジューラ４２４は、制御ＣＨ復号部４１６から出力された割当情報（ＢＳ１−ＲＮ１）をデータＣＨ生成部４２６へ出力する。
【００８３】
自セル制御ＣＨ生成部４１２は、ＵＬスケジューラ４２４から出力された要求情報（ＲＮ１−ＭＳ）を制御ＣＨに配置し、制御ＣＨに配置した要求情報（ＲＮ１−ＭＳ）を多重部４１３へ出力する。自セル制御ＣＨ生成部４１２から出力された要求情報（ＲＮ１−ＭＳ）は、送信器４１４および送信アンテナ４１５によって基地局１１１へ送信される。
【００８４】
他セル制御ＣＨ生成部４２８は、ＵＬスケジューラ４２４から出力された要求情報（ＲＮ１−ＭＳ）を制御ＣＨに配置し、制御ＣＨに配置した要求情報（ＲＮ１−ＭＳ）を多重部４１３へ出力する。他セル制御ＣＨ生成部４２８から出力された要求情報（ＲＮ１−ＭＳ）は、送信器４１４によって基地局１１２へ送信される。
【００８５】
制御ＣＨ生成部４０６は、ＵＬスケジューラ４２４から出力された各割当情報を制御ＣＨに配置し、配置した各割当情報を多重部４２０へ出力する。制御ＣＨ生成部４０６から出力された割当情報（ＲＮ１−ＭＳ１）は、送信器４２１によって移動局１３１へ送信される。また、制御ＣＨ生成部４０６から出力された割当情報（ＲＮ１−ＭＳ２）は、送信器４２１によって移動局１３２へ送信される。
【００８６】
データＣＨ復号部４２５は、ＵＬスケジューラ４２４から出力された割当情報（ＲＮ１−ＭＳ１）に基づいて、分離部４０３から出力されたＵＬデータ（ＭＳ１）およびＵＬデータ（ＭＳ２）を復号する。データＣＨ復号部４２５は、復号した各ＵＬデータをデータＣＨ生成部４２６へ出力する。
【００８７】
データＣＨ生成部４２６は、データＣＨ復号部４２５から出力された各ＵＬデータを、ＵＬスケジューラ４２４から出力された割当情報（ＢＳ１−ＲＮ１）が示す無線リソースに割り当てる。データＣＨ生成部４２６は、データＣＨに配置した各ＵＬデータを多重部４１３へ出力する。データＣＨ生成部４２６から出力された各ＵＬデータは、送信器４１４によって基地局１１１へ送信される。
【００８８】
（実施の形態１にかかる移動局の構成）
図５は、図１に示した移動局の構成を示すブロック図である。図５に示すように、移動局１３１（図１参照）は、受信アンテナ５０１と、受信器５０２と、分離部５０３と、ＳＩＲ測定部５０４と、ＣＱＩ生成部５０５と、制御ＣＨ生成部５０６と、多重部５０７と、送信器５０８と、送信アンテナ５０９と、制御ＣＨ復号部５１０と、データＣＨ復号部５１１と、ＤＬバッファ５１２と、データ処理部５１３と、を備えている。
【００８９】
また、移動局１３１は、パイロット生成部５１４と、ＵＬバッファ５１５と、データＣＨ生成部５１６と、を備えている。ここでは移動局１３１の構成について説明するが、移動局１３２，１３３の各構成についても同様である。
【００９０】
（実施の形態１にかかる移動局のダウンリンクに関する処理）
まず、移動局１３１における、コアネットワーク１０１からのデータを受信するダウンリンクに関する処理について説明する。ただし、移動局１３２におけるコアネットワーク１０１からのデータを受信するダウンリンクに関する処理と、移動局１３３におけるコアネットワーク１０２からのデータを受信するダウンリンクに関する処理と、についても同様である。
【００９１】
受信器５０２は、中継局１２１から送信された、パイロット信号（ＲＮ１）、割当情報（ＲＮ１−ＭＳ１）およびＤＬデータ（ＭＳ１）を、受信アンテナ５０１を介して受信する。受信器５０２は、受信したパイロット信号（ＲＮ１）、割当情報（ＲＮ１−ＭＳ１）およびＤＬデータ（ＭＳ１）を分離部５０３へ出力する。
【００９２】
分離部５０３は、受信器５０２から出力されたパイロット信号（ＲＮ１）をＳＩＲ測定部５０４へ出力する。また、分離部５０３は、受信器５０２から出力された割当情報（ＲＮ１−ＭＳ１）を制御ＣＨ復号部５１０へ出力する。また、分離部５０３は、受信器５０２から出力されたＤＬデータ（ＭＳ１）をデータＣＨ復号部５１１へ出力する。
【００９３】
ＳＩＲ測定部５０４は、分離部５０３から出力されたパイロット信号（ＲＮ１）に基づいて、中継局１２１と移動局１３１との間の無線経路におけるＳＩＲ（ＲＮ１−ＭＳ１）を測定する。ＳＩＲ測定部５０４は、測定したＳＩＲ（ＲＮ１−ＭＳ１）をＣＱＩ生成部５０５へ通知する。ＣＱＩ生成部５０５は、ＳＩＲ測定部５０４から通知されたＳＩＲ（ＲＮ１−ＭＳ１）を示すＣＱＩ（ＲＮ１−ＭＳ１）を制御ＣＨ生成部５０６へ出力する。
【００９４】
制御ＣＨ生成部５０６は、ＣＱＩ生成部５０５から出力されたＣＱＩ（ＲＮ１−ＭＳ１）を制御ＣＨに配置し、制御ＣＨに配置したＣＱＩ（ＲＮ１−ＭＳ１）を多重部５０７へ出力する。制御ＣＨ生成部５０６から出力されたＣＱＩ（ＲＮ１−ＭＳ１）は、送信器５０８によって中継局１２１へ送信される。
【００９５】
多重部５０７は、制御ＣＨ生成部５０６から出力されたＣＱＩ（ＲＮ１−ＭＳ１）と、データＣＨ生成部５１６から出力されたＵＬデータ（ＭＳ１）と、パイロット生成部５１４から出力されたパイロット信号（ＭＳ１）と、を多重化する。多重部５０７は、多重化した多重信号を送信器５０８へ出力する。送信器５０８は、多重部５０７から出力された多重信号を、送信アンテナ５０９を介して中継局１２１へ送信する。
【００９６】
制御ＣＨ復号部５１０は、分離部５０３から出力された割当情報（ＲＮ１−ＭＳ１）を復号し、復号した割当情報（ＲＮ１−ＭＳ１）をデータＣＨ復号部５１１へ出力する。データＣＨ復号部５１１は、制御ＣＨ復号部５１０から出力された割当情報（ＲＮ１−ＭＳ１）に基づいて、分離部５０３から出力されたＤＬデータ（ＭＳ１）を復号する。データＣＨ復号部５１１は、復号したＤＬデータ（ＭＳ１）をＤＬバッファ５１２へ出力する。
【００９７】
ＤＬバッファ５１２は、データＣＨ復号部５１１から出力されたＤＬデータ（ＭＳ１）を記憶する。データ処理部５１３は、ＤＬバッファ５１２に記憶されたＤＬデータ（ＭＳ１）を読み出し、読み出したＤＬデータ（ＭＳ１）の各種処理を行う。
【００９８】
（実施の形態１にかかる移動局のアップリンクに関する処理）
つぎに、移動局１３１における、コアネットワーク１０１へデータを送信するアップリンクに関する処理について説明する。ただし、移動局１３２におけるコアネットワーク１０１へデータを送信するアップリンクに関する処理と、移動局１３３におけるコアネットワーク１０２へデータを送信するアップリンクに関する処理と、についても同様である。パイロット生成部５１４は、パイロット信号（ＭＳ１）を生成して多重部５０７へ出力する。
【００９９】
データ処理部５１３は、コアネットワーク１０１を宛先とするＵＬデータ（ＭＳ１）を生成し、生成したＵＬデータ（ＭＳ１）をＵＬバッファ５１５へ出力する。ＵＬバッファ５１５は、データ処理部５１３から出力されたＵＬデータ（ＭＳ１）を記憶する。制御ＣＨ復号部５１０は、割当情報（ＲＮ１−ＭＳ１）をデータＣＨ生成部５１６へ出力する。
【０１００】
データＣＨ生成部５１６は、ＵＬバッファ５１５に記憶されたＵＬデータ（ＭＳ１）を、制御ＣＨ復号部５１０から出力された割当情報（ＲＮ１−ＭＳ１）が示す無線リソースに配置する。データＣＨ生成部５１６は、無線リソースに配置したＵＬデータ（ＭＳ１）を多重部５０７へ出力する。データＣＨ生成部５１６から出力されたＵＬデータ（ＭＳ１）は、送信器５０８によって中継局１２１へ送信される。
【０１０１】
（実施の形態１にかかる通信システムの動作例）
図６は、図１に示した通信システムのダウンリンクの動作例を示すシーケンス図である。ここでは、通信システム１００における基地局１１１から移動局１３１，１３２へのダウンリンクの動作について説明するが、基地局１１２から移動局１３３へのダウンリンクの動作についても同様である。
【０１０２】
まず、移動局１３１が、中継局１２１と移動局１３１との間の無線経路におけるＳＩＲ（ＲＮ１−ＭＳ１）を測定する（ステップＳ６０１）。つぎに、移動局１３１が、ステップＳ６０１によって測定されたＳＩＲ（ＲＮ１−ＭＳ１）を示すＣＱＩ（ＲＮ１−ＭＳ１）を制御ＣＨにより中継局１２１へ送信する（ステップＳ６０２）。
【０１０３】
つぎに、移動局１３２が、中継局１２１と移動局１３２との間の無線経路におけるＳＩＲ（ＲＮ１−ＭＳ２）を測定する（ステップＳ６０３）。つぎに、移動局１３２が、ステップＳ６０３によって測定されたＳＩＲ（ＲＮ１−ＭＳ２）を示すＣＱＩ（ＲＮ１−ＭＳ２）を制御ＣＨにより中継局１２１へ送信する（ステップＳ６０４）。
【０１０４】
つぎに、中継局１２１が、ステップＳ６０２およびステップＳ６０４によって送信された各ＣＱＩに基づいて要求無線リソースを決定する（ステップＳ６０５）。つぎに、中継局１２１が、ステップＳ６０５によって決定された要求無線リソースを示す要求情報（ＲＮ１−ＭＳ）を制御ＣＨにより基地局１１１へ送信する（ステップＳ６０６）。
【０１０５】
また、中継局１２１が、ステップＳ６０５によって決定された要求無線リソースを示す要求情報（ＲＮ１−ＭＳ）を制御ＣＨにより基地局１１２へ送信する（ステップＳ６０７）。ステップＳ６０７により送信される要求情報（ＲＮ１−ＭＳ）は、基地局１１２からみると、隣接セルの中継局である中継局１２１から送信された隣接セルリソース情報である。
【０１０６】
つぎに、中継局１２１が、基地局１１１と中継局１２１との間の無線経路におけるＳＩＲ（ＢＳ１−ＲＮ１）を測定する（ステップＳ６０８）。つぎに、中継局１２１が、ステップＳ６０８によって測定されたＳＩＲ（ＢＳ１−ＲＮ１）を示すＣＱＩ（ＢＳ１−ＲＮ１）を制御ＣＨにより基地局１１１へ送信する（ステップＳ６０９）。
【０１０７】
つぎに、基地局１１１が、中継局１２２から送信された隣接セルリソース情報を制御ＣＨにより受信する（ステップＳ６１０）。ステップＳ６１０によって受信される隣接セルリソース情報は、中継局１２２が基地局１１２に割り当てを要求する要求無線リソースを示す要求情報を、基地局１１１に対しても送信したものである。
【０１０８】
つぎに、基地局１１１が無線リソースの割り当てを行う（ステップＳ６１１）。ステップＳ６１１においては、ステップＳ６０９によって送信されたＣＱＩ（ＢＳ１−ＲＮ１）に基づいて、基地局１１１と中継局１２１との間の無線経路に無線リソースが割り当てられる。また、ステップＳ６１１においては、ステップＳ６０６によって送信された要求情報（ＲＮ１−ＭＳ）が示す無線リソースのうちの、ステップＳ６１０によって送信された隣接セルリソース情報が示す無線リソースとは異なる無線リソースが優先的に中継局１２１と移動局１３１，１３２との間の無線経路に割り当てられる。
【０１０９】
つぎに、基地局１１１が、移動局１３１を宛先とするＤＬデータ（ＭＳ１）を中継局１２１へ送信する（ステップＳ６１２）。また、基地局１１１が、移動局１３２を宛先とするＤＬデータ（ＭＳ２）を中継局１２１へ送信する（ステップＳ６１３）。ステップＳ６１２，Ｓ６１３においては、ステップＳ６１１によって基地局１１１と中継局１２１との間の無線経路に割り当てられた無線リソースを用いて各ＤＬデータが送信される。
【０１１０】
また、基地局１１１が、割当情報（ＲＮ１−ＭＳ）を制御ＣＨにより中継局１２１へ送信する（ステップＳ６１４）。ステップＳ６１４において送信される割当情報（ＲＮ１−ＭＳ）は、ステップＳ６１１によって中継局１２１と移動局１３１，１３２との間の無線経路に割り当てられた無線リソースを示す割当情報である。
【０１１１】
つぎに、中継局１２１が、ステップＳ６１４によって送信された割当情報（ＲＮ１−ＭＳ）が示す各無線リソースを、中継局１２１と移動局１３１との間の無線経路と、中継局１２１と移動局１３２との間の無線経路と、に割り当てる（ステップＳ６１５）。ステップＳ６１５においては、たとえば、ステップＳ６０２およびステップＳ６０４によって送信された各ＣＱＩに基づいて無線リソースの割り当てを行う。
【０１１２】
つぎに、中継局１２１が、ステップＳ６１２によって送信されたＤＬデータ（ＭＳ１）を移動局１３１へ送信する（ステップＳ６１６）。ステップＳ６１６においては、ステップＳ６１５によって中継局１２１と移動局１３１との間の無線経路に割り当てられた無線リソースを用いてＤＬデータ（ＭＳ１）が送信される。
【０１１３】
また、中継局１２１が、ステップＳ６１３によって送信されたＤＬデータ（ＭＳ２）を移動局１３２へ送信し（ステップＳ６１７）、一連の動作を終了する。ステップＳ６１７においては、ステップＳ６１５によって中継局１２１と移動局１３２との間の無線経路に割り当てられた無線リソースを用いてＤＬデータ（ＭＳ２）が送信される。
【０１１４】
図７は、図１に示した通信システムのアップリンクの動作例を示すシーケンス図である。ここでは、通信システム１００における移動局１３１，１３２から基地局１１１へのアップリンクの動作について説明するが、移動局１３３から基地局１１２へのアップリンクの動作についても同様である。
【０１１５】
まず、移動局１３１が、パイロット信号（ＭＳ１）を中継局１２１へ送信する（ステップＳ７０１）。つぎに、中継局１２１が、ステップＳ７０１によって送信されたパイロット信号（ＭＳ１）に基づいて中継局１２１と移動局１３１との間の無線経路におけるＳＩＲ（ＲＮ１−ＭＳ１）を測定する（ステップＳ７０２）。
【０１１６】
つぎに、移動局１３２が、パイロット信号（ＭＳ２）を中継局１２１へ送信する（ステップＳ７０３）。つぎに、中継局１２１が、ステップＳ７０３によって送信されたパイロット信号（ＭＳ２）に基づいて中継局１２１と移動局１３２との間の無線経路におけるＳＩＲ（ＲＮ１−ＭＳ２）を測定する（ステップＳ７０４）。
【０１１７】
つぎに、中継局１２１が、ステップＳ７０２およびステップＳ７０４によって測定された各ＳＩＲに基づいて要求無線リソースを決定する（ステップＳ７０５）。つぎに、中継局１２１が、ステップＳ７０５によって決定された要求無線リソースを示す要求情報（ＲＮ１−ＭＳ）を制御ＣＨにより基地局１１１へ送信する（ステップＳ７０６）。
【０１１８】
また、中継局１２１が、ステップＳ７０５によって決定された要求無線リソースを示す要求情報（ＲＮ１−ＭＳ）を制御ＣＨにより基地局１１２へ送信する（ステップＳ７０７）。ステップＳ７０７により送信される要求情報（ＲＮ１−ＭＳ）は、基地局１１２からみると、隣接セルの中継局である中継局１２１から送信された隣接セルリソース情報である。
【０１１９】
つぎに、中継局１２１が、パイロット信号（ＲＮ１）を基地局１１１へ送信する（ステップＳ７０８）。つぎに、基地局１１１が、ステップＳ７０８によって送信されたパイロット信号（ＲＮ１）に基づいて、基地局１１１と中継局１２１との間の無線経路におけるＳＩＲ（ＢＳ１−ＲＮ１）を測定する（ステップＳ７０９）。
【０１２０】
つぎに、基地局１１１が、中継局１２２から送信された隣接セルリソース情報を制御ＣＨにより受信する（ステップＳ７１０）。ステップＳ７１０によって受信される隣接セルリソース情報は、中継局１２２が基地局１１２に割り当てを要求する要求無線リソースを示す要求情報を、基地局１１１に対しても送信したものである。
【０１２１】
つぎに、基地局１１１が無線リソースの割り当てを行う（ステップＳ７１１）。ステップＳ７１１においては、ステップＳ７０９によって測定されたＳＩＲ（ＢＳ１−ＲＮ１）に基づいて、基地局１１１と中継局１２１との間の無線経路に無線リソースが割り当てられる。また、ステップＳ７１１においては、ステップＳ７０６によって送信された要求情報（ＲＮ１−ＭＳ）が示す無線リソースのうちの、ステップＳ７１０によって送信された隣接セルリソース情報が示す無線リソースとは異なる無線リソースが優先的に中継局１２１と移動局１３１，１３２との間の無線経路に割り当てられる。
【０１２２】
つぎに、基地局１１１が、割当情報（ＢＳ１−ＲＮ１）および割当情報（ＲＮ１−ＭＳ）を制御ＣＨにより中継局１２１へ送信する（ステップＳ７１２）。割当情報（ＢＳ１−ＲＮ１）は、ステップＳ７１１によって基地局１１１と中継局１２１との間の無線経路に割り当てられた無線リソースを示す割当情報である。割当情報（ＲＮ１−ＭＳ）は、ステップＳ７１１によって中継局１２１と移動局１３１，１３２との間の無線経路に割り当てられた無線リソースを示す割当情報である。
【０１２３】
つぎに、中継局１２１が、ステップＳ７１２によって送信された割当情報（ＲＮ１−ＭＳ）が示す各無線リソースを、中継局１２１と移動局１３１との間の無線経路と、中継局１２１と移動局１３２との間の無線経路と、に割り当てる（ステップＳ７１３）。ステップＳ７１３においては、たとえば、ステップＳ７０２およびステップＳ７０４によって測定された各ＳＩＲに基づいて無線リソースの割り当てを行う。
【０１２４】
つぎに、中継局１２１が、ステップＳ７１３によって中継局１２１と移動局１３１との間の無線経路に割り当てた無線リソースを示す割当情報（ＲＮ１−ＭＳ１）を移動局１３１へ送信する（ステップＳ７１４）。また、中継局１２１が、ステップＳ７１３によって中継局１２１と移動局１３２との間の無線経路に割り当てた無線リソースを示す割当情報（ＲＮ１−ＭＳ２）を移動局１３２へ送信する（ステップＳ７１５）。
【０１２５】
つぎに、移動局１３１が、ステップＳ７１４によって送信された割当情報（ＲＮ１−ＭＳ１）が示す無線リソースでＵＬデータ（ＭＳ１）を中継局１２１へ送信する（ステップＳ７１６）。つぎに、中継局１２１が、ステップＳ７１６によって送信されたＵＬデータ（ＭＳ１）を、ステップＳ７１２によって送信された割当情報（ＢＳ１−ＲＮ１）が示す無線リソースで基地局１１１へ送信する（ステップＳ７１７）。
【０１２６】
つぎに、移動局１３２が、ステップＳ７１５によって送信された割当情報（ＲＮ１−ＭＳ２）が示す無線リソースでＵＬデータ（ＭＳ２）を中継局１２１へ送信する（ステップＳ７１８）。つぎに、中継局１２１が、ステップＳ７１８によって送信されたＵＬデータ（ＭＳ２）を、ステップＳ７１２によって送信された割当情報（ＢＳ１−ＲＮ１）が示す無線リソースで基地局１１１へ送信し（ステップＳ７１９）、一連の動作を終了する。
【０１２７】
図６および図７に示したように、基地局１１１は、中継局１２２（隣接セル中継局）がセル１１２ａの基地局１１２に割り当てを要求する要求無線リソースを示す要求情報を隣接セルリソース情報として受信する。そして、基地局１１１は、隣接セルリソース情報が示す無線リソースとは異なる無線リソースを優先的に中継局１２１と移動局１３１，１３２との間の無線経路に割り当てる。これにより、中継局１２２による無線通信の干渉を受ける可能性が低い無線リソースを、セルの境界付近の中継局１２１に割り当てることができる。
【０１２８】
（ＳＩＲの具体例）
図８は、中継局と各移動局との間の無線経路におけるＳＩＲの具体例を示す図である。図８に示すＳＩＲ８１０は、中継局１２１と移動局１３１との間の無線経路におけるＳＩＲ（ＲＮ１−ＭＳ１）である。ＳＩＲ８２０は、中継局１２１と移動局１３２との間の無線経路におけるＳＩＲ（ＲＮ１−ＭＳ２）である。
【０１２９】
ダウンリンク（たとえば図６参照）においては、中継局１２１は、移動局１３１からＣＱＩ（ＲＮ１−ＭＳ１）を受信することによってＳＩＲ８１０を取得し、移動局１３２からＣＱＩ（ＲＮ１−ＭＳ２）を受信することによってＳＩＲ８２０を取得する。アップリンク（たとえば図７参照）においては、中継局１２１は、移動局１３１から送信されるパイロット信号（ＭＳ１）に基づいてＳＩＲ８１０を測定し、移動局１３２から送信されるパイロット信号（ＭＳ２）に基づいてＳＩＲ８２０を測定する。
【０１３０】
ＳＩＲ８１０およびＳＩＲ８２０に示す各値は、無線リソース＃１〜＃１０における各ＳＩＲを示している。このように、中継局１２１は、複数の無線リソースについてそれぞれＳＩＲを取得する。ここでは、各ＳＩＲの値を「１」〜「７」のように単純化して示しており、値が大きいほど通信品質が良いことを示している。
【０１３１】
（要求情報の具体例）
図９は、中継局が送信する要求情報の具体例を示す図である。図９において、図８に示した部分と同様の部分については同一の符号を付して説明を省略する。要求情報９１０は、中継局１２１が決定した要求無線リソースを示す要求情報（ＲＮ１−ＭＳ）である。要求情報９１０において、「１」は基地局１１１に対する要求無線リソースであることを示し、「０」は基地局１１１に対する要求無線リソースでないことを示している。
【０１３２】
中継局１２１は、たとえば、無線リソース＃１〜＃１０のうちの、ＳＩＲ８１０およびＳＩＲ８２０が高いものを優先的に要求無線リソースとして決定する。たとえば、中継局１２１は、ＳＩＲ８１０およびＳＩＲ８２０の合計が１０以上の無線リソースを要求無線リソースとして決定する。この場合は、要求情報９１０に示すように、要求無線リソースは無線リソース＃２〜＃６となる。要求情報９１０は基地局１１１へ送信される。
【０１３３】
図１０は、中継局が送信する要求情報の他の例を示す図である。図１０において、図９に示した部分と同様の部分については同一の符号を付して説明を省略する。中継局１２１が基地局１１１へ送信する要求情報（ＲＮ１−ＭＳ）は、図１０に示す要求情報１０１０のようにしてもよい。
【０１３４】
要求情報１０１０の各値は、基地局１１１に対して要求する無線リソースの優先度を示しており、値が大きいほど優先的に要求することを示している。中継局１２１は、たとえば、無線リソース＃１〜＃１０のそれぞれに対して、ＳＩＲ８１０とＳＩＲ８２０を比較して、大きい方のＳＩＲを要求情報１０１０として決定する。要求情報１０１０は基地局１１１へ送信される。
【０１３５】
（無線リソースの割り当ての具体例）
図１１は、基地局による無線リソースの割り当ての具体例を示す図である。図１１において、図９に示した部分と同様の部分については同一の符号を付して説明を省略する。ここでは、中継局１２１が基地局１１１へ送信する要求情報（ＲＮ１−ＭＳ）が、図９に示した要求情報９１０である場合について説明する。
【０１３６】
隣接セルリソース情報１１１０は、中継局１２２から基地局１１１へ送信される隣接セルリソース情報である。隣接セルリソース情報１１１０において、「１」は中継局１２２が基地局１１１に要求する無線リソースであることを示し、「０」は中継局１２２が基地局１１１に要求する無線リソースでないことを示している。
【０１３７】
ここでは、隣接セルリソース情報１１１０は、無線リソース＃１，＃２，＃６〜＃８が、中継局１２２が基地局１１１に要求する無線リソースであることを示している。基地局１１１は、中継局１２１と各移動局との間の無線経路に、要求情報９１０が示す無線リソース＃２〜＃６のうちの、隣接セルリソース情報１１１０が示す無線リソース＃１，＃２，＃６〜＃８とは異なる無線リソースを優先的に割り当てる。ここでは、基地局１１１は、中継局１２１と各移動局との間の無線経路に、無線リソース＃３〜＃５を割り当てる。
【０１３８】
割当情報１１２０は、基地局１１１が中継局１２１へ送信する割当情報（ＲＮ１−ＭＳ）である。割当情報１１２０において、「１」は中継局１２１と各移動局との間の無線経路に割り当てられた無線リソースであることを、「０」は中継局１２１と各移動局との間の無線経路に割り当てられた無線リソースでないことを示している。
【０１３９】
割当情報１１２０は中継局１２１へ送信される。中継局１２１は、割当情報１１２０が示す無線リソース＃３〜＃５を、中継局１２１と移動局１３１との間の無線経路と、中継局１２１と移動局１３２との間の無線経路と、に割り当てる。たとえば、中継局１２１は、無線リソース＃３，＃４を中継局１２１と移動局１３１との間の無線経路に割り当て、無線リソース＃５を中継局１２１と移動局１３２との間の無線経路に割り当てる。
【０１４０】
中継局１２１が基地局１１１へ送信する要求情報（ＲＮ１−ＭＳ）が図９に示した要求情報９１０である場合について説明したが、中継局１２１が基地局１１１へ送信する要求情報（ＲＮ１−ＭＳ）を図１０に示した要求情報１０１０としてもよい。この場合は、基地局１１１は、中継局１２１と各移動局との間の無線経路に、隣接セルリソース情報１１１０が示す無線リソース＃１，＃２，＃６〜＃８とは異なる無線リソースのうちの、要求情報１０１０が示す優先度が高い無線リソースを割り当ててもよい。
【０１４１】
たとえば、基地局１１１は、中継局１２１と各移動局との間の無線経路に、隣接セルリソース情報１１１０が示す無線リソース＃１，＃２，＃６〜＃８とは異なる無線リソースのうちの、要求情報１０１０が示す優先度が６以上の無線リソースを割り当てる。この場合は、中継局１２１と各移動局との間の無線経路に割り当てられた無線リソースを示す割当情報（ＲＮ１−ＭＳ）は割当情報１１２０のようになる。
【０１４２】
（実施の形態１にかかる通信システムの他の動作例）
図１２は、図６に示したダウンリンクの動作の他の例を示すシーケンス図である。図１２に示すステップＳ１２０１〜Ｓ１２１３は、図６に示したステップＳ６０１〜Ｓ６０６，ステップＳ６０８〜Ｓ６１４と同様であるため説明を省略する。ただし、ステップＳ１２０９によって受信される隣接セルリソース情報は、基地局１１２が中継局１２２へ送信した割当情報を、中継局１２２が基地局１１１へ送信したものである。
【０１４３】
ステップＳ１２１３の後に、中継局１２１が、ステップＳ１２１３によって送信された割当情報（ＲＮ１−ＭＳ）を、制御ＣＨにより基地局１１２へ送信する（ステップＳ１２１４）。ステップＳ１２１４により送信される割当情報（ＲＮ１−ＭＳ）は、基地局１１２からみると、隣接セルの中継局である中継局１２１から送信された隣接セルリソース情報である。図１２に示すステップＳ１２１５〜Ｓ１２１７は、図６に示したステップＳ６１５〜Ｓ６１７と同様であるため説明を省略する。
【０１４４】
ステップＳ１２１４において、図４に示したＤＬスケジューラ４０５は、制御ＣＨ復号部４１６から出力された割当情報（ＲＮ１−ＭＳ）を他セル制御ＣＨ生成部４２８へ出力する。他セル制御ＣＨ生成部４２８は、ＤＬスケジューラ４０５から出力された割当情報（ＲＮ１−ＭＳ）を制御ＣＨに配置し、制御ＣＨに配置した割当情報（ＲＮ１−ＭＳ）を多重部４１３へ出力する。他セル制御ＣＨ生成部４２８から出力された割当情報（ＲＮ１−ＭＳ）は、送信器４１４によって基地局１１２へ送信される。
【０１４５】
図１３は、図７に示したアップリンクの動作の他の例を示すシーケンス図である。図１３に示すステップＳ１３０１〜Ｓ１３１１は、図７に示したステップＳ７０１〜Ｓ７０６，ステップＳ７０８〜Ｓ７１２と同様であるため説明を省略する。ただし、ステップＳ１３０９によって受信される隣接セルリソース情報は、基地局１１２が中継局１２２へ送信した割当情報を、中継局１２２が基地局１１１へ送信したものである。
【０１４６】
ステップＳ１３１１の後に、中継局１２１が、ステップＳ１３１１によって送信された割当情報（ＲＮ１−ＭＳ）を、制御ＣＨにより基地局１１２へ送信する（ステップＳ１３１２）。ステップＳ１３１２により送信される要求情報（ＲＮ１−ＭＳ）は、基地局１１２からみると、隣接セルの中継局である中継局１２１から送信された隣接セルリソース情報である。図１３に示すステップＳ１３１３〜Ｓ１３１９は、図７に示したステップＳ７１３〜Ｓ７１９と同様であるため説明を省略する。
【０１４７】
ステップＳ１３１２において、図４に示したＵＬスケジューラ４２４は、制御ＣＨ復号部４１６から出力された割当情報（ＲＮ１−ＭＳ）を他セル制御ＣＨ生成部４２８へ出力する。他セル制御ＣＨ生成部４２８は、ＵＬスケジューラ４２４から出力された割当情報（ＲＮ１−ＭＳ）を制御ＣＨに配置し、制御ＣＨに配置した割当情報（ＲＮ１−ＭＳ）を多重部４１３へ出力する。他セル制御ＣＨ生成部４２８から出力された割当情報（ＲＮ１−ＭＳ）は、送信器４１４によって基地局１１２へ送信される。
【０１４８】
図１２および図１３に示したように、基地局１１１は、セル１１２ａ（隣接セル）の基地局１１２が中継局１２２に割り当てた無線リソースを示す割当情報を隣接セルリソース情報として受信する。そして、基地局１１１は、隣接セルリソース情報が示す無線リソースとは異なる無線リソースを優先的に中継局１２１と移動局１３１，１３２との間の無線経路に割り当てる。これにより、中継局１２２による無線通信の干渉を受ける可能性が低い無線リソースを、セル１２２ａとの境界付近の中継局１２１に割り当てることができる。
【０１４９】
このように、実施の形態１にかかる基地局１１１によれば、中継局１２２（隣接セル中継局）による無線通信の干渉を受ける可能性が低い無線リソースを、セル１１１ａとセル１１２ａの境界付近の中継局１２１の無線経路に割り当てることができる。これにより、セル１１１ａとセル１１２ａの境界付近のスループットを向上させることができる。このため、たとえば、セル１１１ａの全体のスループットを均一化することができる。
【０１５０】
また、セル１１２ａにおけるセル１１１ａとの境界付近の中継局１２２から基地局１１１へ要求情報（または割当情報）を隣接セルリソース情報として送信することで上記の効果を得ることができる。通常、セル１１２ａ内の中継局全体に対するセル１１１ａとの境界付近の中継局（たとえば中継局１２２）の数は少ないため、隣接セルリソース情報を送信するために新たに設定する制御ＣＨは少なく済む。このため、通信システムを大きく変更しなくても上記の効果を得ることができる。
【０１５１】
実施の形態１においては、セル１１１ａとセル１１２ａの間で隣接セルリソース情報を相互に交換し、基地局１１１および基地局１１２のそれぞれにおいて隣接セルリソース情報を考慮した無線リソースの割り当てを行う構成とした。このため、セル１１２ａ側においても、セル１１１ａ側について説明した上記の効果と同様の効果を得ることができる。
【０１５２】
ただし、セル１１１ａからセル１１２ａへ隣接セルリソース情報を送信する構成およびセル１１２ａからセル１１１ａへ隣接セルリソース情報を送信する構成のいずれかを省いた構成にすることも可能である。たとえば、中継局１２１から基地局１１２へ隣接セルリソース情報を送信する構成を省いた構成にしてもよい。この構成においては、基地局１１２においては、隣接セルリソース情報を考慮した無線リソースの割り当てを行わない。この構成においても、セル１１１ａ側については上記の効果を得ることができる。
【０１５３】
（実施の形態２）
図１４は、実施の形態２にかかる通信システムの構成を示す図である。図１４において、図１に示した部分と同様の部分については同一の符号を付して説明を省略する。実施の形態２においては、中継局１２１は、基地局１１１へ送信した要求情報（符号１４１）を、中継局１２２に対しても送信する（符号１４１１）。この場合は、中継局１２１は、基地局１１２に対しては要求情報を送信しなくてもよい。
【０１５４】
中継局１２１は、セル１１２ａ（隣接セル）におけるセル１１１ａ（自セル）との境界付近の中継局１２２（隣接セル中継局）から、中継局１２２に割り当てられる無線リソースを示す隣接セルリソース情報を受信する（符号１４１２）。中継局１２１は、受信した隣接セルリソース情報が示す無線リソースとは異なる無線リソースを優先的に用いて、移動局１３１，１３２のそれぞれと無線通信を行う。
【０１５５】
具体的には、中継局１２１は、受信した隣接セルリソース情報が示す無線リソースとは異なる無線リソースを優先的に要求無線リソースとして決定し、決定した要求無線リソースを示す要求情報（符号１４１）を基地局１１１へ送信する。そして、中継局１２１は、基地局１１１へ送信した要求情報に対して基地局１１１から送信された割当情報（符号１６１）が示す無線リソースによって、移動局１３１，１３２のそれぞれと無線通信を行う。
【０１５６】
基地局１１１は、中継局１２１から送信された要求情報（符号１４１）を受信する。基地局１１１は、要求情報（符号１４１）が示す無線リソースの中から無線経路Ｌ１および無線経路Ｌ２に割り当てる無線リソースを決定する。そして、基地局１１１は、決定した無線リソースを示す割当情報（符号１６１）を中継局１２１へ送信する。
【０１５７】
つぎに、基地局１１２および中継局１２２について説明する。中継局１２２は、基地局１１２へ送信した要求情報（符号１４２）を、中継局１２１に対しても送信する（符号１４１２）。この場合は、中継局１２２は、基地局１１１に対しては要求情報を送信しなくてもよい。
【０１５８】
また、中継局１２２は、セル１１１ａ（隣接セル）におけるセル１１２ａ（自セル）との境界付近の中継局１２１（隣接セル中継局）から、中継局１２１に割り当てられる無線リソースを示す隣接セルリソース情報を受信する（符号１４１１）。中継局１２２は、受信した隣接セルリソース情報が示す無線リソースとは異なる無線リソースを優先的に用いて、移動局１３３と無線通信を行う。
【０１５９】
具体的には、中継局１２２は、受信した隣接セルリソース情報が示す無線リソースとは異なる無線リソースを優先的に要求無線リソースとして決定し、決定した要求無線リソースを示す要求情報（符号１４２）を基地局１１２へ送信する。そして、中継局１２２は、基地局１１２へ送信した要求情報に対して基地局１１２から送信された割当情報（符号１６２）が示す無線リソースによって、移動局１３３との間で無線通信を行う。
【０１６０】
たとえば、中継局１２２は、各無線リソースについての他の条件が同じ場合に、受信した隣接セルリソース情報が示す無線リソースとは異なる無線リソースを要求無線リソースとして決定する。この場合の他の条件としては、たとえば、ＳＩＲなどの通信品質が挙げられる。または、中継局１２２は、受信した隣接セルリソース情報が示す無線リソースとは異なる無線リソースのうちの他の条件を満たす無線リソースを要求無線リソースとして決定してもよい。たとえば、ＳＩＲなどの通信品質が閾値以上であることや、通信品質の順位が所定順位より高いことなどが挙げられる。
【０１６１】
このように、中継局１２２は、中継局１２２と移動局１３３との間の無線経路における通信品質を取得し、隣接セルリソース情報が示す無線リソースとは異なる無線リソースの中から、取得した通信品質に基づいて要求無線リソースを決定してもよい。
【０１６２】
基地局１１２は、中継局１２２から送信された要求情報（符号１４２）を受信する。基地局１１２は、要求情報（符号１４２）が示す無線リソースの中から無線経路Ｌ３に割り当てる無線リソースを決定する。そして、基地局１１２は、決定した無線リソースを示す割当情報（符号１６２）を中継局１２２へ送信する。図１４に示した通信システムにおける無線リソースについては図２に示した無線リソースと同様であるため説明を省略する。
【０１６３】
（実施の形態２にかかる基地局の構成）
図１５は、図１４に示した基地局の構成を示すブロック図である。図１５において、図３に示した構成と同様の構成については同一の符号を付して説明を省略する。図１５に示すように、実施の形態２にかかる基地局１１１（図１４参照）は、図３に示した構成において他セル制御ＣＨ復号部３１９を省いた構成にしてもよい。
【０１６４】
（実施の形態２にかかる基地局のダウンリンクに関する処理）
まず、基地局１１１における、コアネットワーク１０１からの各ＤＬデータを移動局１３１および移動局１３２へ転送するダウンリンクに関する処理について説明する。ただし、基地局１１２における、コアネットワーク１０２からのＤＬデータを移動局１３３へ転送するダウンリンクに関する処理についても同様である。受信器３０２は、セル１１２ａの中継局１２２から送信された隣接セルリソース情報（図３参照）を受信しなくてもよい。この場合は、ＤＬスケジューラ３０５へ隣接セルリソース情報が入力されない。
【０１６５】
ＤＬスケジューラ３０５は、自セル制御ＣＨ復号部３０４から出力された要求情報（ＲＮ１−ＭＳ）に基づいて中継局１２１と移動局１３１，１３２との間の無線経路に無線リソースを割り当てる。
【０１６６】
（実施の形態２にかかる基地局のアップリンクに関する処理）
つぎに、基地局１１１における、移動局１３１，１３２からの各ＵＬデータをコアネットワーク１０１へ転送するアップリンクに関する処理について説明する。ただし、基地局１１２における、移動局１３３からのＵＬデータをコアネットワーク１０２へ転送するアップリンクに関する処理についても同様である。受信器３０２は、セル１１２ａの中継局１２２から送信された隣接セルリソース情報（図３参照）を受信しなくてもよい。この場合は、ＵＬスケジューラ３１５へ隣接セルリソース情報が入力されない。
【０１６７】
ＵＬスケジューラ３１５は、自セル制御ＣＨ復号部３０４から出力された要求情報（ＲＮ１−ＭＳ）に基づいて中継局１２１と移動局１３１，１３２との間の無線経路に無線リソースを割り当てる。
【０１６８】
（実施の形態２にかかる中継局の構成）
図１６は、図１４に示した中継局の構成を示すブロック図である。図１６において、図４に示した構成と同様の構成については同一の符号を付して説明を省略する。図１６に示すように、実施の形態２にかかる中継局１２１（図１４参照）は、図４に示した構成に加えて他セル制御ＣＨ復号部１６１１を備えている。ここでは中継局１２１の構成について説明するが、中継局１２２の構成についても同様である。
【０１６９】
受信アンテナ４０１および受信器４０２は、セル１１２ａ（隣接セル）におけるセル１１１ａ（自セル）との境界付近の中継局１２２（隣接セル中継局）から、中継局１２２に割り当てられる無線リソースを示す隣接セルリソース情報を受信する受信手段である。受信アンテナ４０１、受信器４０２、送信器４２１および送信アンテナ４２２は、受信手段によって受信された隣接セルリソース情報が示す無線リソースとは異なる無線リソースを優先的に用いて移動局１３１，１３２と無線通信を行う通信手段である。
【０１７０】
ＤＬスケジューラ４０５およびＵＬスケジューラ４２４は、中継局１２１と移動局１３１，１３２との間の無線経路に割り当てを要求する要求無線リソースとして、隣接セルリソース情報が示す無線リソースとは異なる無線リソースを優先的に決定する決定手段である。ＤＬスケジューラ４０５およびＵＬスケジューラ４２４は、たとえばＣＰＵなどの演算手段によって実現される。
【０１７１】
送信器４１４および送信アンテナ４１５は、決定手段によって決定された要求無線リソースを示す要求情報を基地局１１１へ送信する送信手段である。受信アンテナ４０７および受信器４０８は、送信手段によって送信された要求情報に応じて基地局１１１によって割り当てられた無線リソースを示す割当情報を受信する第二受信手段である。
【０１７２】
（実施の形態２にかかる中継局のダウンリンクに関する処理）
まず、中継局１２１における、コアネットワーク１０１からの各ＤＬデータを移動局１３１および移動局１３２へ転送するダウンリンクに関する処理について説明する。ただし、中継局１２２における、コアネットワーク１０２からのＤＬデータを移動局１３３へ転送するダウンリンクに関する処理についても同様である。
【０１７３】
受信器４０２は、中継局１２２から送信された隣接セルリソース情報を、受信アンテナ４０１を介して受信する。受信器４０２は、受信した隣接セルリソース情報を分離部４０３へ出力する。分離部４０３は、受信器４０２から出力された隣接セルリソース情報を他セル制御ＣＨ復号部１６１１へ出力する。他セル制御ＣＨ復号部１６１１は、分離部４０３から出力された隣接セルリソース情報を復号する。他セル制御ＣＨ復号部１６１１は、復号した隣接セルリソース情報をＤＬスケジューラ４０５へ出力する。
【０１７４】
ＤＬスケジューラ４０５は、他セル制御ＣＨ復号部１６１１から出力された隣接セルリソース情報に基づいて、中継局１２１と移動局１３１，１３２との間の無線経路について基地局１１１に要求する要求無線リソースを決定する。具体的には、ＤＬスケジューラ４０５は、隣接セルリソース情報が示す無線リソースとは異なる無線リソースを要求無線リソースとして優先的に決定する。たとえば、ＤＬスケジューラ４０５は、無線リソース＃１〜＃１０（図２参照）のうちの、隣接セルリソース情報が示す無線リソースとは異なり、かつ、各ＣＱＩが示す品質が比較的高い複数の無線リソースを要求無線リソースとして決定する。
【０１７５】
（実施の形態２にかかる中継局のアップリンクに関する処理）
つぎに、中継局１２１における、移動局１３１，１３２からのデータをコアネットワーク１０１へ転送するアップリンクに関する処理について説明する。ただし、中継局１２２における、移動局１３３からのデータをコアネットワーク１０２へ転送するアップリンクに関する処理についても同様である。他セル制御ＣＨ復号部１６１１は、復号した隣接セルリソース情報をＵＬスケジューラ４２４へ出力する。
【０１７６】
ＵＬスケジューラ４２４は、他セル制御ＣＨ復号部１６１１から出力された隣接セルリソース情報に基づいて、中継局１２１と移動局１３１，１３２との間の無線経路について基地局１１１に要求する要求無線リソースを決定する。具体的には、ＵＬスケジューラ４２４は、隣接セルリソース情報が示す無線リソースとは異なる無線リソースを要求無線リソースとして優先的に決定する。たとえば、ＵＬスケジューラ４２４は、無線リソース＃１〜＃１０（図２参照）のうちの、隣接セルリソース情報が示す無線リソースとは異なり、かつ、各ＣＱＩが示す品質が比較的高い複数の無線リソースを要求無線リソースとして決定する。
【０１７７】
（実施の形態２にかかる通信システムの動作例）
図１７は、図１４に示した通信システムのダウンリンクの動作例を示すシーケンス図である。ここでは、通信システム１００における基地局１１１から移動局１３１，１３２へのダウンリンクの動作について説明するが、基地局１１２から移動局１３３へのダウンリンクについても同様である。図１７に示すステップＳ１７０１〜Ｓ１７０４は、図６に示したステップＳ６０１〜Ｓ６０４と同様であるため説明を省略する。
【０１７８】
ステップＳ１７０４の後に、中継局１２１が、ステップＳ１７０２およびステップＳ１７０４によって送信された各ＣＱＩに基づいて要求無線リソースを仮決定する（ステップＳ１７０５）。つぎに、中継局１２１が、ステップＳ１７０５によって仮決定された要求無線リソースを示す要求情報（ＲＮ１−ＭＳ）を制御ＣＨにより中継局１２２へ送信する（ステップＳ１７０６）。ステップＳ１７０６により送信される要求情報（ＲＮ１−ＭＳ）は、中継局１２２からみると、隣接セルの中継局である中継局１２１から送信された隣接セルリソース情報である。
【０１７９】
つぎに、中継局１２１が、中継局１２２から送信された隣接セルリソース情報を制御ＣＨにより受信する（ステップＳ１７０７）。ステップＳ１７０７によって受信される隣接セルリソース情報は、中継局１２２が基地局１１２に割り当てを要求する要求無線リソースを示す要求情報を、中継局１２２に対しても送信したものである。
【０１８０】
または、ステップＳ１７０７によって受信される隣接セルリソース情報は、中継局１２２が仮決定した要求無線リソースを示す要求情報を、中継局１２２に対して送信したものでもよい。つぎに、中継局１２１が、ステップＳ１７０５によって仮決定された要求無線リソースと、ステップＳ１７０７によって受信された隣接セルリソース情報と、に基づいて要求無線リソースを決定する（ステップＳ１７０８）。
【０１８１】
つぎに、中継局１２１が、ステップＳ１７０８によって決定された要求無線リソースを示す要求情報（ＲＮ１−ＭＳ）を制御ＣＨにより基地局１１１へ送信する（ステップＳ１７０９）。つぎに、中継局１２１が、基地局１１１と中継局１２１との間の無線経路におけるＳＩＲ（ＢＳ１−ＲＮ１）を測定する（ステップＳ１７１０）。つぎに、中継局１２１が、ステップＳ１７１０によって測定されたＳＩＲ（ＢＳ１−ＲＮ１）を示すＣＱＩ（ＢＳ１−ＲＮ１）を制御ＣＨにより基地局１１１へ送信する（ステップＳ１７１１）。
【０１８２】
つぎに、基地局１１１が無線リソースの割り当てを行う（ステップＳ１７１２）。ステップＳ１７１２においては、ステップＳ１７１１によって送信されたＣＱＩ（ＢＳ１−ＲＮ１）に基づいて、基地局１１１と中継局１２１との間の無線経路に無線リソースが割り当てられる。また、ステップＳ１７０９によって送信された要求情報（ＲＮ１−ＭＳ）が示す無線リソースに含まれる無線リソースが、中継局１２１と移動局１３１，１３２との間の無線経路に割り当てられる。図１７に示すステップＳ１７１３〜Ｓ１７１８は、図６に示したステップＳ６１２〜Ｓ６１７と同様であるため説明を省略する。
【０１８３】
図１８は、図１４に示した通信システムのアップリンクの動作例を示すシーケンス図である。ここでは、通信システム１００における移動局１３１，１３２から基地局１１１へのアップリンクの動作について説明するが、移動局１３３から基地局１１２へのアップリンクについても同様である。図１８に示すステップＳ１８０１〜Ｓ１８０４は、図７に示したステップＳ７０１〜Ｓ７０４と同様であるため説明を省略する。
【０１８４】
ステップＳ１８０４の後に、中継局１２１が、ステップＳ１８０２およびステップＳ１８０４によって測定された各ＳＩＲに基づいて要求無線リソースを仮決定する（ステップＳ１８０５）。つぎに、中継局１２１が、ステップＳ１８０５によって仮決定された要求無線リソースを示す要求情報（ＲＮ１−ＭＳ）を制御ＣＨにより中継局１２２へ送信する（ステップＳ１８０６）。ステップＳ１８０６により送信される要求情報（ＲＮ１−ＭＳ）は、中継局１２２からみると、隣接セルの中継局である中継局１２１から送信された隣接セルリソース情報である。
【０１８５】
つぎに、中継局１２１が、中継局１２２から送信された隣接セルリソース情報を制御ＣＨにより受信する（ステップＳ１８０７）。ステップＳ１８０７によって受信される隣接セルリソース情報は、中継局１２２が基地局１１２に割り当てを要求する要求無線リソースを示す要求情報を、中継局１２１に対しても送信したものである。
【０１８６】
または、ステップＳ１８０７によって受信される隣接セルリソース情報は、中継局１２２が仮決定した要求無線リソースを示す要求情報を、基地局１１１に対して送信したものでもよい。つぎに、中継局１２１が、ステップＳ１８０５によって仮決定された要求無線リソースと、ステップＳ１８０７によって受信された隣接セルリソース情報と、に基づいて要求無線リソースを決定する（ステップＳ１８０８）。
【０１８７】
つぎに、中継局１２１が、ステップＳ１８０８によって決定された要求無線リソースを示す要求情報（ＲＮ１−ＭＳ）を基地局１１１へ送信する（ステップＳ１８０９）。つぎに、中継局１２１が、パイロット信号（ＲＮ１）を制御ＣＨにより基地局１１１へ送信する（ステップＳ１８１０）。つぎに、基地局１１１が、ステップＳ１８０８によって送信されたパイロット信号（ＲＮ１）に基づいて、基地局１１１と中継局１２１との間の無線経路におけるＳＩＲ（ＢＳ１−ＲＮ１）を測定する（ステップＳ１８１１）。
【０１８８】
つぎに、基地局１１１が無線リソースの割り当てを行う（ステップＳ１８１２）。ステップＳ１８１２においては、ステップＳ１８１１によって測定されたＳＩＲ（ＢＳ１−ＲＮ１）に基づいて、基地局１１１と中継局１２１との間の無線経路に無線リソースが割り当てられる。また、ステップＳ１８０９によって送信された要求情報（ＲＮ１−ＭＳ）が示す無線リソースに含まれる無線リソースが中継局１２１と移動局１３１，１３２との間の無線経路に割り当てられる。図１８に示すステップＳ１８１３〜Ｓ１８２０は、図７に示したステップＳ７１２〜Ｓ７１９と同様であるため説明を省略する。
【０１８９】
（要求無線リソースの決定の具体例）
図１９は、中継局による要求無線リソースの決定の具体例を示す図である。図１９において、図１１に示した部分と同様の部分については同一の符号を付して説明を省略する。ここでは、中継局１２１と移動局１３１，１３２との間の無線経路におけるＳＩＲは、図８に示したＳＩＲ８１０およびＳＩＲ８２０の通りであるとする。図１９に示す仮決定情報１９１０は、中継局１２１が仮決定した要求無線リソースを示している。
【０１９０】
仮決定情報１９１０において、「１」は基地局１１１に対する要求無線リソースであることを示し、「０」は基地局１１１に対する要求無線リソースでないことを示している。中継局１２１は、たとえば、無線リソース＃１〜＃１０のうちの、ＳＩＲ８１０およびＳＩＲ８２０が比較的高いものを要求無線リソースとして決定する。ここでは、中継局１２１は、無線リソース＃２〜＃６を要求無線リソースとして仮決定したとする。
【０１９１】
中継局１２１は、仮決定情報１９１０が示す無線リソース＃２〜＃６のうちの、隣接セルリソース情報１１１０が示す無線リソース＃１，＃２，＃６〜＃８とは異なる無線リソースを優先的に要求無線リソースとして決定する。ここでは、中継局１２１は、要求情報９１０に示すように、無線リソース＃３〜＃５を要求無線リソースとして決定する。
【０１９２】
要求情報９１０は基地局１１１へ送信される。基地局１１１は、受信した要求情報９１０が示す無線リソース＃３〜＃５に含まれる無線リソースを中継局１２１と移動局１３１，１３２との間の無線経路に割り当てる。たとえば、基地局１１１は、無線リソース＃３〜＃５のいずれもセル１１１ａにおける中継局１２１以外の他の中継局に割り当てていない場合は、無線リソース＃３〜＃５を中継局１２１と移動局１３１，１３２との間の無線経路に割り当てる。
【０１９３】
（実施の形態２にかかる通信システムの他の動作例）
図２０は、図１７に示したダウンリンクの動作の他の例を示すシーケンス図である。図２０に示すステップＳ２００１〜Ｓ２０１４は、図１７に示したステップＳ１７０１〜Ｓ１７０５，Ｓ１７０７〜Ｓ１７１５と同様であるため説明を省略する。ただし、ステップＳ２００６によって受信される隣接セルリソース情報は、基地局１１２が中継局１２２へ送信した割当情報を中継局１２２が中継局１２１へ送信したものである。
【０１９４】
ステップＳ２０１４の後に、中継局１２１が、ステップＳ２０１４によって送信された割当情報（ＲＮ１−ＭＳ）を、制御ＣＨにより中継局１２２へ送信する（ステップＳ２０１５）。ステップＳ２０１５により送信される割当情報（ＲＮ１−ＭＳ）は、中継局１２２からみると、隣接セルの中継局である中継局１２１から送信された隣接セルリソース情報である。図２０に示すステップＳ２０１６〜Ｓ２０１８は、図１７に示したステップＳ１７１６〜Ｓ１７１８と同様であるため説明を省略する。
【０１９５】
ステップＳ２０１５において、図１６に示したＤＬスケジューラ４０５は、制御ＣＨ復号部４１６から出力された割当情報（ＲＮ１−ＭＳ）を他セル制御ＣＨ生成部４２８へ出力する。他セル制御ＣＨ生成部４２８は、ＤＬスケジューラ４０５から出力された割当情報（ＲＮ１−ＭＳ）を制御ＣＨに配置し、制御ＣＨに配置した割当情報（ＲＮ１−ＭＳ）を多重部４１３へ出力する。他セル制御ＣＨ生成部４２８から出力された割当情報（ＲＮ１−ＭＳ）は、送信器４１４によって中継局１２２へ送信される。
【０１９６】
図２１は、図１８に示したアップリンクの動作の他の例を示すシーケンス図である。図２１に示すステップＳ２１０１〜Ｓ２１１２は、図１８に示したステップＳ１８０１〜Ｓ１８０５，Ｓ１８０７〜Ｓ１８１３と同様であるため説明を省略する。ただし、ステップＳ２１０６によって受信される隣接セルリソース情報は、基地局１１２が中継局１２２へ送信した割当情報を中継局１２２が中継局１２１へ送信したものである。
【０１９７】
ステップＳ２１１２の後に、中継局１２１が、ステップＳ２１１２によって送信された割当情報（ＲＮ１−ＭＳ）を、制御ＣＨにより中継局１２２へ送信する（ステップＳ２１１３）。ステップＳ２１１３により送信される要求情報（ＲＮ１−ＭＳ）は、中継局１２２からみると、隣接セルの中継局である中継局１２１から送信された隣接セルリソース情報である。図２１に示すステップＳ２１１４〜Ｓ２１２０は、図１８に示したステップＳ１８１４〜Ｓ１８２０と同様であるため説明を省略する。
【０１９８】
ステップＳ２１１３において、図１６に示したＵＬスケジューラ４２４は、制御ＣＨ復号部４１６から出力された割当情報（ＲＮ１−ＭＳ）を他セル制御ＣＨ生成部４２８へ出力する。他セル制御ＣＨ生成部４２８は、ＵＬスケジューラ４２４から出力された割当情報（ＲＮ１−ＭＳ）を制御ＣＨに配置し、制御ＣＨに配置した割当情報（ＲＮ１−ＭＳ）を多重部４１３へ出力する。他セル制御ＣＨ生成部４２８から出力された割当情報（ＲＮ１−ＭＳ）は、送信器４１４によって中継局１２２へ送信される。
【０１９９】
図２０および図２１に示したように、中継局１２１は、セル１１２ａ（隣接セル）の基地局１１２が中継局１２２に割り当てた無線リソースを示す割当情報を隣接セルリソース情報として受信する。そして、中継局１２１は、隣接セルリソース情報が示す無線リソースとは異なる無線リソースを優先的に要求無線リソースとして決定する。これにより、基地局１１１に対して、中継局１２２による無線通信の干渉を受ける可能性が低い無線リソースを、セル１１２ａとの境界付近の中継局１２１に割り当てさせることができる。
【０２００】
このように、実施の形態２にかかる中継局１２１によれば、基地局１１１に対して、中継局１２２（隣接セル中継局）による無線通信の干渉を受ける可能性が低い無線リソースを自局に割り当てさせることができる。これにより、セル１１１ａとセル１１２ａの境界付近のスループットを向上させることができる。このため、たとえば、セル１１１ａの全体のスループットを均一化することができる。
【０２０１】
また、セル１１２ａにおけるセル１１１ａとの境界付近の中継局１２２から中継局１２１へ要求情報（または割当情報）を隣接セルリソース情報として送信することで上記の効果を得ることができる。通常、セル１１２ａ内の中継局全体に対するセル１１１ａとの境界付近の中継局（たとえば中継局１２２）の数は少ないため、隣接セルリソース情報を送信するために新たに設定する制御ＣＨは少なく済む。このため、通信システムを大きく変更しなくても上記の効果を得ることができる。
【０２０２】
実施の形態２においては、中継局１２１と中継局１２２の間で隣接セルリソース情報を相互に交換し、中継局１２１および中継局１２２のそれぞれにおいて隣接セルリソース情報を考慮した要求無線リソースの決定を行う構成とした。このため、セル１１２ａ側においても、セル１１１ａ側について説明した上記の効果と同様の効果を得ることができる。
【０２０３】
ただし、中継局１２１から中継局１２２へ隣接セルリソース情報を送信する構成および中継局１２２から中継局１２１へ隣接セルリソース情報を送信する構成のいずれかを省いた構成にすることも可能である。たとえば、中継局１２１から中継局１２２へ隣接セルリソース情報を送信する構成を省いた構成にしてもよい。この構成においては、中継局１２２においては、隣接セルリソース情報を考慮した要求無線リソースの決定を行わない。この構成においても、セル１１１ａ側については上記の効果を得ることができる。
【０２０４】
以上説明したように、開示の基地局、中継局、通信システムおよび通信方法によれば、セルの境界付近のスループットを向上させることができる。
【０２０５】
上述した実施の形態に関し、さらに以下の付記を開示する。
【０２０６】
（付記１）自セルに設置された中継局の中継により前記自セル内の移動局との間で無線通信を行う基地局であって、
隣接セルに設置された隣接セル中継局から、前記隣接セル中継局に割り当てられる無線リソースに関する隣接セルリソース情報を受信する受信手段と、
前記受信手段によって受信された隣接セルリソース情報が示す無線リソースとは異なる無線リソースを優先的に前記中継局と前記移動局との間の無線経路に割り当てる割当手段と、
を備えることを特徴とする基地局。
【０２０７】
（付記２）前記割当手段は、前記中継局と前記移動局との間の無線経路に対して前記中継局から要求された無線リソースのうちの、前記隣接セルリソース情報が示す無線リソースとは異なる無線リソースを優先的に割り当てることを特徴とする付記１に記載の基地局。
【０２０８】
（付記３）前記受信手段は、前記隣接セル中継局が前記隣接セルの基地局に無線リソースの割り当てを要求するための要求情報を前記隣接セルリソース情報として受信することを特徴とする付記１または２に記載の基地局。
【０２０９】
（付記４）前記受信手段は、前記隣接セルの基地局が前記隣接セル中継局に割り当てた無線リソースを示す割当情報を前記隣接セルリソース情報として受信することを特徴とする付記１または２に記載の基地局。
【０２１０】
（付記５）自セルに設置され、前記自セル内の基地局と移動局との間の無線通信を中継する中継局であって、
隣接セルに設置された隣接セル中継局から、前記隣接セル中継局に割り当てられる無線リソースに関する隣接セルリソース情報を受信する受信手段と、
前記受信手段によって受信された隣接セルリソース情報が示す無線リソースとは異なる無線リソースを優先的に用いて前記移動局と無線通信を行う通信手段と、
を備えることを特徴とする中継局。
【０２１１】
（付記６）自局と前記移動局との間の無線経路に無線リソースの割り当てを要求する要求情報として、前記隣接セルリソース情報が示す無線リソースとは異なる無線リソースを優先的に用いて決定する決定手段と、
前記決定手段によって決定された要求情報を前記基地局へ送信する送信手段と、
前記送信手段によって送信された要求情報に応じて前記基地局によって割り当てられた無線リソースを示す割当情報を受信する第二受信手段と、
を備え、
前記通信手段は、前記第二受信手段によって受信された割当情報が示す無線リソースによって前記移動局と無線通信を行うことを特徴とする付記５に記載の中継局。
【０２１２】
（付記７）前記自局と前記移動局との間の無線経路における通信品質を取得する取得手段を備え、
前記決定手段は、前記隣接セルリソース情報が示す無線リソースとは異なる無線リソースの中から、前記取得手段によって取得された通信品質に基づいて前記要求情報を決定することを特徴とする付記６に記載の中継局。
【０２１３】
（付記８）前記受信手段は、前記隣接セル中継局が前記隣接セルの基地局に無線リソースの割り当てを要求するための要求情報を前記隣接セルリソース情報として受信することを特徴とする付記５〜７のいずれか一つに記載の中継局。
【０２１４】
（付記９）前記受信手段は、前記隣接セルの基地局が前記隣接セル中継局に割り当てた無線リソースを示す割当情報を前記隣接セルリソース情報として受信することを特徴とする付記５〜７のいずれか一つに記載の中継局。
【０２１５】
（付記１０）所定セルに設置された中継局の中継により前記所定セル内の移動局との間で無線通信を行う基地局と、前記所定セルの隣接セルに設置された隣接セル中継局と、を含む通信システムであって、
自局に割り当てられる無線リソースを示す隣接セルリソース情報を前記基地局へ送信する隣接セル中継局と、
前記隣接セル中継局によって送信された隣接セルリソース情報が示す無線リソースとは異なる無線リソースを優先的に前記中継局と前記移動局との間の無線経路に割り当てる基地局と、
を含むことを特徴とする通信システム。
【０２１６】
（付記１１）所定セルに設置され、前記所定セル内の基地局と移動局との間の無線通信を中継する中継局と、前記所定セルの隣接セルに設置された隣接セル中継局と、を含む通信システムであって、
自局に割り当てられる無線リソースを示す隣接セルリソース情報を前記中継局へ送信する隣接セル中継局と、
前記隣接セル中継局によって送信された隣接セルリソース情報が示す無線リソースとは異なる無線リソースを優先的に用いて前記移動局と無線通信を行う中継局と、
を含むことを特徴とする通信システム。
【０２１７】
（付記１２）自セルに設置された中継局の中継により前記自セル内の移動局との間で無線通信を行う基地局の通信方法であって、
隣接セルに設置された隣接セル中継局から、前記隣接セル中継局に割り当てられる無線リソースに関する隣接セルリソース情報を受信する受信工程と、
前記受信された隣接セルリソース情報が示す無線リソースとは異なる無線リソースを優先的に前記中継局と前記移動局との間の無線経路に割り当てる割当工程と、
を含むことを特徴とする通信方法。
【０２１８】
（付記１３）自セルに設置され、前記自セル内の基地局と移動局との間の無線通信を中継する中継局の通信方法であって、
隣接セルに設置された隣接セル中継局から、前記隣接セル中継局に割り当てられる無線リソースに関する隣接セルリソース情報を受信する受信工程と、
前記受信工程によって受信された隣接セルリソース情報が示す無線リソースとは異なる無線リソースを優先的に用いて前記移動局と無線通信を行う通信工程と、
を含むことを特徴とする通信方法。
【０２１９】
（付記１４）所定セルに設置された中継局の中継により前記所定セル内の移動局との間で無線通信を行う基地局と、前記所定セルの隣接セルに設置された隣接セル中継局と、を含む通信システムの通信方法であって、
前記隣接セル中継局が、自局に割り当てられる無線リソースを示す隣接セルリソース情報を前記基地局へ送信する送信工程と、
前記基地局が、前記送信工程によって送信された隣接セルリソース情報が示す無線リソースとは異なる無線リソースを優先的に前記中継局と前記移動局との間の無線経路に割り当てる割当工程と、
を含むことを特徴とする通信方法。
【０２２０】
（付記１５）所定セルに設置され、前記所定セル内の基地局と移動局との間の無線通信を中継する中継局と、前記所定セルの隣接セルに設置された隣接セル中継局と、を含む通信システムの通信方法であって、
前記隣接セル中継局が、自局に割り当てられる無線リソースを示す隣接セルリソース情報を前記中継局へ送信する送信工程と、
前記中継局が、前記送信工程によって送信された隣接セルリソース情報が示す無線リソースとは異なる無線リソースを優先的に用いて前記移動局と無線通信を行う通信工程と、
を含むことを特徴とする通信システム。
【符号の説明】
【０２２１】
Ｌ１〜Ｌ３  無線経路
１００  通信システム
１１１ａ，１１２ａ  セル
２１０  無線リソース
３０１，４０１，４０７，５０１  受信アンテナ
３１３，４１５，４２２，５０９  送信アンテナ
【国際調査報告】
2010134162.tif 000024
2010134162.tif 000025